(57)【要約】  端末及び基地局が非同期状態にある場合のアップリンクデータ伝送待ち時間及びシグナリングオーバヘッドを低減する非同期アップリンク伝送のための方法、端末及び基地局が提供される。この方法は、基地局のものと同じ非同期伝送パラメータ情報を取得するステップであり、非同期伝送パラメータ情報が、物理リソース情報、変調符号化方式情報、及び物理リソースフレームフォーマット情報を含み、物理リソースフレームフォーマット情報が、物理リソースフレームの長さ情報を含む、ステップと、物理リソースフレームフォーマット情報に従って、非同期伝送フレームの長さを決定するステップと、非同期伝送フレームを用いることにより、非同期伝送パラメータ情報に従って、第１のアップリンク情報を基地局に送信するステップとを含む。端末により取得された非同期伝送パラメータ情報は、基地局のものと同じであるため、端末により決定された非同期伝送フレームの長さは、基地局により決定されたものと同じになる。したがって、非同期状態であっても、基地局は依然として、第１のアップリンク情報を受信し、データのアップリンク伝送を実現することができる。このようにして、アップリンクデータ伝送待ち時間及びシグナリングオーバヘッドが低減される。
2018507629.tif 000002
【特許請求の範囲】
【請求項１】
非同期アップリンク伝送のための方法であって、
基地局のものと同じ非同期伝送パラメータ情報を取得するステップであり、前記非同期伝送パラメータ情報が、物理リソース情報、変調符号化方式情報、及び物理リソースフレームフォーマット情報を含み、前記物理リソースフレームフォーマット情報が、物理リソースフレームの長さ情報を含む、ステップと、
前記物理リソースフレームフォーマット情報に従って、非同期伝送フレームの長さを決定するステップと、
前記非同期伝送フレームを用いることにより、前記非同期伝送パラメータ情報に従って、第１のアップリンク情報を前記基地局に送信するステップとを含む、方法。
【請求項２】
前記基地局への無線リソース制御ＲＲＣ接続が接続状態にある場合、前記第１のアップリンク情報が、バッファステータスレポート、データ情報、又は端末識別子のうちの少なくとも１つを含むか、或いは、
前記基地局への無線リソース制御ＲＲＣ接続がアイドル状態にある場合、前記第１のアップリンク情報が、ＲＲＣ接続リクエストメッセージ、データ情報、又は端末識別子のうちの少なくとも１つを含むか、或いは、
前記基地局への無線リソース制御ＲＲＣ接続が再確立された場合、前記第１のアップリンク情報が、ＲＲＣ接続再確立リクエストメッセージ、データ情報、バッファステータスレポート、又は端末識別子のうちの少なくとも１つを含む、請求項１に記載の方法。
【請求項３】
前記非同期伝送パラメータ情報が、物理リソースを用いてデータを伝送する条件に関する情報を更に含み、
前記非同期伝送フレームを用いることにより、前記非同期伝送パラメータ情報に従って、第１のアップリンク情報を前記基地局に送信する前記ステップが、
前記物理リソースを用いてデータを伝送する前記条件を満たすデータ情報に関して、前記非同期伝送フレームのデータ伝送部を用いることにより、前記第１のアップリンク情報を前記基地局に送信するステップを含む、請求項１又は２に記載の方法。
【請求項４】
前記物理リソースフレームの前記長さ情報が、
フレームヘッダ部、データ伝送部、又はフレームテール部のうちの少なくとも１つの長さ情報、及び／又は前記物理リソースフレームの全長情報を含む、請求項１又は２に記載の方法。
【請求項５】
前記非同期伝送パラメータ情報が、物理リソース使用期間を示すために用いられる期間情報を更に含む、請求項１又は２に記載の方法。
【請求項６】
前記非同期伝送フレームを用いることにより、前記非同期伝送パラメータ情報に従って、第１のアップリンク情報を前記基地局に送信する前記ステップの後に、当該方法が、
前記基地局により送信されたダウンリンク情報を受信するステップであり、前記ダウンリンク情報が、アップリンクタイミング調整コマンド及び前記第１のアップリンク情報の肯定応答を含む、ステップを更に含み、
前記基地局への前記無線リソース制御ＲＲＣ接続が接続状態にある場合、前記ダウンリンク情報が、同期アップリンクグラントメッセージ及び／又は前記端末の識別情報を更に含むか、或いは、
前記基地局への前記無線リソース制御ＲＲＣ接続がアイドル状態にある場合、前記ダウンリンク情報が、ＲＲＣ接続確立メッセージを更に含むか、或いは、
前記基地局への前記無線リソース制御ＲＲＣ接続が再確立された場合、前記ダウンリンク情報が、同期アップリンクグラントメッセージ及び／又はＲＲＣ接続再確立メッセージを更に含む、請求項２に記載の方法。
【請求項７】
前記基地局により送信されたダウンリンク情報を受信する前記ステップの後に、当該方法が、
前記基地局への前記無線リソース制御ＲＲＣ接続が接続状態にある場合、タイミング調整コマンドを適用し、タイミング調整タイマを開始し、前記同期アップリンクグラントメッセージに従って第２のアップリンク情報を前記基地局に送信するステップであり、前記第２のアップリンク情報が前記データ情報を含む、ステップか、又は、
前記基地局への前記無線リソース制御ＲＲＣ接続がアイドル状態にある場合、前記ＲＲＣ接続確立メッセージに従って、第２のアップリンク情報を前記基地局に送信するステップであり、前記第２のアップリンク情報がＲＲＣ接続確立完了メッセージを含む、ステップか、又は、
前記基地局への前記無線リソース制御ＲＲＣ接続が再確立された場合、前記ＲＲＣ接続再確立メッセージに従って、第２のアップリンク情報を前記基地局に送信するステップであり、前記第２のアップリンク情報がＲＲＣ接続再確立完了メッセージ及び／又は前記データ情報を含む、ステップを更に含む、請求項６に記載の方法。
【請求項８】
前記非同期伝送フレームが、物理ランダムアクセスチャネルＰＲＡＣＨリソース部を更に含み、前記非同期伝送フレームを用いることにより、前記非同期伝送パラメータ情報に従って、第１のアップリンク情報を前記基地局に送信する前記ステップの前に、当該方法が、
プリアンブルを取得するステップを更に含み、
前記非同期伝送フレームを用いることにより、前記非同期伝送パラメータ情報に従って、第１のアップリンク情報を前記基地局に送信する前記ステップが、
前記ＰＲＡＣＨリソース部を用いることにより、前記プリアンブルを前記基地局に送信するステップを更に含み、
前記ＰＲＡＣＨリソース部を用いることにより、前記プリアンブルを前記基地局に送信する前記ステップの後に、当該方法が、
前記基地局により送信されたランダムアクセス応答メッセージを受信するステップであり、前記ランダムアクセス応答メッセージが同期アップリンクグラント情報及びアップリンクタイミングアドバンス情報を含む、ステップと、
前記ランダムアクセス応答メッセージを適用し、第２のアップリンク情報を前記基地局に送信するステップであり、前記第２のアップリンク情報が前記データ情報を含む、ステップとを更に含む、請求項１又は２に記載の方法。
【請求項９】
当該方法が、
プリアンブルを取得するステップと、
物理ランダムアクセスチャネルＰＲＡＣＨリソースを用いることにより、前記プリアンブルを前記基地局に送信するステップであり、前記物理ランダムアクセスチャネルＰＲＡＣＨリソース及び前記非同期伝送フレームが時間領域において位置合わせされている、ステップとを更に含み、
前記物理ランダムアクセスチャネルＰＲＡＣＨリソースを用いることにより、前記プリアンブルを前記基地局に送信する前記ステップの後に、当該方法が、
前記基地局により送信されたランダムアクセス応答メッセージを受信するステップであり、前記ランダムアクセス応答メッセージが同期アップリンクグラント情報及びアップリンクタイミングアドバンス情報を含む、ステップと、
前記ランダムアクセス応答メッセージを適用し、第２のアップリンク情報を前記基地局に送信するステップであり、前記第２のアップリンク情報が前記データ情報を含む、ステップとを更に含む、請求項１又は２に記載の方法。
【請求項１０】
基地局のものと同じ非同期伝送パラメータ情報を取得する前記ステップが、
無線リソース制御ＲＲＣレイヤメッセージを受信する様態、媒体アクセス制御レイヤメッセージを受信する様態、物理レイヤメッセージを受信する様態、又はプロトコル予備設定の様態のうちの少なくとも１つの様態で前記非同期伝送パラメータ情報を取得するステップを含む、請求項１から９のいずれか一項に記載の方法。
【請求項１１】
非同期アップリンク伝送のための方法であって、
非同期伝送パラメータ情報を決定するステップであり、前記非同期伝送パラメータ情報が、物理リソース情報、変調符号化方式情報、及び物理リソースフレームフォーマット情報を含み、前記物理リソースフレームフォーマット情報が、物理リソースフレームの長さ情報を含む、ステップと、
非同期伝送フレームを用いることにより前記非同期伝送パラメータに従って端末により送信された第１のアップリンク情報を受信するステップとを含む、方法。
【請求項１２】
前記端末と基地局との間の無線リソース制御ＲＲＣ接続が接続状態にある場合、前記第１のアップリンク情報が、バッファステータスレポート、データ情報、又は端末識別子のうちの少なくとも１つを含むか、或いは、
前記端末と基地局との間の無線リソース制御ＲＲＣ接続がアイドル状態にある場合、前記第１のアップリンク情報が、ＲＲＣ接続リクエストメッセージ、データ情報、又は端末識別子のうちの少なくとも１つを含むか、或いは、
前記端末と基地局との間の無線リソース制御ＲＲＣ接続が再確立状態にある場合、前記第１のアップリンク情報が、ＲＲＣ接続再確立リクエストメッセージ、データ情報、バッファステータスレポート、又は端末識別子のうちの少なくとも１つを含む、請求項１１に記載の方法。
【請求項１３】
前記非同期伝送パラメータ情報が、物理リソースを用いてデータを伝送する条件に関する情報を更に含み、
非同期伝送フレームを用いることにより前記非同期伝送パラメータに従って端末により送信された第１のアップリンク情報を受信する前記ステップが、
前記物理リソースを用いてデータを伝送する前記条件を満たすデータ情報に関して前記非同期伝送フレームのデータ伝送部を用いることにより送信された前記第１のアップリンク情報を受信するステップを含む、請求項１１又は１２に記載の方法。
【請求項１４】
前記物理リソースフレームの前記長さ情報が、
フレームヘッダ部、データ伝送部、又はフレームテール部のうちの少なくとも１つの長さ情報、及び／又は前記物理リソースフレームの全長情報を含む、請求項１１又は１２に記載の方法。
【請求項１５】
前記非同期伝送パラメータ情報が、物理リソース使用期間を示すために用いられる期間情報を更に含む、請求項１１又は１２に記載の方法。
【請求項１６】
非同期伝送フレームを用いることにより前記非同期伝送パラメータに従って端末により送信された第１のアップリンク情報を受信する前記ステップの後に、当該方法が、
ダウンリンク情報を前記端末に送信するステップであり、前記ダウンリンク情報が、アップリンクタイミング調整コマンド及び前記第１のアップリンク情報の肯定応答を含む、ステップを更に含み、
前記端末と前記基地局との間の前記無線リソース制御ＲＲＣ接続が接続状態にある場合、前記ダウンリンク情報が、同期アップリンクグラントメッセージ及び／又は前記端末の識別情報を更に含むか、或いは、
前記端末と前記基地局との間の前記無線リソース制御ＲＲＣ接続がアイドル状態にある場合、前記ダウンリンク情報が、ＲＲＣ接続確立メッセージを更に含むか、或いは、
前記端末と前記基地局との間の前記無線リソース制御ＲＲＣ接続が再確立状態にある場合、前記ダウンリンク情報が、同期アップリンクグラントメッセージ及び／又はＲＲＣ接続再確立メッセージを更に含む、請求項１２に記載の方法。
【請求項１７】
ダウンリンク情報を前記端末に送信する前記ステップの後に、当該方法が、
前記端末と前記基地局との間の前記無線リソース制御ＲＲＣ接続が接続状態にある場合、前記同期アップリンクグラントメッセージに従って前記端末により送信された第２のアップリンク情報を受信するステップであり、前記第２のアップリンク情報が前記データ情報を含む、ステップか、又は、
前記端末と前記基地局との間の前記無線リソース制御ＲＲＣ接続がアイドル状態にある場合、前記ＲＲＣ接続確立メッセージに従って前記端末により送信された第２のアップリンク情報を受信するステップであり、前記第２のアップリンク情報がＲＲＣ接続確立完了メッセージを含む、ステップか、又は、
前記端末と前記基地局との間の前記無線リソース制御ＲＲＣ接続が再確立された場合、前記ＲＲＣ接続再確立メッセージに従って前記端末により送信された第２のアップリンク情報を受信するステップであり、前記第２のアップリンク情報がＲＲＣ接続再確立完了メッセージ及び／又は前記データ情報を含む、ステップを更に含む、請求項１６に記載の方法。
【請求項１８】
前記非同期伝送フレームが、物理ランダムアクセスチャネルＰＲＡＣＨリソース部を更に含み、非同期伝送フレームを用いることにより前記非同期伝送パラメータに従って端末により送信された第１のアップリンク情報を受信する前記ステップが、
前記ＰＲＡＣＨリソース部を用いることにより前記端末により送信されたプリアンブルを受信するステップと、
ランダムアクセス応答メッセージを前記端末に送信するステップであり、前記ランダムアクセス応答メッセージが同期アップリンクグラント情報及びアップリンクタイミングアドバンス情報を含む、ステップと、
前記端末により送信された第２のアップリンク情報を受信するステップであり、前記第２のアップリンク情報が前記データ情報を含む、ステップとを更に含む、請求項１１又は１２に記載の方法。
【請求項１９】
当該方法が、
ランダムアクセスチャネルＰＲＡＣＨリソースを用いることにより前記端末により送信されたプリアンブルを受信するステップであり、前記物理ランダムアクセスチャネルＰＲＡＣＨリソース及び前記非同期伝送フレームが時間領域において位置合わせされている、ステップと、
ランダムアクセス応答メッセージを前記端末に送信するステップであり、前記ランダムアクセス応答メッセージが同期アップリンクグラント情報及びアップリンクタイミングアドバンス情報を含む、ステップと、
前記端末により送信された第２のアップリンク情報を受信するステップであり、前記第２のアップリンク情報が前記データ情報を含む、ステップとを更に含む、請求項１１又は１２に記載の方法。
【請求項２０】
非同期伝送パラメータ情報を決定する前記ステップの後に、当該方法が、
無線リソース制御ＲＲＣレイヤメッセージを送信する様態、媒体アクセス制御レイヤメッセージを送信する様態、物理レイヤメッセージを送信する様態、又はプロトコル予備設定の様態のうちの少なくとも１つの様態で前記非同期伝送パラメータ情報を前記端末に通知するステップを更に含む、請求項１１から１９のいずれか一項に記載の方法。
【請求項２１】
端末であって、
基地局のものと同じ非同期伝送パラメータ情報を取得するように構成された第１の取得ユニットであり、前記非同期伝送パラメータ情報が、物理リソース情報、変調符号化方式情報、及び物理リソースフレームフォーマット情報を含み、前記物理リソースフレームフォーマット情報が、物理リソースフレームの長さ情報を含む、第１の取得ユニットと、
前記物理リソースフレームフォーマット情報に従って、非同期伝送フレームの長さを決定するように構成された第１の決定ユニットと、
前記非同期伝送フレームを用いることにより、前記非同期伝送パラメータ情報に従って、第１のアップリンク情報を前記基地局に送信するように構成された第１の送信ユニットとを備える、端末。
【請求項２２】
前記基地局への無線リソース制御ＲＲＣ接続が接続状態にある場合、前記第１のアップリンク情報が、バッファステータスレポート、データ情報、又は端末識別子のうちの少なくとも１つを含むか、或いは、
前記基地局への無線リソース制御ＲＲＣ接続がアイドル状態にある場合、前記第１のアップリンク情報が、ＲＲＣ接続リクエストメッセージ、データ情報、又は端末識別子のうちの少なくとも１つを含むか、或いは、
前記基地局への無線リソース制御ＲＲＣ接続が再確立された場合、前記第１のアップリンク情報が、ＲＲＣ接続再確立リクエストメッセージ、データ情報、バッファステータスレポート、又は端末識別子のうちの少なくとも１つを含む、請求項２１に記載の端末。
【請求項２３】
前記非同期伝送パラメータ情報が、物理リソースを用いてデータを伝送する条件に関する情報を更に含み、
前記第１の送信ユニットが、
前記物理リソースを用いてデータを伝送する前記条件を満たすデータ情報に関して、前記非同期伝送フレームのデータ伝送部を用いることにより、前記第１のアップリンク情報を前記基地局に送信するように構成された第１の送信モジュールを備える、請求項２１又は２２に記載の端末。
【請求項２４】
前記物理リソースフレームの前記長さ情報が、
フレームヘッダ部、データ伝送部、又はフレームテール部のうちの少なくとも１つの長さ情報、及び／又は前記物理リソースフレームの全長情報を含む、請求項２１又は２２に記載の端末。
【請求項２５】
前記非同期伝送パラメータ情報が、物理リソース使用期間を示すために用いられる期間情報を更に含む、請求項２１又は２２に記載の端末。
【請求項２６】
前記非同期伝送フレームを用いることにより、前記非同期伝送パラメータ情報に従って、前記第１のアップリンク情報が前記基地局に送信された後に、当該端末が、
前記基地局により送信されたダウンリンク情報を受信するように構成された第１の受信ユニットであり、前記ダウンリンク情報が、アップリンクタイミング調整コマンド及び前記第１のアップリンク情報の肯定応答を含む、第１の受信ユニットを更に含み、
前記基地局への前記無線リソース制御ＲＲＣ接続が接続状態にある場合、前記ダウンリンク情報が、同期アップリンクグラントメッセージ及び／又は前記端末の識別情報を更に含むか、或いは、
前記基地局への前記無線リソース制御ＲＲＣ接続がアイドル状態にある場合、前記ダウンリンク情報が、ＲＲＣ接続確立メッセージを更に含むか、或いは、
前記基地局への前記無線リソース制御ＲＲＣ接続が再確立された場合、前記ダウンリンク情報が、同期アップリンクグラントメッセージ及び／又はＲＲＣ接続再確立メッセージを更に含む、請求項２２に記載の端末。
【請求項２７】
前記基地局により送信された前記ダウンリンク情報が受信された後に、当該端末が、
前記基地局への前記無線リソース制御ＲＲＣ接続が接続状態にある場合、タイミング調整コマンドを適用し、タイミング調整タイマを開始するように構成された第１の適用ユニットと、
前記基地局への前記無線リソース制御ＲＲＣ接続が接続状態にある場合、前記同期アップリンクグラントメッセージに従って第２のアップリンク情報を前記基地局に送信し、前記第２のアップリンク情報が前記データ情報を含むか、或いは、
前記基地局への前記無線リソース制御ＲＲＣ接続がアイドル状態にある場合、前記ＲＲＣ接続確立メッセージに従って、第２のアップリンク情報を前記基地局に送信し、前記第２のアップリンク情報がＲＲＣ接続確立完了メッセージを含むか、或いは、
前記基地局への前記無線リソース制御ＲＲＣ接続が再確立された場合、前記ＲＲＣ接続再確立メッセージに従って、第２のアップリンク情報を前記基地局に送信し、前記第２のアップリンク情報がＲＲＣ接続再確立完了メッセージ及び／又は前記データ情報を含む、ように構成された第２の送信ユニットとを更に備える、請求項２６に記載の端末。
【請求項２８】
前記非同期伝送フレームが、物理ランダムアクセスチャネルＰＲＡＣＨリソース部を更に含み、前記非同期伝送フレームを用いることにより、前記非同期伝送パラメータ情報に従って、前記第１のアップリンク情報が前記基地局に送信される前に、当該端末が、
プリアンブルを取得するように構成された第２の取得ユニットを更に備え、
前記第１の送信ユニットが、
前記ＰＲＡＣＨリソース部を用いることにより、前記プリアンブルを前記基地局に送信するように構成された第２の送信モジュールを更に備え、
前記ＰＲＡＣＨリソース部を用いることにより、前記プリアンブルが前記基地局に送信された後に、当該端末が、
前記基地局により送信されたランダムアクセス応答メッセージを受信するように構成された第２の受信ユニットであり、前記ランダムアクセス応答メッセージが同期アップリンクグラント情報及びアップリンクタイミングアドバンス情報を含む、第２の受信ユニットと、
前記ランダムアクセス応答メッセージを適用するように構成された第２の適用ユニットと、
第２のアップリンク情報を前記基地局に送信するように構成された第３の送信ユニットであり、前記第２のアップリンク情報が前記データ情報を含む、第３の送信ユニットとを更に備える、請求項２１又は２２に記載の端末。
【請求項２９】
当該端末が、
プリアンブルを取得するように構成された第３の取得ユニットを更に備え、
前記第１の送信モジュールが、
物理ランダムアクセスチャネルＰＲＡＣＨリソースを用いることにより、前記プリアンブルを前記基地局に送信するように構成された第３の送信モジュールであり、前記物理ランダムアクセスチャネルＰＲＡＣＨリソース及び前記非同期伝送フレームが時間領域において位置合わせされている、第３の送信モジュールを更に備え、
物理ランダムアクセスチャネルＰＲＡＣＨリソースを用いることにより、前記プリアンブルが前記基地局に送信された後に、当該端末が、
前記基地局により送信されたランダムアクセス応答メッセージを受信するように構成された第３の受信ユニットであり、前記ランダムアクセス応答メッセージが同期アップリンクグラント情報及びアップリンクタイミングアドバンス情報を含む、第３の受信ユニットと、
前記ランダムアクセス応答メッセージを適用するように構成された第３の適用ユニットと、
第２のアップリンク情報を前記基地局に送信するように構成された第４の送信ユニットであり、前記第２のアップリンク情報が前記データ情報を含む、第４の送信ユニットとを更に備える、請求項２１又は２２に記載の端末。
【請求項３０】
前記第１の取得ユニットが、
無線リソース制御ＲＲＣレイヤメッセージを受信する様態、媒体アクセス制御レイヤメッセージを受信する様態、物理レイヤメッセージを受信する様態、又はプロトコル予備設定の様態のうちの少なくとも１つの様態で前記非同期伝送パラメータ情報を取得するように構成された第１の取得モジュールを更に備える、請求項２１から２９のいずれか一項に記載の端末。
【請求項３１】
基地局であって、
非同期伝送パラメータ情報を決定するように構成された第２の決定ユニットであり、前記非同期伝送パラメータ情報が、物理リソース情報、変調符号化方式情報、及び物理リソースフレームフォーマット情報を含み、前記物理リソースフレームフォーマット情報が、物理リソースフレームの長さ情報を含む、第２の決定ユニットと、
非同期伝送フレームを用いることにより前記非同期伝送パラメータに従って端末により送信された第１のアップリンク情報を受信するように構成された第４の受信ユニットとを備える、基地局。
【請求項３２】
前記端末と当該基地局との間の無線リソース制御ＲＲＣ接続が接続状態にある場合、前記第１のアップリンク情報が、バッファステータスレポート、データ情報、又は端末識別子のうちの少なくとも１つを含むか、或いは、
前記端末と当該基地局との間の無線リソース制御ＲＲＣ接続がアイドル状態にある場合、前記第１のアップリンク情報が、ＲＲＣ接続リクエストメッセージ、データ情報、又は端末識別子のうちの少なくとも１つを含むか、或いは、
前記端末と当該基地局との間の無線リソース制御ＲＲＣ接続が再確立状態にある場合、前記第１のアップリンク情報が、ＲＲＣ接続再確立リクエストメッセージ、データ情報、バッファステータスレポート、又は端末識別子のうちの少なくとも１つを含む、請求項３１に記載の基地局。
【請求項３３】
前記非同期伝送パラメータ情報が、物理リソースを用いてデータを伝送する条件に関する情報を更に含み、
前記第４の受信ユニットが、
前記物理リソースを用いてデータを伝送する前記条件を満たすデータ情報に関して前記非同期伝送フレームのデータ伝送部を用いることにより送信された前記第１のアップリンク情報を受信するように構成された第４の受信モジュールを備える、請求項３１又は３２に記載の基地局。
【請求項３４】
前記物理リソースフレームの前記長さ情報が、
フレームヘッダ部、データ伝送部、又はフレームテール部のうちの少なくとも１つの長さ情報、及び／又は前記物理リソースフレームの全長情報を含む、請求項３１又は３２に記載の基地局。
【請求項３５】
前記非同期伝送パラメータ情報が、物理リソース使用期間を示すために用いられる期間情報を更に含む、請求項３１又は３２に記載の基地局。
【請求項３６】
前記非同期伝送フレームを用いることにより前記非同期伝送パラメータに従って前記端末により送信された前記第１のアップリンク情報が受信された後に、当該基地局が、
ダウンリンク情報を前記端末に送信するように構成された第５の送信ユニットであり、前記ダウンリンク情報が、アップリンクタイミング調整コマンド及び前記第１のアップリンク情報の肯定応答を含む、第５の送信ユニットを更に備え、
前記端末と当該基地局との間の前記無線リソース制御ＲＲＣ接続が接続状態にある場合、前記ダウンリンク情報が、同期アップリンクグラントメッセージ及び／又は前記端末の識別情報を更に含むか、或いは、
前記端末と当該基地局との間の前記無線リソース制御ＲＲＣ接続がアイドル状態にある場合、前記ダウンリンク情報が、ＲＲＣ接続確立メッセージを更に含むか、或いは、
前記端末と当該基地局との間の前記無線リソース制御ＲＲＣ接続が再確立状態にある場合、前記ダウンリンク情報が、同期アップリンクグラントメッセージ及び／又はＲＲＣ接続再確立メッセージを更に含む、請求項３２に記載の基地局。
【請求項３７】
前記ダウンリンク情報が前記端末に送信された後に、当該基地局が、
前記端末と当該基地局との間の前記無線リソース制御ＲＲＣ接続が接続状態にある場合、前記同期アップリンクグラントメッセージに従って前記端末により送信された第２のアップリンク情報を受信し、前記第２のアップリンク情報が前記データ情報を含むか、或いは、
前記端末と当該基地局との間の前記無線リソース制御ＲＲＣ接続がアイドル状態にある場合、前記ＲＲＣ接続確立メッセージに従って前記端末により送信された第２のアップリンク情報を受信し、前記第２のアップリンク情報がＲＲＣ接続確立完了メッセージを含むか、或いは、
前記端末と当該基地局との間の前記無線リソース制御ＲＲＣ接続が再確立された場合、前記ＲＲＣ接続再確立メッセージに従って前記端末により送信された第２のアップリンク情報を受信し、前記第２のアップリンク情報がＲＲＣ接続再確立完了メッセージ及び／又は前記データ情報を含む、ように構成された第５の受信ユニットを更に備える、請求項３６に記載の基地局。
【請求項３８】
前記非同期伝送フレームが、物理ランダムアクセスチャネルＰＲＡＣＨリソース部を更に含み、前記第４の受信ユニットが、
前記ＰＲＡＣＨリソース部を用いることにより前記端末により送信されたプリアンブルを受信するように構成された第５の受信モジュールと、
ランダムアクセス応答メッセージを前記端末に送信するように構成された第６の送信ユニットであり、前記ランダムアクセス応答メッセージが同期アップリンクグラント情報及びアップリンクタイミングアドバンス情報を含む、第６の送信ユニットと、
前記端末により送信された第２のアップリンク情報を受信するように構成された第６の受信ユニットであり、前記第２のアップリンク情報が前記データ情報を含む、第６の受信ユニットとを更に備える、請求項３１又は３２に記載の基地局。
【請求項３９】
当該基地局が、
ランダムアクセスチャネルＰＲＡＣＨリソースを用いることにより前記端末により送信されたプリアンブルを受信し、ただし前記物理ランダムアクセスチャネルＰＲＡＣＨリソース及び前記非同期伝送フレームが時間領域において位置合わせされており、
ランダムアクセス応答メッセージを前記端末に送信し、ただし前記ランダムアクセス応答メッセージが同期アップリンクグラント情報及びアップリンクタイミングアドバンス情報を含み、
前記端末により送信された第２のアップリンク情報を受信し、ただし前記第２のアップリンク情報が前記データ情報を含む、ように構成された第７の受信ユニットを更に備える、請求項３１又は３２に記載の基地局。
【請求項４０】
前記非同期伝送パラメータ情報が決定された後に、当該基地局が、
無線リソース制御ＲＲＣレイヤメッセージを送信する様態、媒体アクセス制御レイヤメッセージを送信する様態、物理レイヤメッセージを送信する様態、又はプロトコル予備設定の様態のうちの少なくとも１つの様態で前記非同期伝送パラメータ情報を前記端末に通知するように構成された通知ユニットを更に備える、請求項３１から３９のいずれか一項に記載の基地局。
【発明の詳細な説明】
【技術分野】
【０００１】
本発明は、通信分野、特に、非同期アップリンク伝送のための方法、端末、及び基地局に関する。
【背景技術】
【０００２】
一般的に、端末とネットワークとの間の同期は、主として、フレーム同期及び時間同期という２つのプロセスを含む。フレーム同期は、ダウンリンク同期を表す。時間同期は、アップリンク同期を表す。例えば、ＬＴＥ（Ｌｏｎｇ  Ｔｉｍｅ  Ｅｖｏｌｕｔｉｏｎ，ロングタームエボリューション）において、異なるＵＥ（Ｕｓｅｒ  Ｅｑｕｉｐｍｅｎｔ，ユーザ機器）のアップリンク信号がｅＮＢ（ｅｖｏｌｖｅｄ  Ｎｏｄｅ  Ｂ，進化型ノードＢ）に到達する時間は、ＵＥアップリンク信号間の干渉を抑えるために一致する必要がある。ＵＥが通話中に基地局から離れる方向に移動する場合、基地局から送信された信号は、「ますます遅れて」ＵＥに到達し、ＵＥの信号についても「ますます遅れて」基地局に到達する。遅延が大き過ぎると、基地局がＵＥの信号を受信している現在のタイムスロットが、基地局が別のＵＥ信号を受信する次のタイムスロットと重なって、コード間干渉が生じる。アップリンク伝送の時間的整合は、ＵＥ側でＴＡ（Ｔｉｍｉｎｇ  Ａｄｖａｎｃｅ，タイミングアドバンス）を適用することによって実現される。ＴＡによって、ＵＥは、信号を早期に送信可能となる場合がある。
【０００３】
従来技術において、ＵＥによるｅＮＢへの通信接続の確立は、コンテンションベースのランダムアクセスプロセス及び非コンテンションベースのランダムアクセスプロセスを含む。コンテンションベースのランダムアクセスプロセスは、下記のステップを含む。第１に、ＵＥがプリアンブルをランダムに選択し、利用可能なＰＲＡＣＨ（Ｐｈｙｓｉｃａｌ  Ｒａｎｄｏｍ  Ａｃｃｅｓｓ  Ｃｈａｎｎｅｌ，物理ランダムアクセスチャネル）リソース上でプリアンブルをｅＮＢに送信する。第２に、ＵＥにより送信されたプリアンブルを受信した後に、ｅＮＢは、ランダムアクセス応答（Ｒａｎｄｏｍ  Ａｃｃｅｓｓ  Ｒｅｓｐｏｎｓｅ，ランダムアクセス応答）ＲＡＲメッセージをＵＥに送信する。このメッセージは、アップリンクグラント情報及びＵＥアップリンクタイミングアドバンス情報を搬送する。第３に、ＵＥは、ＲＡＲにおけるアップリンクグラント及びタイミングアドバンス情報に従って、アップリンクメッセージをｅＮＢに送信する。アップリンクメッセージは、ＵＥを識別可能なコンテンツを含む。第４に、ｅＮＢは、コンテンション解決メッセージをＵＥに送信し、ＵＥは、コンテンション解決メッセージに従って、ランダムアクセスプロセスが成功して完了したかを判定する。非コンテンションベースのランダムアクセスプロセスは、下記のステップを含む。第１に、ｅＮＢがＵＥのための専用プリアンブルを設定し、任意選択として、プリアンブルを送信するためのＰＲＡＣＨリソースを設定する。第２に、ＵＥは、利用可能なＰＲＡＣＨリソース上で専用プリアンブルをｅＮＢに送信する。第３に、プリアンブルを受信した後に、ｅＮＢは、ランダムアクセス応答ＲＡＲメッセージをＵＥに送信する。このメッセージは、アップリンクグラント情報及びＵＥアップリンクタイミングアドバンス情報を搬送する。対応するランダムアクセス応答メッセージを受信した場合、ＵＥは、ランダムアクセスプロセスが成功して完了したものと考え、次のデータ受信及び送信プロセスを実行する。
【０００４】
ＵＥがＲＲＣ（Ｒａｄｉｏ  Ｒｅｓｏｕｒｃｅ  Ｃｏｎｔｒｏｌ，無線リソース制御）接続状態にあって、アップリンク同期を維持している場合、ＵＥは、アップリンクデータを送信することができる。ＵＥによるアップリンクデータの送信プロセスは一般的に、下記の通りである。ステップ１：ＵＥにおいてアップリンクデータが生まれると、特定の条件が満たされている場合は、ＢＳＲ（Ｂｕｆｆｅｒ  Ｓｔａｔｕｓ  Ｒｅｐｏｒｔ，バッファステータスレポート）が起動される。ＢＳＲを送信するためのアップリンクリソースがない場合は、ＳＲ（Ｓｃｈｅｄｕｌｉｎｇ  Ｒｅｑｕｅｓｔ，スケジューリングリクエスト）が起動される。ＳＲは、ＵＥのアップリンクデータがＢＳＲを起動しており、送信される必要があることを示している。ステップ２：ＳＲを受信した後に、ｅＮＢは、送信される必要があるアップリンクデータをＵＥが有する旨のみ判定することができるが、ＵＥによりバッファリングされたデータに関するその他の情報は一切分からない。ｅＮＢは、スケジューリングアルゴリズムに従ってアップリンクリソースをＵＥに割り当て、ＵＬ  Ｇｒａｎｔ（アップロードグラント，ｕｐｌｉｎｋ  ｇｒａｎｔ）をＵＥに送信することにより、ＵＥに割り当てられたアップリンクリソースを通知する。ステップ３：ＵＬ  Ｇｒａｎｔを受信した後に、ＵＥは、ＵＥに割り当てられたアップリンクリソース上でＢＳＲをｅＮＢに送信することにより、現在バッファリングされているアップリンクデータのボリュームをｅＮＢに通知する。ステップ４：ＢＳＲを受信した後に、ｅＮＢは、ＵＥのアップリンクデータボリュームを比較的正確に把握し、スケジューリングアルゴリズムに従って適正なアップリンクリソースをＵＥに割り当て、ＵＬ  Ｇｒａｎｔ（アップリンクグラント）をＵＥに送信することにより、ＵＥに割り当てられたアップリンクリソースを通知する。ステップ５：ＵＬ  Ｇｒａｎｔを受信した後に、ＵＥは、ＵＥに割り当てられたアップリンクリソース上でアップリンクデータの伝送を実行する。ただし、一部のＵＥは、専用のＳＲリソースを有していない。ＵＥが専用のＳＲリソースを有していない場合又はＵＥがアップリンク非同期状態にある場合、ＵＥは、ランダムアクセスプロセスを実行して、アップリンクデータ伝送リソースを要求する必要がある。ＵＥが送信されるべきアップリンクデータを有している場合、ＵＥはまず、リソースの要求又はＲＲＣ接続及びデータベアラの確立が必要となる。これにより、シグナリングオーバヘッド及び待ち時間が大幅に増大する。
【発明の概要】
【０００５】
本発明の実施形態は、端末及び基地局が非同期状態にある場合のアップリンクデータ伝送待ち時間及びシグナリングオーバヘッドを低減する非同期アップリンク伝送のための方法、端末、及び基地局を提供する。
【０００６】
本発明の実施形態の第１の態様は、非同期アップリンク伝送のための方法であって、
基地局のものと同じ非同期伝送パラメータ情報を取得するステップであり、非同期伝送パラメータ情報が、物理リソース情報、変調符号化方式情報、及び物理リソースフレームフォーマット情報を含み、物理リソースフレームフォーマット情報が、物理リソースフレームの長さ情報を含む、ステップと、
物理リソースフレームフォーマット情報に従って、非同期伝送フレームの長さを決定するステップと、
非同期伝送フレームを用いることにより、非同期伝送パラメータ情報に従って、第１のアップリンク情報を基地局に送信するステップとを含む、方法を提供する。
【０００７】
本発明の実施形態の第１の態様に関連して、本発明の実施形態の第１の態様の第１の実施様態において、基地局への無線リソース制御ＲＲＣ接続が接続状態にある場合、第１のアップリンク情報は、バッファステータスレポート、データ情報、又は端末識別子のうちの少なくとも１つを含むか、或いは、
基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含むか、或いは、
基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【０００８】
本発明の実施形態の第１の態様又は第１の態様の第１の実施様態に関連して、本発明の実施形態の第１の態様の第２の実施様態において、非同期伝送パラメータ情報は、物理リソースを用いてデータを伝送する条件に関する情報を更に含み、
非同期伝送フレームを用いることにより、非同期伝送パラメータ情報に従って、第１のアップリンク情報を基地局に送信するステップは、
物理リソースを用いてデータを伝送する条件を満たすデータ情報に関して、非同期伝送フレームのデータ伝送部を用いることにより、第１のアップリンク情報を基地局に送信するステップを含む。
【０００９】
本発明の実施形態の第１の態様又は第１の態様の第１の実施様態に関連して、本発明の実施形態の第１の態様の第３の実施様態において、物理リソースフレームの長さ情報は、
フレームヘッダ部、データ伝送部、又はフレームテール部のうちの少なくとも１つの長さ情報、及び／又は物理リソースフレームの全長情報を含む。
【００１０】
本発明の実施形態の第１の態様又は第１の態様の第１の実施様態に関連して、本発明の実施形態の第１の態様の第４の実施様態において、非同期伝送パラメータ情報は、物理リソース使用期間を示すために用いられる期間情報を更に含む。
【００１１】
本発明の実施形態の第１の態様の第１の実施様態に関連して、本発明の実施形態の第１の態様の第５の実施様態において、非同期伝送フレームを用いることにより、非同期伝送パラメータ情報に従って、第１のアップリンク情報を基地局に送信するステップの後に、当該方法は、
基地局により送信されたダウンリンク情報を受信するステップであり、ダウンリンク情報が、アップリンクタイミング調整コマンド及び第１のアップリンク情報の肯定応答を含む、ステップを更に含み、
基地局への無線リソース制御ＲＲＣ接続が接続状態にある場合、ダウンリンク情報は、同期アップリンクグラントメッセージ及び／又は端末の識別情報を更に含むか、或いは、
基地局への無線リソース制御ＲＲＣ接続がアイドル状態にある場合、ダウンリンク情報は、ＲＲＣ接続確立メッセージを更に含むか、或いは、
基地局への無線リソース制御ＲＲＣ接続が再確立された場合、ダウンリンク情報は、同期アップリンクグラントメッセージ及び／又はＲＲＣ接続再確立メッセージを更に含む。
【００１２】
本発明の実施形態の第１の態様の第５の実施様態に関連して、本発明の実施形態の第１の態様の第６の実施様態において、基地局により送信されたダウンリンク情報を受信するステップの後に、当該方法は、
基地局への無線リソース制御ＲＲＣ接続が接続状態にある場合、タイミング調整コマンドを適用し、タイミング調整タイマを開始し、同期アップリンクグラントメッセージに従って第２のアップリンク情報を基地局に送信するステップであり、第２のアップリンク情報がデータ情報を含む、ステップか、又は、
基地局への無線リソース制御ＲＲＣ接続がアイドル状態にある場合、ＲＲＣ接続確立メッセージに従って、第２のアップリンク情報を基地局に送信するステップであり、第２のアップリンク情報がＲＲＣ接続確立完了メッセージを含む、ステップか、又は、
基地局への無線リソース制御ＲＲＣ接続が再確立された場合、ＲＲＣ接続再確立メッセージに従って、第２のアップリンク情報を基地局に送信するステップであり、第２のアップリンク情報がＲＲＣ接続再確立完了メッセージ及び／又はデータ情報を含む、ステップを更に含む。
【００１３】
本発明の実施形態の第１の態様又は第１の態様の第１の実施様態に関連して、本発明の実施形態の第１の態様の第７の実施様態において、非同期伝送フレームは、物理ランダムアクセスチャネルＰＲＡＣＨリソース部を更に含み、非同期伝送フレームを用いることにより、非同期伝送パラメータ情報に従って、第１のアップリンク情報を基地局に送信するステップの前に、当該方法は、
プリアンブルを取得するステップを更に含み、
非同期伝送フレームを用いることにより、非同期伝送パラメータ情報に従って、第１のアップリンク情報を基地局に送信するステップは、
ＰＲＡＣＨリソース部を用いることにより、プリアンブルを基地局に送信するステップを更に含み、
ＰＲＡＣＨリソース部を用いることにより、プリアンブルを基地局に送信するステップの後に、当該方法は、
基地局により送信されたランダムアクセス応答メッセージを受信するステップであり、ランダムアクセス応答メッセージが同期アップリンクグラント情報及びアップリンクタイミングアドバンス情報を含む、ステップと、
ランダムアクセス応答メッセージを適用し、第２のアップリンク情報を基地局に送信するステップであり、第２のアップリンク情報がデータ情報を含む、ステップとを更に含む。
【００１４】
本発明の実施形態の第１の態様又は第１の態様の第１の実施様態に関連して、本発明の実施形態の第１の態様の第８の実施様態において、当該方法は、
プリアンブルを取得するステップと、
物理ランダムアクセスチャネルＰＲＡＣＨリソースを用いることにより、プリアンブルを基地局に送信するステップであり、物理ランダムアクセスチャネルＰＲＡＣＨリソース及び非同期伝送フレームが時間領域において位置合わせされている、ステップとを更に含み、
物理ランダムアクセスチャネルＰＲＡＣＨリソースを用いることにより、プリアンブルを基地局に送信するステップの後に、当該方法は、
基地局により送信されたランダムアクセス応答メッセージを受信するステップであり、ランダムアクセス応答メッセージが同期アップリンクグラント情報及びアップリンクタイミングアドバンス情報を含む、ステップと、
ランダムアクセス応答メッセージを適用し、第２のアップリンク情報を基地局に送信するステップであり、第２のアップリンク情報がデータ情報を含む、ステップとを更に含む。
【００１５】
本発明の実施形態の第１の態様又は第１の態様の第１の実施様態に関連して、本発明の実施形態の第１の態様の第９の実施様態において、基地局のものと同じ非同期伝送パラメータ情報を取得するステップは、
無線リソース制御ＲＲＣレイヤメッセージを受信する様態、媒体アクセス制御レイヤメッセージを受信する様態、物理レイヤメッセージを受信する様態、又はプロトコル予備設定の様態のうちの少なくとも１つの様態で非同期伝送パラメータ情報を取得するステップを含む。
【００１６】
本発明の実施形態の第２の態様は、非同期アップリンク伝送のための方法であって、
非同期伝送パラメータ情報を決定するステップであり、非同期伝送パラメータ情報が、物理リソース情報、変調符号化方式情報、及び物理リソースフレームフォーマット情報を含み、物理リソースフレームフォーマット情報が、物理リソースフレームの長さ情報を含む、ステップと、
非同期伝送フレームを用いることにより非同期伝送パラメータに従って端末により送信された第１のアップリンク情報を受信するステップとを含む、方法を提供する。
【００１７】
本発明の実施形態の第２の態様に関連して、本発明の実施形態の第２の態様の第１の実施様態において、端末と基地局との間の無線リソース制御ＲＲＣ接続が接続状態にある場合、第１のアップリンク情報は、バッファステータスレポート、データ情報、又は端末識別子のうちの少なくとも１つを含むか、或いは、
端末と基地局との間の無線リソース制御ＲＲＣ接続がアイドル状態にある場合、第１のアップリンク情報は、ＲＲＣ接続リクエストメッセージ、データ情報、又は端末識別子のうちの少なくとも１つを含むか、或いは、
端末と基地局との間の無線リソース制御ＲＲＣ接続が再確立状態にある場合、第１のアップリンク情報は、ＲＲＣ接続再確立リクエストメッセージ、データ情報、バッファステータスレポート、又は端末識別子のうちの少なくとも１つを含む。
【００１８】
本発明の実施形態の第２の態様又は第２の態様の第１の実施様態に関連して、本発明の実施形態の第２の態様の第２の実施様態において、非同期伝送パラメータ情報は、物理リソースを用いてデータを伝送する条件に関する情報を更に含み、
非同期伝送フレームを用いることにより非同期伝送パラメータに従って端末により送信された第１のアップリンク情報を受信するステップは、
物理リソースを用いてデータを伝送する条件を満たすデータ情報に関して非同期伝送フレームのデータ伝送部を用いることにより送信された第１のアップリンク情報を受信するステップを含む。
【００１９】
本発明の実施形態の第２の態様又は第２の態様の第１の実施様態に関連して、本発明の実施形態の第２の態様の第３の実施様態において、物理リソースフレームの長さ情報は、
フレームヘッダ部、データ伝送部、又はフレームテール部のうちの少なくとも１つの長さ情報、及び／又は物理リソースフレームの全長情報を含む。
【００２０】
本発明の実施形態の第２の態様又は第２の態様の第１の実施様態に関連して、本発明の実施形態の第２の態様の第４の実施様態において、非同期伝送パラメータ情報は、物理リソース使用期間を示すために用いられる期間情報を更に含む。
【００２１】
本発明の実施形態の第２の態様の第１の実施様態に関連して、本発明の実施形態の第２の態様の第５の実施様態において、非同期伝送フレームを用いることにより非同期伝送パラメータに従って端末により送信された第１のアップリンク情報を受信するステップの後に、当該方法は、
ダウンリンク情報を端末に送信するステップであり、ダウンリンク情報が、アップリンクタイミング調整コマンド及び第１のアップリンク情報の肯定応答を含む、ステップを更に含み、
端末と基地局との間の無線リソース制御ＲＲＣ接続が接続状態にある場合、ダウンリンク情報は、同期アップリンクグラントメッセージ及び／又は端末の識別情報を更に含むか、或いは、
端末と基地局との間の無線リソース制御ＲＲＣ接続がアイドル状態にある場合、ダウンリンク情報は、ＲＲＣ接続確立メッセージを更に含むか、或いは、
端末と基地局との間の無線リソース制御ＲＲＣ接続が再確立状態にある場合、ダウンリンク情報は、同期アップリンクグラントメッセージ及び／又はＲＲＣ接続再確立メッセージを更に含む。
【００２２】
本発明の実施形態の第２の態様の第５の実施様態に関連して、本発明の実施形態の第２の態様の第６の実施様態において、ダウンリンク情報を端末に送信するステップの後に、当該方法は、
端末と基地局との間の無線リソース制御ＲＲＣ接続が接続状態にある場合、同期アップリンクグラントメッセージに従って端末により送信された第２のアップリンク情報を受信するステップであり、第２のアップリンク情報がデータ情報を含む、ステップか、又は、
端末と基地局との間の無線リソース制御ＲＲＣ接続がアイドル状態にある場合、ＲＲＣ接続確立メッセージに従って端末により送信された第２のアップリンク情報を受信するステップであり、第２のアップリンク情報がＲＲＣ接続確立完了メッセージを含む、ステップか、又は、
端末と基地局との間の無線リソース制御ＲＲＣ接続が再確立された場合、ＲＲＣ接続再確立メッセージに従って端末により送信された第２のアップリンク情報を受信するステップであり、第２のアップリンク情報がＲＲＣ接続再確立完了メッセージ及び／又はデータ情報を含む、ステップを更に含む。
【００２３】
本発明の実施形態の第２の態様又は第２の態様の第１の実施様態に関連して、本発明の実施形態の第２の態様の第７の実施様態において、非同期伝送フレームは、物理ランダムアクセスチャネルＰＲＡＣＨリソース部を更に含み、非同期伝送フレームを用いることにより非同期伝送パラメータに従って端末により送信された第１のアップリンク情報を受信するステップは、
ＰＲＡＣＨリソース部を用いることにより端末により送信されたプリアンブルを受信するステップと、
ランダムアクセス応答メッセージを端末に送信するステップであり、ランダムアクセス応答メッセージが同期アップリンクグラント情報及びアップリンクタイミングアドバンス情報を含む、ステップと、
端末により送信された第２のアップリンク情報を受信するステップであり、第２のアップリンク情報がデータ情報を含む、ステップとを更に含む。
【００２４】
本発明の実施形態の第２の態様又は第２の態様の第１の実施様態に関連して、本発明の実施形態の第２の態様の第８の実施様態において、当該方法は、
ランダムアクセスチャネルＰＲＡＣＨリソースを用いることにより端末により送信されたプリアンブルを受信するステップであり、物理ランダムアクセスチャネルＰＲＡＣＨリソース及び非同期伝送フレームが時間領域において位置合わせされている、ステップと、
ランダムアクセス応答メッセージを端末に送信するステップであり、ランダムアクセス応答メッセージが同期アップリンクグラント情報及びアップリンクタイミングアドバンス情報を含む、ステップと、
端末により送信された第２のアップリンク情報を受信するステップであり、第２のアップリンク情報がデータ情報を含む、ステップとを更に含む。
【００２５】
本発明の実施形態の第２の態様又は第２の態様の第１の実施様態に関連して、本発明の実施形態の第２の態様の第９の実施様態において、非同期伝送パラメータ情報を決定するステップの後に、当該方法は、
無線リソース制御ＲＲＣレイヤメッセージを送信する様態、媒体アクセス制御レイヤメッセージを送信する様態、物理レイヤメッセージを送信する様態、又はプロトコル予備設定の様態のうちの少なくとも１つの様態で非同期伝送パラメータ情報を端末に通知するステップを更に含む。
【００２６】
本発明の実施形態の第３の態様は、端末であって、
基地局のものと同じ非同期伝送パラメータ情報を取得するように構成された第１の取得ユニットであり、非同期伝送パラメータ情報が、物理リソース情報、変調符号化方式情報、及び物理リソースフレームフォーマット情報を含み、物理リソースフレームフォーマット情報が、物理リソースフレームの長さ情報を含む、第１の取得ユニットと、
物理リソースフレームフォーマット情報に従って、非同期伝送フレームの長さを決定するように構成された第１の決定ユニットと、
非同期伝送フレームを用いることにより、非同期伝送パラメータ情報に従って、第１のアップリンク情報を基地局に送信するように構成された第１の送信ユニットとを含む、端末を提供する。
【００２７】
本発明の実施形態の第３の態様に関連して、本発明の実施形態の第３の態様の第１の実施様態において、基地局への無線リソース制御ＲＲＣ接続が接続状態にある場合、第１のアップリンク情報は、バッファステータスレポート、データ情報、又は端末識別子のうちの少なくとも１つを含むか、或いは、
基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含むか、或いは、
基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【００２８】
本発明の実施形態の第３の態様又は第３の態様の第１の実施様態に関連して、本発明の実施形態の第３の態様の第２の実施様態において、非同期伝送パラメータ情報は、物理リソースを用いてデータを伝送する条件に関する情報を更に含み、
第１の送信ユニットは、
物理リソースを用いてデータを伝送する条件を満たすデータ情報に関して、データ伝送部を用いることにより、第１のアップリンク情報を基地局に送信するように構成された第１の送信モジュールを含む。
【００２９】
本発明の実施形態の第３の態様又は第３の態様の第１の実施様態に関連して、本発明の実施形態の第３の態様の第３の実施様態において、物理リソースフレームの長さ情報は、
フレームヘッダ部、データ伝送部、又はフレームテール部のうちの少なくとも１つの長さ情報、及び／又は物理リソースフレームの全長情報を含む。
【００３０】
本発明の実施形態の第３の態様又は第３の態様の第１の実施様態に関連して、本発明の実施形態の第３の態様の第４の実施様態において、非同期伝送パラメータ情報は、物理リソース使用期間を示すために用いられる期間情報を更に含む。
【００３１】
本発明の実施形態の第３の態様の第２の実施様態に関連して、本発明の実施形態の第３の態様の第５の実施様態において、非同期伝送フレームを用いることにより、非同期伝送パラメータ情報に従って、第１のアップリンク情報が基地局に送信された後に、当該端末は、
基地局により送信されたダウンリンク情報を受信するように構成された第１の受信ユニットであり、ダウンリンク情報が、アップリンクタイミング調整コマンド及び第１のアップリンク情報の肯定応答を含む、第１の受信ユニットを更に含み、
基地局への無線リソース制御ＲＲＣ接続が接続状態にある場合、ダウンリンク情報は、同期アップリンクグラントメッセージ及び／又は端末の識別情報を更に含むか、或いは、
基地局への無線リソース制御ＲＲＣ接続がアイドル状態にある場合、ダウンリンク情報は、ＲＲＣ接続確立メッセージを更に含むか、或いは、
基地局への無線リソース制御ＲＲＣ接続が再確立された場合、ダウンリンク情報は、同期アップリンクグラントメッセージ及び／又はＲＲＣ接続再確立メッセージを更に含む。
【００３２】
本発明の実施形態の第３の態様の第５の実施様態に関連して、本発明の実施形態の第３の態様の第６の実施様態において、基地局により送信されたダウンリンク情報が受信された後に、当該端末は、
基地局への無線リソース制御ＲＲＣ接続が接続状態にある場合、タイミング調整コマンドを適用し、タイミング調整タイマを開始するように構成された第１の適用ユニットと、
基地局への無線リソース制御ＲＲＣ接続が接続状態にある場合、同期アップリンクグラントメッセージに従って第２のアップリンク情報を基地局に送信し、第２のアップリンク情報がデータ情報を含むか、或いは、
基地局への無線リソース制御ＲＲＣ接続がアイドル状態にある場合、ＲＲＣ接続確立メッセージに従って、第２のアップリンク情報を基地局に送信し、第２のアップリンク情報がＲＲＣ接続確立完了メッセージを含むか、或いは、
基地局への無線リソース制御ＲＲＣ接続が再確立された場合、ＲＲＣ接続再確立メッセージに従って、第２のアップリンク情報を基地局に送信し、第２のアップリンク情報がＲＲＣ接続再確立完了メッセージ及び／又はデータ情報を含む、ように構成された第２の送信ユニットとを更に含む。
【００３３】
本発明の実施形態の第３の態様又は第３の態様の第１の実施様態に関連して、本発明の実施形態の第３の態様の第７の実施様態において、非同期伝送フレームは、物理ランダムアクセスチャネルＰＲＡＣＨリソース部を更に含み、非同期伝送フレームを用いることにより、非同期伝送パラメータ情報に従って、第１のアップリンク情報が基地局に送信される前に、当該端末は、
プリアンブルを取得するように構成された第２の取得ユニットを更に含み、
第１の送信ユニットは、
ＰＲＡＣＨリソース部を用いることにより、プリアンブルを基地局に送信するように構成された第２の送信モジュールを更に含み、
ＰＲＡＣＨリソース部を用いることにより、プリアンブルが基地局に送信された後に、当該端末は、
基地局により送信されたランダムアクセス応答メッセージを受信するように構成された第２の受信ユニットであり、ランダムアクセス応答メッセージが同期アップリンクグラント情報及びアップリンクタイミングアドバンス情報を含む、第２の受信ユニットと、
ランダムアクセス応答メッセージを適用するように構成された第２の適用ユニットと、
第２のアップリンク情報を基地局に送信するように構成された第３の送信ユニットであり、第２のアップリンク情報がデータ情報を含む、第３の送信ユニットとを更に含む。
【００３４】
本発明の実施形態の第３の態様又は第３の態様の第１の実施様態に関連して、本発明の実施形態の第３の態様の第８の実施様態において、当該端末は、
プリアンブルを取得するように構成された第３の取得ユニットを更に含み、
第１の送信モジュールは、
物理ランダムアクセスチャネルＰＲＡＣＨリソースを用いることにより、プリアンブルを基地局に送信するように構成された第３の送信モジュールであり、物理ランダムアクセスチャネルＰＲＡＣＨリソース及び非同期伝送フレームが時間領域において位置合わせされている、第３の送信モジュールを更に含み、
物理ランダムアクセスチャネルＰＲＡＣＨリソースを用いることにより、プリアンブルが基地局に送信された後に、当該端末は、
基地局により送信されたランダムアクセス応答メッセージを受信するように構成された第３の受信ユニットであり、ランダムアクセス応答メッセージが同期アップリンクグラント情報及びアップリンクタイミングアドバンス情報を含む、第３の受信ユニットと、
ランダムアクセス応答メッセージを適用するように構成された第３の適用ユニットと、
第２のアップリンク情報を基地局に送信するように構成された第４の送信ユニットであり、第２のアップリンク情報がデータ情報を含む、第４の送信ユニットとを更に含む。
【００３５】
本発明の実施形態の第３の態様又は第３の態様の第１の実施様態に関連して、本発明の実施形態の第３の態様の第９の実施様態において、第１の取得ユニットは、
無線リソース制御ＲＲＣレイヤメッセージを受信する様態、媒体アクセス制御レイヤメッセージを受信する様態、物理レイヤメッセージを受信する様態、又はプロトコル予備設定の様態のうちの少なくとも１つの様態で非同期伝送パラメータ情報を取得するように構成された第１の取得モジュールを更に含む。
【００３６】
本発明の実施形態の第４の態様は、基地局であって、
非同期伝送パラメータ情報を決定するように構成された第２の決定ユニットであり、非同期伝送パラメータ情報が、物理リソース情報、変調符号化方式情報、及び物理リソースフレームフォーマット情報を含み、物理リソースフレームフォーマット情報が、物理リソースフレームの長さ情報を含む、第２の決定ユニットと、
非同期伝送フレームを用いることにより非同期伝送パラメータに従って端末により送信された第１のアップリンク情報を受信するように構成された第４の受信ユニットとを含む、基地局を提供する。
【００３７】
本発明の実施形態の第４の態様に関連して、本発明の実施形態の第４の態様の第１の実施様態において、端末と当該基地局との間の無線リソース制御ＲＲＣ接続が接続状態にある場合、第１のアップリンク情報は、バッファステータスレポート、データ情報、又は端末識別子のうちの少なくとも１つを含むか、或いは、
端末と当該基地局との間の無線リソース制御ＲＲＣ接続がアイドル状態にある場合、第１のアップリンク情報は、ＲＲＣ接続リクエストメッセージ、データ情報、又は端末識別子のうちの少なくとも１つを含むか、或いは、
端末と当該基地局との間の無線リソース制御ＲＲＣ接続が再確立状態にある場合、第１のアップリンク情報は、ＲＲＣ接続再確立リクエストメッセージ、データ情報、バッファステータスレポート、又は端末識別子のうちの少なくとも１つを含む。
【００３８】
本発明の実施形態の第４の態様又は第４の態様の第１の実施様態に関連して、本発明の実施形態の第４の態様の第２の実施様態において、非同期伝送パラメータ情報は、物理リソースを用いてデータを伝送する条件に関する情報を更に含み、
第４の受信ユニットは、
物理リソースを用いてデータを伝送する条件を満たすデータ情報に関して非同期伝送フレームのデータ伝送部を用いることにより送信された第１のアップリンク情報を受信するように構成された第４の受信モジュールを含む。
【００３９】
本発明の実施形態の第４の態様又は第４の態様の第１の実施様態に関連して、本発明の実施形態の第４の態様の第３の実施様態において、物理リソースフレームの長さ情報は、
フレームヘッダ部、データ伝送部、又はフレームテール部のうちの少なくとも１つの長さ情報、及び／又は物理リソースフレームの全長情報を含む。
【００４０】
本発明の実施形態の第４の態様又は第４の態様の第１の実施様態に関連して、本発明の実施形態の第４の態様の第４の実施様態において、非同期伝送パラメータ情報は、物理リソース使用期間を示すために用いられる期間情報を更に含む。
【００４１】
本発明の実施形態の第４の態様の第１の実施様態に関連して、本発明の実施形態の第４の態様の第５の実施様態において、非同期伝送フレームを用いることにより非同期伝送パラメータに従って端末により送信された第１のアップリンク情報が受信された後に、当該基地局は、
ダウンリンク情報を端末に送信するように構成された第５の送信ユニットであり、ダウンリンク情報が、アップリンクタイミング調整コマンド及び第１のアップリンク情報の肯定応答を含む、第５の送信ユニットを更に含み、
端末と当該基地局との間の無線リソース制御ＲＲＣ接続が接続状態にある場合、ダウンリンク情報は、同期アップリンクグラントメッセージ及び／又は端末の識別情報を更に含むか、或いは、
端末と当該基地局との間の無線リソース制御ＲＲＣ接続がアイドル状態にある場合、ダウンリンク情報は、ＲＲＣ接続確立メッセージを更に含むか、或いは、
端末と当該基地局との間の無線リソース制御ＲＲＣ接続が再確立状態にある場合、ダウンリンク情報は、同期アップリンクグラントメッセージ及び／又はＲＲＣ接続再確立メッセージを更に含む。
【００４２】
本発明の実施形態の第４の態様の第５の実施様態に関連して、本発明の実施形態の第４の態様の第６の実施様態において、ダウンリンク情報が端末に送信された後に、当該基地局は、
端末と当該基地局との間の無線リソース制御ＲＲＣ接続が接続状態にある場合、同期アップリンクグラントメッセージに従って端末により送信された第２のアップリンク情報を受信し、第２のアップリンク情報がデータ情報を含むか、或いは、
端末と当該基地局との間の無線リソース制御ＲＲＣ接続がアイドル状態にある場合、ＲＲＣ接続確立メッセージに従って端末により送信された第２のアップリンク情報を受信し、第２のアップリンク情報がＲＲＣ接続確立完了メッセージを含むか、或いは、
端末と当該基地局との間の無線リソース制御ＲＲＣ接続が再確立された場合、ＲＲＣ接続再確立メッセージに従って端末により送信された第２のアップリンク情報を受信し、第２のアップリンク情報がＲＲＣ接続再確立完了メッセージ及び／又はデータ情報を含む、ように構成された第５の受信ユニットを更に含む。
【００４３】
本発明の実施形態の第４の態様又は第４の態様の第１の実施様態に関連して、本発明の実施形態の第４の態様の第７の実施様態において、非同期伝送フレームは、物理ランダムアクセスチャネルＰＲＡＣＨリソース部を更に含み、第４の受信ユニットは、
ＰＲＡＣＨリソース部を用いることにより端末により送信されたプリアンブルを受信するように構成された第５の受信モジュールと、
ランダムアクセス応答メッセージを端末に送信するように構成された第６の送信ユニットであり、ランダムアクセス応答メッセージが同期アップリンクグラント情報及びアップリンクタイミングアドバンス情報を含む、第６の送信ユニットと、
端末により送信された第２のアップリンク情報を受信するように構成された第６の受信ユニットであり、第２のアップリンク情報がデータ情報を含む、第６の受信ユニットとを更に含む。
【００４４】
本発明の実施形態の第４の態様又は第４の態様の第１の実施様態に関連して、本発明の実施形態の第４の態様の第８の実施様態において、当該基地局は、
ランダムアクセスチャネルＰＲＡＣＨリソースを用いることにより端末により送信されたプリアンブルを受信し、ただし物理ランダムアクセスチャネルＰＲＡＣＨリソース及び非同期伝送フレームが時間領域において位置合わせされており、
ランダムアクセス応答メッセージを端末に送信し、ただしランダムアクセス応答メッセージが同期アップリンクグラント情報及びアップリンクタイミングアドバンス情報を含み、
端末により送信された第２のアップリンク情報を受信し、ただし第２のアップリンク情報がデータ情報を含む、ように構成された第７の受信ユニットを更に含む。
【００４５】
本発明の実施形態の第４の態様又は第４の態様の第１の実施様態に関連して、本発明の実施形態の第４の態様の第９の実施様態において、非同期伝送パラメータ情報が決定された後に、当該基地局は、
無線リソース制御ＲＲＣレイヤメッセージを送信する様態、媒体アクセス制御レイヤメッセージを送信する様態、物理レイヤメッセージを送信する様態、又はプロトコル予備設定の様態のうちの少なくとも１つの様態で非同期伝送パラメータ情報を端末に通知するように構成された通知ユニットを更に含む。
【００４６】
本発明の実施形態の第２の態様は、を含んでいる、を提供する。
【００４７】
本発明の実施形態は、端末及び基地局が非同期状態にある場合のアップリンクデータ伝送待ち時間及びシグナリングオーバヘッドを低減する非同期アップリンク伝送のための方法を提供する。この方法は、基地局のものと同じ非同期伝送パラメータ情報を取得するステップであり、非同期伝送パラメータ情報が、物理リソース情報、変調符号化方式情報、及び物理リソースフレームフォーマット情報を含み、物理リソースフレームフォーマット情報が、物理リソースフレームの長さ情報を含む、ステップと、物理リソースフレームフォーマット情報に従って、非同期伝送フレームの長さを決定するステップと、非同期伝送フレームを用いることにより、非同期伝送パラメータ情報に従って、第１のアップリンク情報を基地局に送信するステップとを含む。端末により取得された非同期伝送パラメータ情報は、基地局のものと同じであるため、端末により決定された非同期伝送フレームの長さは、基地局により決定されたものと同じになる。したがって、非同期状態であっても、非同期伝送フレームを用いることにより、非同期伝送パラメータ情報に従って、端末が第１のアップリンク情報を基地局に送信する場合、シグナリングを用いてＲＲＣ接続を最初に確立することなく、基地局は依然として第１のアップリンク情報を受信し、データのアップリンク伝送を実現することができる。このようにして、非同期状態におけるアップリンクデータ伝送待ち時間及びシグナリングオーバヘッドが低減される。
【００４８】
本発明の実施形態又は従来技術における技術的解決手段をより明確に説明するために、下記は、実施形態又は従来技術の説明に必要な添付の図面を簡単に説明する。当然のことながら、下記の説明における添付の図面は、本発明のいくつかの実施形態を示しているに過ぎず、当業者であれば、創意工夫なく、これら添付の図面から他の図面を導き出すことができる。
【図面の簡単な説明】
【００４９】
【図１】本発明の一実施形態による、非同期アップリンク伝送のための端末の一実施形態の模式図である。
【図２】本発明の一実施形態による、非同期アップリンク伝送のための端末の別の実施形態の模式図である。
【図３】本発明の一実施形態による、非同期アップリンク伝送のための端末の別の実施形態の模式図である。
【図４】本発明の一実施形態による、非同期アップリンク伝送のための基地局の一実施形態の模式図である。
【図５】本発明の一実施形態による、非同期アップリンク伝送のための基地局の別の実施形態の模式図である。
【図６】本発明の一実施形態による、非同期アップリンク伝送のための基地局の別の実施形態の模式図である。
【図７】本発明の一実施形態による、非同期アップリンク伝送のための端末の別の実施形態の模式図である。
【図８】本発明の一実施形態による、非同期アップリンク伝送のための基地局の別の実施形態の模式図である。
【図９】本発明の一実施形態による、非同期アップリンク伝送のための方法の一実施形態の模式図である。
【図１０】本発明の一実施形態による、非同期アップリンク伝送のための方法の一実施形態の模式図である。
【図１１】本発明の一実施形態による、非同期アップリンク伝送のための方法の一実施形態の模式図である。
【図１２】本発明の一実施形態による、非同期アップリンク伝送のための方法の一実施形態の模式図である。
【図１３】本発明の一実施形態による、非同期アップリンク伝送のための方法の一実施形態の模式図である。
【図１４】本発明の一実施形態による、非同期アップリンク伝送のための方法の一実施形態の模式図である。
【図１５】本発明の一実施形態による、非同期アップリンク伝送のための方法の適用シナリオの一実施形態の模式図である。
【発明を実施するための形態】
【００５０】
本発明の実施形態は、端末及び基地局が非同期状態にある場合のアップリンクデータ伝送待ち時間及びシグナリングオーバヘッドを低減する非同期アップリンク伝送のための方法、端末及び基地局を提供する。
【００５１】
下記は、本発明の実施形態の添付の図面を参照して、本発明の実施形態の技術的解決手段を明確且つ十分に説明する。当然のことながら、説明された実施形態は、本発明の実施形態の一部に過ぎず、そのすべてではない。創意工夫なく本発明の実施形態に基づいて当業者により得られる他のすべての実施形態についても、本発明の保護範囲に含まれるものとする。
【００５２】
図１を参照すると、本発明の一実施形態による端末の一実施形態は、下記のユニットを含む。
【００５３】
第１の取得ユニット７０１は、基地局のものと同じ非同期伝送パラメータ情報を取得するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。
【００５４】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。非同期伝送を実現するために、非同期伝送パラメータは、物理リソースフレームの長さ情報を更に含む必要がある。
【００５５】
第１の決定ユニット７０２は、物理リソースフレームフォーマット情報に従って、非同期伝送フレームの長さを決定するように構成されている。非同期伝送フレームは、フレームヘッダ部、データ伝送部、及びフレームテール部を含む。
【００５６】
端末は、物理リソースフレームの長さ情報に従って、非同期伝送フレームを設定する。非同期伝送フレームの長さは、端末と基地局との間の非同期伝送により必要とされる長さである。
【００５７】
第１の送信ユニット７０３は、非同期伝送フレームを用いることにより、非同期伝送パラメータ情報に従って、第１のアップリンク情報を基地局に送信するように構成されている。
【００５８】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。
【００５９】
本発明の本実施形態においては、基地局のものと同じ非同期伝送パラメータ情報が取得される。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送フレームの長さは、物理リソースフレームフォーマット情報に従って決定される。非同期伝送フレームを用いることにより、非同期伝送パラメータ情報に従って、第１のアップリンク情報が基地局に送信される。端末により取得された非同期伝送パラメータ情報は、基地局のものと同じであるため、端末により決定された非同期伝送フレームの長さは、基地局により決定されたものと同じになる。したがって、非同期状態であっても、非同期伝送フレームを用いることにより、非同期伝送パラメータ情報に従って、端末が第１のアップリンク情報を基地局に送信する場合、シグナリングを用いてＲＲＣ接続を最初に確立することなく、基地局は依然として第１のアップリンク情報を受信し、データのアップリンク伝送を実現することができる。このようにして、非同期状態におけるアップリンクデータ伝送待ち時間及びシグナリングオーバヘッドが低減される。
【００６０】
上記実施形態において説明されたように、端末は、基地局により送信された非同期伝送パラメータ情報を受信する。非同期伝送パラメータ情報は、物理リソース情報、変調符号化方式情報、及び物理リソースフレームの長さ情報を含む。端末は、非同期伝送フレームを設定して、この非同期伝送フレームを用いることにより、非同期伝送パラメータ情報に従って、第１のアップリンク情報を基地局に送信する。実際の用途においては、端末と基地局との間の接続の状態に従って、第１のアップリンク情報の具体的な内容が決定されてもよい。非同期伝送パラメータ情報は、物理リソースを用いてデータを伝送する条件に関する情報を更に含む。物理リソースの長さ情報は物理フレームの特定の部分であってもよい。非同期伝送パラメータは、期間情報を更に含んでいてもよい。端末は、基地局により送信されたダウンリンク情報を受信して、第２のアップリンク情報を基地局に送信してもよい。具体的な説明は、下記で与えられる。図２を参照すると、本発明の一実施形態による端末の別の実施形態は、下記のユニットを含む。
【００６１】
第１の取得ユニット８０１は、基地局のものと同じ非同期伝送パラメータ情報を取得するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【００６２】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｉｍｅ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【００６３】
基地局により非同期データ伝送パラメータを決定する方法は、下記のように実現されてもよい。パラメータは、ブロードキャストメッセージ又は専用ＲＲＣメッセージ等のＲＲＣメッセージを用いることにより、半静的に設定される。或いは、パラメータは、ＭＡＣ  ＣＥ又はＰＤＣＣＨシグナリング等のＭＡＣレイヤ又は物理レイヤメッセージを用いることにより、動的に設定される。或いは、パラメータは、ＲＲＣメッセージ、及びＭＡＣレイヤ又は物理レイヤメッセージを用いることにより設定される。ＲＲＣメッセージを用いることにより一部のパラメータが通知され、ＭＡＣレイヤ又は物理レイヤメッセージを用いることによりその他のメッセージが通知される。或いは、プロトコルを用いることにより、物理リソースフレームの長さ情報等の一部のパラメータが固定され、その他のパラメータは、上記様態で端末に通知される。任意選択として、非同期伝送パラメータは、１つ又は複数のメッセージを用いることにより、端末に送信されてもよい。非同期伝送パラメータは、１つの端末だけで用いられてもよいし、複数の端末により共有されてもよい。本明細書においては、これに限定されない。
【００６４】
第１の決定ユニット８０２は、物理リソースフレームフォーマット情報に従って、非同期伝送フレームの長さを決定するように構成されている。非同期伝送フレームは、フレームヘッダ部、データ伝送部、及びフレームテール部を含む。
【００６５】
端末は、物理リソースフレームの長さ情報に従って、非同期伝送フレームを設定する。非同期伝送フレームの長さは、端末と基地局との間の非同期伝送により必要とされる長さである。任意選択として、複数の非同期伝送フレームフォーマットが更に予備設定されてもよい。各非同期伝送フレームフォーマットは識別子に対応する。また、非同期伝送パラメータ情報における物理リソースフレームの長さ情報は識別子であってもよい。端末は、識別子に従って特定の使用される非同期伝送フレームフォーマットを決定し、非同期伝送フレームの長さを決定する。
【００６６】
第１の送信ユニット８０３は、物理リソースを用いてデータを伝送する条件を満たすデータ情報に関して、非同期伝送フレームのデータ伝送部を用いることにより、第１のアップリンク情報を基地局に送信するように構成された第１の送信モジュール８０３１を含む。基地局への無線リソース制御ＲＲＣ接続が接続状態にある場合、第１のアップリンク情報は、バッファステータスレポート、データ情報、又は端末識別子のうちの少なくとも１つを含む。或いは、基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含む。或いは、基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【００６７】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。データ伝送部を用いることにより、物理リソースを用いてデータを伝送する条件を満たすデータ情報を伝送することは、近い時間における別の端末のデータへの干渉が発生することを回避することができる。端末は、基地局へのＲＲＣ接続の様々な状態に従って、第１のアップリンク情報の内容を決定してもよい。端末がＲＲＣ接続状態にある場合、端末は、バッファステータスレポートを直接送信して、アップリンク伝送を要する端末のデータのボリュームを示してもよく、さらに、データ情報及び端末識別子に関するアップリンク伝送を直接実行してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。端末がＲＲＣアイドル状態にある場合、端末は、ＲＲＣ接続リクエストメッセージを送信してもよいし、データ情報を直接送信してもよい。端末がＲＲＣ接続再確立状態にある場合、端末は、ＲＲＣ接続再確立リクエストメッセージを送信してもよいし、データ情報及びバッファステータスレポートを直接送信してもよい。
【００６８】
第１の受信ユニット８０４は、基地局により送信されたダウンリンク情報を受信するように構成されている。ダウンリンク情報は、アップリンクタイミング調整コマンド及び第１のアップリンク情報の肯定応答を含む。基地局への無線リソース制御ＲＲＣ接続が接続状態にある場合、ダウンリンク情報は、同期アップリンクグラントメッセージ及び／又は端末の識別情報を更に含む。或いは、基地局への無線リソース制御ＲＲＣ接続がアイドル状態にある場合、ダウンリンク情報は、ＲＲＣ接続確立メッセージを更に含む。或いは、基地局への無線リソース制御ＲＲＣ接続が再確立された場合、ダウンリンク情報は、同期アップリンクグラントメッセージ及び／又はＲＲＣ接続再確立メッセージを更に含む。
【００６９】
一般的に、アップリンクタイミング調整コマンドにおける調整値は、基地局が第１のアップリンク情報を受信するタイミングと受信ウィンドウとの間の偏差値に従って決定される。例えば、基地局が受信ウィンドウよりもΔＴ、例えば１μｓ、遅く第１のアップリンク情報を受信する場合、基地局によりアップリンクタイミング調整コマンドに加算される調整値はΔＴである。調整値を受信した後に、端末は、次のデータ伝送プロセスにおいて値ΔＴを使用する。本明細書においては、これに限定されない。
【００７０】
基地局は、端末への接続の状態に従って、ダウンリンク情報の内容を決定してもよい。基地局がＲＲＣ接続状態にある場合、基地局は、同期アップリンクグラントメッセージを送信して、端末にアップリンクデータを送信するように指示してもよい。端末は、端末識別子を更に送信してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。基地局がＲＲＣアイドル状態にある場合、基地局は、ＲＲＣ接続確立メッセージを送信して、端末に基地局へのＲＲＣ接続を確立するように指示してもよい。基地局がＲＲＣ接続再確立状態にある場合、基地局は、ＲＲＣ接続再確立メッセージを送信して、端末に基地局へのＲＲＣ接続を再確立するように指示してもよく、さらに、同期アップリンクグラントメッセージを送信して、端末にアップリンクデータを送信するように指示してもよい。
【００７１】
任意選択として、ダウンリンク情報は、Ａ−ＰＵＳＣＨ−ＲＮＴＩ（Ａｓｙｎｃｈｒｏｎｏｕｓ  Ｐｈｙｓｉｃａｌ  Ｕｐｌｉｎｋ  Ｓｈａｒｅｄ  Ｃｈａｎｎｅｌ  Ｒａｄｉｏ  Ｎｅｔｗｏｒｋ  Ｔｅｍｐｏｒａｒｙ  Ｉｄｅｎｔｉｆｉｅｒ，非同期物理アップリンク共有チャネル無線ネットワーク一時識別子）又はＣ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）を用いてマスクされる。具体的には、ＵＥがＣ−ＲＮＴＩをアップリンク情報に追加した場合、ダウンリンク情報は、Ｃ−ＲＮＴＩを用いてマスクされてもよい。ＵＥがＡ−ＰＵＳＣＨ−ＲＮＴＩをアップリンク情報に追加した場合、ダウンリンク情報は、Ａ−ＰＵＳＣＨ−ＲＮＴＩを用いてマスクされてもよい。
【００７２】
或いは、ダウンリンク情報は、第１のアップリンク情報の否定応答を含む。第１のアップリンク情報の否定応答を含むダウンリンク情報を端末が受信した後に、端末は、ランダムアクセスプロセスを開始するか、又は、新しい非同期伝送フレームを用いることにより、第１のアップリンク情報を再送信する。本明細書では、詳細は説明されない。
【００７３】
第１の適用ユニット８０５は、基地局への無線リソース制御ＲＲＣ接続が接続状態にある場合、タイミング調整コマンドを適用し、タイミング調整タイマを開始するように構成されている。
【００７４】
第２の送信ユニット８０６は、同期アップリンクグラントメッセージに従って、第２のアップリンク情報を基地局に送信し、第２のアップリンク情報がデータ情報を含むか、又は、基地局への無線リソース制御ＲＲＣ接続がアイドル状態にある場合、ＲＲＣ接続確立メッセージに従って、第２のアップリンク情報を基地局に送信し、第２のアップリンク情報がＲＲＣ接続確立完了メッセージを含むか、又は、基地局への無線リソース制御ＲＲＣ接続が再確立状態にある場合、ＲＲＣ接続再確立メッセージに従って、第２のアップリンク情報を基地局に送信し、第２のアップリンク情報がＲＲＣ接続再確立完了メッセージ及びデータ情報を含む、ように構成されている。
【００７５】
基地局への接続の様々な状態に従って、端末は、異なる内容を含む第２のアップリンク情報を基地局に送信する。端末と基地局との間のＲＲＣ接続が接続状態にない場合は、ＲＲＣ接続確立が完了した後の次の情報交換ステップに関して、基地局へのＲＲＣ接続が接続状態にある端末が参照されることに留意するものとする。本明細書では、詳細は説明されない。
【００７６】
本発明の本実施形態において、非同期伝送パラメータ情報は、物理リソースを用いてデータを伝送する条件に関する情報を含み、その結果基地局により受信されるアップリンク情報の精度が高くなる。非同期伝送パラメータ情報は、期間情報を更に含み、その結果チャネルリソースが節約される。物理リソースを用いてデータを伝送する条件を満たすデータ情報に関して、データ伝送部を用いることにより、第１のアップリンク情報が基地局に送信され、その結果近い時間における別の端末のデータへの干渉が回避され得る。端末は、基地局へのＲＲＣ接続の様々な状態に従って、第１のアップリンク情報の内容を決定することができ、その結果情報交換効率が向上する。
【００７７】
上記実施形態において説明されたように、端末は、非同期伝送フレームを用いることにより、非同期伝送パラメータ情報に従って、第１のアップリンク情報を基地局に送信する。実際の用途において、非同期伝送フレームは、プリアンブルを伝送するために用いられる物理ランダムアクセスチャネルＰＡＲＣＨリソース部を更に含んでいてもよい。或いは、非同期伝送フレームが送信される場合は、物理ランダムアクセスチャネルＰＡＲＣＨリソースも送信される。ＰＡＲＣＨリソースは、プリアンブルを伝送するために用いられる。具体的な説明は、下記で与えられる。図３を参照すると、本発明の一実施形態による端末の別の実施形態は、下記のユニットを含む。
【００７８】
第１の取得ユニット９０１は、基地局のものと同じ非同期伝送パラメータ情報を取得するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【００７９】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｉｍｅ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【００８０】
基地局により非同期データ伝送パラメータを決定する方法は、下記のように実現されてもよい。パラメータは、ブロードキャストメッセージ又は専用ＲＲＣメッセージ等のＲＲＣメッセージを用いることにより、半静的に設定される。或いは、パラメータは、ＭＡＣ  ＣＥ又はＰＤＣＣＨシグナリング等のＭＡＣレイヤ又は物理レイヤメッセージを用いることにより、動的に設定される。或いは、パラメータは、ＲＲＣメッセージ、及びＭＡＣレイヤ又は物理レイヤメッセージを用いることにより設定される。ＲＲＣメッセージを用いることにより一部のパラメータが通知され、ＭＡＣレイヤ又は物理レイヤメッセージを用いることによりその他のメッセージが通知される。或いは、プロトコルを用いることにより、物理リソースフレームの長さ情報等の一部のパラメータが固定され、その他のパラメータは、上記様態で端末に通知される。任意選択として、非同期伝送パラメータは、１つ又は複数のメッセージを用いることにより、端末に送信されてもよい。非同期伝送パラメータは、１つの端末だけで用いられてもよいし、複数の端末により共有されてもよい。本明細書においては、これに限定されない。
【００８１】
第１の決定ユニット９０２は、物理リソースフレームフォーマット情報に従って、非同期伝送フレームを決定するように構成されている。非同期伝送フレームは、フレームヘッダ部、データ伝送部、及びフレームテール部を含む。非同期伝送フレームは、物理ランダムアクセスチャネルＰＲＡＣＨリソース部を更に含んでいてもよい。
【００８２】
端末は、物理リソースフレームの長さ情報に従って、非同期伝送フレームを設定する。非同期伝送フレームの長さは、端末と基地局との間の非同期伝送により必要とされる長さである。任意選択として、複数の非同期伝送フレームフォーマットが更に予備設定されてもよい。各非同期伝送フレームフォーマットは識別子に対応する。また、非同期伝送パラメータ情報における物理リソースフレームの長さ情報は識別子であってもよい。端末は、識別子に従って特定の使用される非同期伝送フレームフォーマットを決定し、非同期伝送フレームの長さを決定する。
【００８３】
第２の取得ユニット９０３は、プリアンブルを取得するように構成されている。
【００８４】
プリアンブルは、端末によって予約プリアンブル空間から取得されてもよいし、基地局によって端末に割り当てられてもよい。本明細書においては、これに限定されない。
【００８５】
第１の送信ユニット９０４は、物理リソースを用いてデータを伝送する条件を満たすデータ情報に関して、非同期伝送フレームのデータ伝送部を用いることにより、第１のアップリンク情報を基地局に送信するように構成された第１の送信モジュール９０４１を更に含む。基地局への無線リソース制御ＲＲＣ接続が接続状態にある場合、第１のアップリンク情報は、バッファステータスレポート、データ情報、又は端末識別子のうちの少なくとも１つを含む。或いは、基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含む。或いは、基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【００８６】
第１の送信ユニット９０４は、ＰＲＡＣＨリソース部を用いることにより、プリアンブルを基地局に送信するように構成された第２の送信モジュール９０４２を更に含む。
【００８７】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。データ伝送部を用いることにより、物理リソースを用いてデータを伝送する条件を満たすデータ情報を伝送することは、近い時間における別の端末のデータへの干渉が発生することを回避することができる。端末は、基地局へのＲＲＣ接続の様々な状態に従って、第１のアップリンク情報の内容を決定してもよい。端末がＲＲＣ接続状態にある場合、端末は、バッファステータスレポートを直接送信して、アップリンク伝送を要する端末のデータのボリュームを示してもよく、さらに、データ情報及び端末識別子に関するアップリンク伝送を直接実行してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。端末がＲＲＣアイドル状態にある場合、端末は、ＲＲＣ接続リクエストメッセージを送信してもよいし、データ情報を直接送信してもよい。端末がＲＲＣ接続再確立状態にある場合、端末は、ＲＲＣ接続再確立リクエストメッセージを送信してもよいし、データ情報及びバッファステータスレポートを直接送信してもよい。端末がプリアンブルを基地局に送信し、その結果端末は、端末が基地局への接続を確立できない場合、コンテンションベースのランダムアクセス又は非コンテンションベースのランダムアクセスを用いて、依然として接続を確立することができる。
【００８８】
第１の受信ユニット９０５は、基地局により送信されたダウンリンク情報を受信するように構成された第１の受信モジュール９０５１を更に含む。ダウンリンク情報は、第１のアップリンク情報の否定応答を含む。
【００８９】
基地局が端末により送信された第１のアップリンク情報を受信できない場合又は第１のアップリンク情報の内容を上手く解読できない場合、基地局は、ダウンリンク情報を端末に送信する。ダウンリンク情報は、第１のアップリンク情報の否定応答を含む。端末により送信された第１のアップリンク情報を受信できない場合に、基地局がランダムアクセス応答メッセージを端末に直接送信することができることから、第１の受信モジュール９０５１は任意選択のモジュールであることに留意するものとする。
【００９０】
第２の受信ユニット９０６は、基地局により送信されたランダムアクセス応答メッセージを受信するように構成されている。ランダムアクセス応答メッセージは、同期アップリンクグラントメッセージ及びアップリンクタイミングアドバンス情報を含む。
【００９１】
端末により送信された第１のアップリンク情報を基地局が受信できない場合、基地局は、端末がプリアンブルを基地局に送信することから、さらに、ランダムアクセス応答メッセージを端末に送信してもよい。ランダムアクセスメッセージは、端末がバッファステータスレポート又はアップリンクデータを送信することができることを示すために用いられる同期アップリンクグラントメッセージを含む。ランダムアクセスメッセージに含まれるアップリンクタイミングアドバンス情報は、端末がアップリンク情報を送信するタイミングを示すために用いられる。
【００９２】
一般的に、肯定応答を含むダウンリンク情報を端末が受信した場合、これは、上記実施形態において、肯定応答を含む第１のアップリンク情報を基地局が上手く受信したことを示していることに留意するものとする。したがって、基地局は一般的に、ランダムアクセス応答メッセージを送信せず、端末は、ランダムアクセス応答メッセージを受信することもなければ、アップリンク送信にランダムアクセス応答メッセージを適用することもない。第１のアップリンク情報の否定応答を含むダウンリンク情報を端末が受信した場合、これは、基地局が第１のアップリンク情報を受信できないことを示す。したがって、基地局がプリアンブルを上手く受信する場合、基地局は一般的に、ランダムアクセス応答メッセージを送信し、端末は、このランダムアクセス応答メッセージに従って、次の動作を実行する。
【００９３】
第２の適用ユニット９０７は、ランダムアクセス応答メッセージを適用するように構成されている。
【００９４】
第３の送信ユニット９０８は、第２のアップリンク情報を基地局に送信するように構成されている。第２のアップリンク情報は、データ情報を含む。
【００９５】
ランダムアクセス応答メッセージを受信した後に、端末は、コンテンションベースのランダムアクセス又は非コンテンションベースのランダムアクセスを用いて接続を確立し、次に同期アップリンク伝送を実行してもよい。本明細書においては、これに限定されない。
【００９６】
任意選択として、第２のアップリンク情報の内容は、第１のアップリンク情報のものと同じであってもよいし、異なっていてもよい。すなわち、端末は、第２のアップリンク情報を用いることにより、非同期伝送フレームを用いて上手く伝送されない第１のアップリンク情報を再送信してもよい。本明細書においては、これに限定されない。
【００９７】
本発明の本実施形態において、非同期伝送フレームは、プリアンブルを伝送するために用いられる物理ランダムアクセスチャネルＰＲＡＣＨリソース部を更に含む。基地局が非同期伝送フレームを受信して、この非同期伝送フレームのデータ伝送部を解読できない場合、基地局は、ＰＲＡＣＨリソースにおけるプリアンブルを更に取得し、そしてランダムアクセス応答メッセージを端末に送信して、ＲＲＣ接続を確立することができ、その結果端末は同期アップリンク伝送を実行することができる。情報交換の安定性が向上する。
【００９８】
図４を参照すると、本発明の一実施形態による基地局の一実施形態は、下記のユニットを含む。
【００９９】
第２の決定ユニット１００１は、非同期伝送パラメータ情報を決定するように構成されており、非同期伝送パラメータ情報は、物理リソース情報、変調符号化方式情報、及び物理リソースフレームフォーマット情報を含み、物理リソースフレームフォーマット情報は、物理リソースフレームの長さ情報を含む。
【０１００】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。非同期伝送を実現するために、非同期伝送パラメータは、物理リソースフレームの長さ情報を更に含む必要がある。
【０１０１】
第４の受信ユニット１００２は、非同期伝送フレームを用いることにより非同期伝送パラメータに従って端末により送信された第１のアップリンク情報を受信するように構成されている。非同期伝送フレームは、フレームヘッダ部、データ伝送部、及びフレームテール部を含む。
【０１０２】
端末は、物理リソースフレームの長さ情報に従って、非同期伝送フレームを設定する。非同期伝送フレームの長さは、端末と基地局との間の非同期伝送により必要とされる長さである。
【０１０３】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。
【０１０４】
本発明の本実施形態において、端末により基地局に送信された非同期伝送フレームは、基地局により受信が許可されたフレームの長さを有する。したがって、基地局が非同期伝送フレームを受信することができ、基地局は、この非同期伝送フレームの内容を解読して、第１のアップリンク情報を取得する。このように、端末及び基地局が非同期状態であっても、端末は依然として、時間内にアップリンクデータ伝送を実行することができる。非同期状態におけるアップリンクデータ伝送待ち時間及びシグナリングオーバヘッドが低減される。
【０１０５】
上記実施形態において説明されたように、基地局は、非同期伝送パラメータ情報を決定する。非同期伝送パラメータ情報は、物理リソース情報、変調符号化方式情報、及び物理リソースフレームの長さ情報を含む。基地局は、非同期伝送フレームを用いることにより非同期伝送パラメータに従って端末により送信された第１のアップリンク情報を受信する。非同期伝送フレームは、フレームヘッダ部、データ伝送部、及びフレームテール部を含む。実際の用途においては、端末と基地局との間の接続の状態に従って、第１のアップリンク情報の具体的な内容が決定されてもよい。非同期伝送パラメータ情報は、物理リソースを用いてデータを伝送する条件に関する情報を更に含む。物理リソースの長さ情報は物理フレームの特定の部分であってもよい。非同期伝送パラメータは、期間情報を更に含んでいてもよい。さらに、基地局は、ダウンリンク情報を端末に送信してもよく、端末により送信された第２のアップリンク情報を受信する。具体的な説明は、下記で与えられる。図４を参照すると、本発明の一実施形態による基地局の別の実施形態は、下記のユニットを含む。
【０１０６】
第２の決定ユニット１１０１は、非同期伝送パラメータ情報を決定するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【０１０７】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｉｍｅ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【０１０８】
基地局により非同期データ伝送パラメータを決定する方法は、下記のように実現されてもよい。パラメータは、ブロードキャストメッセージ又は専用ＲＲＣメッセージ等のＲＲＣメッセージを用いることにより、半静的に設定される。或いは、パラメータは、ＭＡＣ  ＣＥ又はＰＤＣＣＨシグナリング等のＭＡＣレイヤ又は物理レイヤメッセージを用いることにより、動的に設定される。或いは、パラメータは、ＲＲＣメッセージ、及びＭＡＣレイヤ又は物理レイヤメッセージを用いることにより設定される。ＲＲＣメッセージを用いることにより一部のパラメータが通知され、ＭＡＣレイヤ又は物理レイヤメッセージを用いることによりその他のメッセージが通知される。或いは、プロトコルを用いることにより、物理リソースフレームの長さ情報等の一部のパラメータが固定され、その他のパラメータは、上記様態で端末に通知される。任意選択として、非同期伝送パラメータは、１つ又は複数のメッセージを用いることにより、端末に送信されてもよい。非同期伝送パラメータは、１つの端末だけで用いられてもよいし、複数の端末により共有されてもよい。本明細書においては、これに限定されない。
【０１０９】
第４の受信ユニット１１０２は、物理リソースを用いてデータを伝送する条件を満たすデータ情報に関して非同期伝送フレームのデータ伝送部を用いることにより送信された第１のアップリンク情報を受信するように構成された第４の受信モジュール１１０２１を含む。非同期伝送フレームは、フレームヘッダ部、データ伝送部、及びフレームテール部を含む。基地局への無線リソース制御ＲＲＣ接続が接続状態にある場合、第１のアップリンク情報は、バッファステータスレポート、データ情報、又は端末識別子のうちの少なくとも１つを含む。或いは、基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含む。或いは、基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【０１１０】
端末は、物理リソースフレームの長さ情報に従って、非同期伝送フレームを設定する。非同期伝送フレームの長さは、端末と基地局との間の非同期伝送により必要とされる長さである。任意選択として、複数の非同期伝送フレームフォーマットが更に予備設定されてもよい。各非同期伝送フレームフォーマットは識別子に対応する。また、非同期伝送パラメータ情報における物理リソースフレームの長さ情報は識別子であってもよい。端末は、識別子に従って特定の使用される非同期伝送フレームフォーマットを決定し、非同期伝送フレームの長さを決定する。
【０１１１】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。データ伝送部を用いることにより、物理リソースを用いてデータを伝送する条件を満たすデータ情報を伝送することは、近い時間における別の端末のデータへの干渉が発生することを回避することができる。端末は、基地局へのＲＲＣ接続の様々な状態に従って、第１のアップリンク情報の内容を決定してもよい。端末がＲＲＣ接続状態にある場合、端末は、バッファステータスレポートを直接送信して、アップリンク伝送を要する端末のデータのボリュームを示してもよく、さらに、データ情報及び端末識別子に関するアップリンク伝送を直接実行してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。端末がＲＲＣアイドル状態にある場合、端末は、ＲＲＣ接続リクエストメッセージを送信してもよいし、データ情報を直接送信してもよい。端末がＲＲＣ接続再確立状態にある場合、端末は、ＲＲＣ接続再確立リクエストメッセージを送信してもよいし、データ情報及びバッファステータスレポートを直接送信してもよい。
【０１１２】
第５の送信ユニット１１０３は、ダウンリンク情報を端末に送信するように構成されている。ダウンリンク情報は、アップリンクタイミング調整コマンド及び第１のアップリンク情報の肯定応答を含む。端末への無線リソース制御ＲＲＣ接続が接続状態にある場合、ダウンリンク情報は、同期アップリンクグラントメッセージ及び／又は端末の識別情報を更に含む。或いは、端末への無線リソース制御ＲＲＣ接続がアイドル状態にある場合、ダウンリンク情報は、ＲＲＣ接続確立メッセージを更に含む。或いは、端末への無線リソース制御ＲＲＣ接続が再確立された場合、ダウンリンク情報は、同期アップリンクグラントメッセージ及び／又はＲＲＣ接続再確立メッセージを更に含む。
【０１１３】
一般的に、アップリンクタイミング調整コマンドにおける調整値は、基地局が第１のアップリンク情報を受信するタイミングと受信ウィンドウとの間の偏差値に従って決定される。例えば、基地局が受信ウィンドウよりもΔＴ、例えば１μｓ、遅く第１のアップリンク情報を受信する場合、基地局によりアップリンクタイミング調整コマンドに加算される調整値はΔＴである。調整値を受信した後に、端末は、次のデータ伝送プロセスにおいて値ΔＴを使用する。本明細書においては、これに限定されない。
【０１１４】
基地局は、端末への接続の状態に従って、ダウンリンク情報の内容を決定してもよい。基地局がＲＲＣ接続状態にある場合、基地局は、同期アップリンクグラントメッセージを送信して、端末にアップリンクデータを送信するように指示してもよい。端末は、端末識別子を更に送信してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。基地局がＲＲＣアイドル状態にある場合、基地局は、ＲＲＣ接続確立メッセージを送信して、端末に基地局へのＲＲＣ接続を確立するように指示してもよい。基地局がＲＲＣ接続再確立状態にある場合、基地局は、ＲＲＣ接続再確立メッセージを送信して、端末に基地局へのＲＲＣ接続を再確立するように指示してもよく、さらに、同期アップリンクグラントメッセージを送信して、端末にアップリンクデータを送信するように指示してもよい。
【０１１５】
任意選択として、ダウンリンク情報は、Ａ−ＰＵＳＣＨ−ＲＮＴＩ（Ａｓｙｎｃｈｒｏｎｏｕｓ  Ｐｈｙｓｉｃａｌ  Ｕｐｌｉｎｋ  Ｓｈａｒｅｄ  Ｃｈａｎｎｅｌ  Ｒａｄｉｏ  Ｎｅｔｗｏｒｋ  Ｔｅｍｐｏｒａｒｙ  Ｉｄｅｎｔｉｆｉｅｒ，非同期物理アップリンク共有チャネル無線ネットワーク一時識別子）又はＣ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）を用いてマスクされる。具体的には、ＵＥがＣ−ＲＮＴＩをアップリンク情報に追加した場合、ダウンリンク情報は、Ｃ−ＲＮＴＩを用いてマスクされてもよい。ＵＥがＡ−ＰＵＳＣＨ−ＲＮＴＩをアップリンク情報に追加した場合、ダウンリンク情報は、Ａ−ＰＵＳＣＨ−ＲＮＴＩを用いてマスクされてもよい。
【０１１６】
或いは、ダウンリンク情報は、第１のアップリンク情報の否定応答を含む。第１のアップリンク情報の否定応答を含むダウンリンク情報を端末が受信した後に、端末は、ランダムアクセスプロセスを開始するか、又は、新しい非同期伝送フレームを用いることにより、第１のアップリンク情報を再送信する。本明細書では、詳細は説明されない。
【０１１７】
第５の受信ユニット１１０４は、端末と基地局との間の無線リソース制御ＲＲＣ接続が接続状態にある場合、同期アップリンクグラントメッセージに従って端末により送信された第２のアップリンク情報を受信し、第２のアップリンク情報がデータ情報を含むか、或いは、端末と基地局との間の無線リソース制御ＲＲＣ接続がアイドル状態にある場合、ＲＲＣ接続確立メッセージに従って端末により送信された第２のアップリンク情報を受信し、第２のアップリンク情報がＲＲＣ接続確立完了メッセージを含むか、或いは、端末と基地局との間の無線リソース制御ＲＲＣ接続が再確立された場合、ＲＲＣ接続再確立メッセージに従って端末により送信された第２のアップリンク情報を受信し、第２のアップリンク情報がＲＲＣ接続再確立完了メッセージ及び／又はデータ情報を含む、ように構成されている。
【０１１８】
基地局への接続の様々な状態に従って、端末は、異なる内容を含む第２のアップリンク情報を基地局に送信する。端末と基地局との間のＲＲＣ接続が接続状態にない場合は、ＲＲＣ接続確立が完了した後の次の情報交換ステップに関して、基地局へのＲＲＣ接続が接続状態にある端末が参照されることに留意するものとする。本明細書では、詳細は説明されない。
【０１１９】
本発明の本実施形態において、非同期伝送パラメータ情報は、物理リソースを用いてデータを伝送する条件に関する情報を含み、その結果基地局により受信されるアップリンク情報の精度が高くなる。非同期伝送パラメータ情報は、期間情報を更に含み、その結果チャネルリソースが節約される。物理リソースを用いてデータを伝送する条件を満たすデータ情報に関して、データ伝送部を用いることにより、第１のアップリンク情報が基地局に送信され、その結果近い時間における別の端末のデータへの干渉が回避され得る。端末は、基地局へのＲＲＣ接続の様々な状態に従って、第１のアップリンク情報の内容を決定することができ、その結果情報交換効率が向上する。
【０１２０】
上記実施形態において説明されたように、基地局は、非同期伝送フレームを用いることにより非同期伝送パラメータ情報に従って端末により送信された第１のアップリンク情報を受信する。実際の用途において、非同期伝送フレームは、プリアンブルを伝送するために用いられる物理ランダムアクセスチャネルＰＡＲＣＨリソース部を更に含んでいてもよい。或いは、非同期伝送フレームが送信される場合は、物理ランダムアクセスチャネルＰＡＲＣＨリソースも送信される。ＰＡＲＣＨリソースは、プリアンブルを伝送するために用いられる。具体的な説明は、下記で与えられる。図５を参照すると、本発明の一実施形態による基地局の別の実施形態は、下記のユニットを含む。
【０１２１】
第２の決定ユニット１２０１は、非同期伝送パラメータ情報を決定するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、非同期伝送フレーム中の物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【０１２２】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｉｍｅ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【０１２３】
基地局により非同期データ伝送パラメータを決定する方法は、下記のように実現されてもよい。パラメータは、ブロードキャストメッセージ又は専用ＲＲＣメッセージ等のＲＲＣメッセージを用いることにより、半静的に設定される。或いは、パラメータは、ＭＡＣ  ＣＥ又はＰＤＣＣＨシグナリング等のＭＡＣレイヤ又は物理レイヤメッセージを用いることにより、動的に設定される。或いは、パラメータは、ＲＲＣメッセージ、及びＭＡＣレイヤ又は物理レイヤメッセージを用いることにより設定される。ＲＲＣメッセージを用いることにより一部のパラメータが通知され、ＭＡＣレイヤ又は物理レイヤメッセージを用いることによりその他のメッセージが通知される。或いは、プロトコルを用いることにより、物理リソースフレームの長さ情報等の一部のパラメータが固定され、その他のパラメータは、上記様態で端末に通知される。任意選択として、非同期伝送パラメータは、１つ又は複数のメッセージを用いることにより、端末に送信されてもよい。非同期伝送パラメータは、１つの端末だけで用いられてもよいし、複数の端末により共有されてもよい。本明細書においては、これに限定されない。
【０１２４】
通知ユニット１２０２は、無線リソース制御ＲＲＣレイヤメッセージを送信する様態、媒体アクセス制御レイヤメッセージを送信する様態、物理レイヤメッセージを送信する様態、又はプロトコル予備設定の様態のうちの少なくとも１つの様態で非同期伝送パラメータ情報を端末に通知するように構成されている。
【０１２５】
第４の受信ユニット１２０３は、非同期伝送フレームのＰＲＡＣＨリソース部を用いることにより端末により送信されたプリアンブルを受信するように構成された第５の受信モジュール１２０３１を更に含む。非同期伝送フレームは、フレームヘッダ部、データ伝送部、フレームテール部、及びランダムアクセスチャネルＰＲＡＣＨリソース部を含む。
【０１２６】
端末は、物理リソースフレームの長さ情報に従って、非同期伝送フレームを設定する。非同期伝送フレームの長さは、端末と基地局との間の非同期伝送により必要とされる長さである。任意選択として、複数の非同期伝送フレームフォーマットが更に予備設定されてもよい。各非同期伝送フレームフォーマットは識別子に対応する。また、非同期伝送パラメータ情報における物理リソースフレームの長さ情報は識別子であってもよい。端末は、識別子に従って特定の使用される非同期伝送フレームフォーマットを決定し、非同期伝送フレームの長さを決定する。プリアンブルは、端末によって予約プリアンブル空間から取得されてもよいし、基地局によって端末に割り当てられてもよい。本明細書においては、これに限定されない。
【０１２７】
第５の送信ユニット１２０４は、ダウンリンク情報を端末に送信するように構成された第５の送信モジュール１２０４１を更に含む。ダウンリンク情報は、第１のアップリンク情報の否定応答を含む。
【０１２８】
基地局が端末により送信された第１のアップリンク情報を受信できない場合又は第１のアップリンク情報の内容を上手く解読できない場合、基地局は、ダウンリンク情報を端末に送信する。ダウンリンク情報は、第１のアップリンク情報の否定応答を含む。端末により送信された第１のアップリンク情報を受信できない場合に、基地局がランダムアクセス応答メッセージを端末に直接送信することができることから、第５の送信モジュール１２０４は任意選択のモジュールであることに留意するものとする。
【０１２９】
第６の送信ユニット１２０５は、ランダムアクセス応答メッセージを端末に送信するように構成されている。ランダムアクセス応答メッセージは、同期アップリンクグラント情報及びアップリンクタイミングアドバンス情報を含む。
【０１３０】
端末により送信された第１のアップリンク情報を基地局が受信できない場合、基地局は、端末がプリアンブルを基地局に送信することから、さらに、ランダムアクセス応答メッセージを端末に送信してもよい。ランダムアクセスメッセージは、端末がバッファステータスレポート又はアップリンクデータを送信することができることを示すために用いられる同期アップリンクグラントメッセージを含む。ランダムアクセスメッセージに含まれるアップリンクタイミングアドバンス情報は、端末がアップリンク情報を送信するタイミングを示すために用いられる。
【０１３１】
上記実施形態においては、一般的に、肯定応答を含むダウンリンク情報を端末が受信した場合、これは、基地局が第１のアップリンク情報を上手く受信したことを示していることに留意するものとする。したがって、基地局は一般的に、ランダムアクセス応答メッセージを送信せず、端末は、ランダムアクセス応答メッセージを受信することもなければ、アップリンク送信にランダムアクセス応答メッセージを適用することもない。第１のアップリンク情報の否定応答を含むダウンリンク情報を端末が受信した場合、これは、基地局が第１のアップリンク情報を受信できないことを示す。したがって、基地局がプリアンブルを上手く受信する場合、基地局は一般的に、ランダムアクセス応答メッセージを送信し、端末は、このランダムアクセス応答メッセージに従って、次の動作を実行する。
【０１３２】
第６の受信ユニット１２０６は、端末により送信された第２のアップリンク情報を受信するように構成されている。第２のアップリンク情報は、データ情報を含む。
【０１３３】
ランダムアクセス応答メッセージを受信した後に、端末は、コンテンションベースのランダムアクセス又は非コンテンションベースのランダムアクセスを用いて接続を確立し、次に同期アップリンク伝送を実行してもよい。本明細書においては、これに限定されない。
【０１３４】
任意選択として、第２のアップリンク情報の内容は、第１のアップリンク情報のものと同じであってもよいし、異なっていてもよい。すなわち、端末は、第２のアップリンク情報を用いることにより、非同期伝送フレームを用いて上手く伝送されない第１のアップリンク情報を再送信してもよい。本明細書においては、これに限定されない。
【０１３５】
本発明の本実施形態において、非同期伝送フレームは、プリアンブルを伝送するために用いられる物理ランダムアクセスチャネルＰＲＡＣＨリソース部を更に含む。基地局が非同期伝送フレームを受信して、この非同期伝送フレームのデータ伝送部を解読できない場合、基地局は、ＰＲＡＣＨリソースにおけるプリアンブルを更に取得し、そしてランダムアクセス応答メッセージを端末に送信して、ＲＲＣ接続を確立することができ、その結果端末は同期アップリンク伝送を実行することができる。情報交換の安定性が向上する。
【０１３６】
上記実施形態において説明されたように、ランダムアクセスチャネルＰＲＡＣＨリソースは非同期伝送フレーム中にあることに留意するものとする。このような方法により、プリアンブル及び非同期伝送フレームは、同じ周波数帯域を有するが、しかし異なる時間を有する。実際の用途においては、ＰＲＡＣＨリソース及び非同期伝送フレームが同じ時間を有する限り、ＰＲＡＣＨリソースが代わりに独立フレームとして送信されてもよい。このようにして、プリアンブル及び非同期伝送フレームは、同じ時間を有するが、しかし異なる周波数帯域を有する。このような実施形態は、上記実施形態と同様である。本明細書では、詳細は説明されない。
【０１３７】
図１〜図３に示された実施形態は、機能ユニットの観点から、アクセスポイントデバイスの特定の構造を説明する。下記は、図７に示された実施形態を用いることにより、ハードウェアの観点から、アクセスポイントデバイスの特定の構造を説明する。
【０１３８】
図１３に示されるように、端末は、送信機１３０１、受信機１３０２、プロセッサ１３０３、及びメモリ１３０４を含む。
【０１３９】
本発明の本実施形態におけるアクセスポイントデバイスは、図１３に示された構成要素よりも多いか、又は少ない構成要素を有していてもよい。２つ以上の構成要素が組み合わされていてもよいし、構成要素の構成や設定が異なっていてもよく、構成要素は、ハードウェア、ソフトウェア、又は１つ若しくは複数の信号処理及び／若しくは特定用途向け集積回路を含むハードウェア及びソフトウェアの組み合わせにて実装されていてもよい。
【０１４０】
受信機１３０２は、基地局のものと同じ非同期伝送パラメータ情報を取得するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。
【０１４１】
プロセッサ１３０３は、物理リソースフレームフォーマット情報に従って、非同期伝送フレームの長さを決定するように構成されている。非同期伝送フレームは、フレームヘッダ部、データ伝送部、及びフレームテール部を含む。
【０１４２】
送信機１３０１は、非同期伝送フレームを用いることにより、非同期伝送パラメータ情報に従って、第１のアップリンク情報を基地局に送信するように構成されている。
【０１４３】
別の実施形態において、受信機１３０２は、基地局のものと同じ非同期伝送パラメータ情報を取得するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、非同期伝送フレーム中の物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【０１４４】
プロセッサ１３０３は、物理リソースフレームフォーマット情報に従って、非同期伝送フレームの長さを決定するように構成されている。非同期伝送フレームは、フレームヘッダ部、データ伝送部、及びフレームテール部を含む。
【０１４５】
送信機１３０１は、物理リソースを用いてデータを伝送する条件を満たすデータ情報に関して、データ伝送部を用いることにより、第１のアップリンク情報を基地局に送信するように構成されている。基地局への無線リソース制御ＲＲＣ接続が接続状態にある場合、第１のアップリンク情報は、バッファステータスレポート、データ情報、又は端末識別子のうちの少なくとも１つを含む。或いは、基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含む。或いは、基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【０１４６】
受信機１３０１は、送信機１３０１が第１のアップリンク情報を送信した後に、基地局により送信されたダウンリンク情報を受信するように更に構成されている。ダウンリンク情報は、アップリンクタイミング調整コマンド及び第１のアップリンク情報の肯定応答を含む。基地局への無線リソース制御ＲＲＣ接続が接続状態にある場合、ダウンリンク情報は、同期アップリンクグラントメッセージ及び／又は端末の識別情報を更に含む。或いは、基地局への無線リソース制御ＲＲＣ接続がアイドル状態にある場合、ダウンリンク情報は、ＲＲＣ接続確立メッセージを更に含む。或いは、基地局への無線リソース制御ＲＲＣ接続が再確立された場合、ダウンリンク情報は、同期アップリンクグラントメッセージ及び／又はＲＲＣ接続再確立メッセージを更に含む。
【０１４７】
プロセッサ１３０３は、受信機１３０１がダウンリンク情報を受信した後に、基地局への無線リソース制御ＲＲＣ接続が接続状態にある場合、タイミング調整コマンドを適用し、タイミング調整タイマを開始するように更に構成されている。
【０１４８】
送信機１３０１は、受信機１３０１がダウンリンク情報を受信した後に、同期アップリンクグラントメッセージに従って、第２のアップリンク情報を基地局に送信し、第２のアップリンク情報がデータ情報を含むか、又は、基地局への無線リソース制御ＲＲＣ接続がアイドル状態にある場合、ＲＲＣ接続確立メッセージに従って、第２のアップリンク情報を基地局に送信し、第２のアップリンク情報がＲＲＣ接続確立完了メッセージを含むか、又は、基地局への無線リソース制御ＲＲＣ接続が再確立状態にある場合、ＲＲＣ接続再確立メッセージに従って、第２のアップリンク情報を基地局に送信し、第２のアップリンク情報がＲＲＣ接続再確立完了メッセージ及びデータ情報を含む、ように更に構成されている。
【０１４９】
別の実施形態において、受信機１３０２は、基地局のものと同じ非同期伝送パラメータ情報を取得するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【０１５０】
プロセッサ１３０３は、物理リソースフレームフォーマット情報に従って、非同期伝送フレームを決定するように構成されている。非同期伝送フレームは、フレームヘッダ部、データ伝送部、及びフレームテール部を含む。非同期伝送フレームは、物理ランダムアクセスチャネルＰＲＡＣＨリソース部を更に含んでいてもよい。
【０１５１】
受信機１３０２は、プリアンブルを取得するように更に構成されている。
【０１５２】
送信機１３０１は、物理リソースを用いてデータを伝送する条件を満たすデータ情報に関して、非同期伝送フレームのデータ伝送部を用いることにより、第１のアップリンク情報を基地局に送信するように構成されている。基地局への無線リソース制御ＲＲＣ接続が接続状態にある場合、第１のアップリンク情報は、バッファステータスレポート、データ情報、又は端末識別子のうちの少なくとも１つを含む。或いは、基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含む。或いは、基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【０１５３】
送信機１３０１は、ＰＲＡＣＨリソース部を用いることにより、プリアンブルを基地局に送信するように更に構成されている。
【０１５４】
受信機１３０２は、送信機１３０１が第１のアップリンク情報及びプリアンブルを送信した後に、基地局により送信されたダウンリンク情報を受信するように更に構成されている。ダウンリンク情報は、第１のアップリンク情報の否定応答を含む。
【０１５５】
受信機１３０２は、基地局により送信されたランダムアクセス応答メッセージを受信するように更に構成されている。ランダムアクセス応答メッセージは、同期アップリンクグラントメッセージ及びアップリンクタイミングアドバンス情報を含む。
【０１５６】
プロセッサ１３０３は、受信機１３０２がランダムアクセス応答メッセージを受信した後に、このランダムアクセス応答メッセージを適用するように更に構成されている。
【０１５７】
送信機１３０１は、第２のアップリンク情報を基地局に送信するように更に構成されている。第２のアップリンク情報は、データ情報を含む。
【０１５８】
本実施形態において、送信機１３０１により基地局に送信された非同期伝送フレームは、基地局により受信が許可されたフレームの長さを有する。したがって、基地局が非同期伝送フレームを受信することができ、基地局は、この非同期伝送フレームの内容を解読して、第１のアップリンク情報を取得する。このように、端末及び基地局が非同期状態であっても、端末は依然として、時間内にアップリンクデータ伝送を実行することができる。非同期状態におけるアップリンクデータ伝送待ち時間及びシグナリングオーバヘッドが低減される。
【０１５９】
図４〜図６に示された実施形態は、機能モジュールの観点から、基地局の特定の構造を説明する。下記は、図８に示された実施形態を用いることにより、ハードウェアの観点から、局の特定の構造を説明する。
【０１６０】
図１４に示されるように、局デバイスは、受信機１４０１、送信機１４０２、プロセッサ１４０３、及びメモリ１４０４を含む。
【０１６１】
本発明の本実施形態に含まれる局デバイスは、図１４に示された構成要素よりも多いか、又は少ない構成要素を有していてもよい。２つ以上の構成要素が組み合わされていてもよいし、構成要素の構成や設定が異なっていてもよく、構成要素は、ハードウェア、ソフトウェア、又は１つ若しくは複数の信号処理及び／若しくは特定用途向け集積回路を含むハードウェア及びソフトウェアの組み合わせにて実装されていてもよい。
【０１６２】
プロセッサ１４０３は、非同期伝送パラメータ情報を決定するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。
【０１６３】
受信機１４０１は、非同期伝送フレームを用いることにより非同期伝送パラメータに従って端末により送信された第１のアップリンク情報を受信するように構成されている。非同期伝送フレームは、フレームヘッダ部、データ伝送部、及びフレームテール部を含む。
【０１６４】
別の実施形態において、受信機１４０３は、非同期伝送パラメータ情報を決定するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【０１６５】
受信機１４０１は、物理リソースを用いてデータを伝送する条件を満たすデータ情報に関して非同期伝送フレームのデータ伝送部を用いることにより送信された第１のアップリンク情報を受信するように構成されている。非同期伝送フレームは、フレームヘッダ部、データ伝送部、及びフレームテール部を含む。基地局への無線リソース制御ＲＲＣ接続が接続状態にある場合、第１のアップリンク情報は、バッファステータスレポート、データ情報、又は端末識別子のうちの少なくとも１つを含む。或いは、基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含む。或いは、基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【０１６６】
送信機１４０２は、ダウンリンク情報を端末に送信するように構成されている。ダウンリンク情報は、アップリンクタイミング調整コマンド及び第１のアップリンク情報の肯定応答を含む。端末への無線リソース制御ＲＲＣ接続が接続状態にある場合、ダウンリンク情報は、同期アップリンクグラントメッセージ及び／又は端末の識別情報を更に含む。或いは、端末への無線リソース制御ＲＲＣ接続がアイドル状態にある場合、ダウンリンク情報は、ＲＲＣ接続確立メッセージを更に含む。或いは、端末への無線リソース制御ＲＲＣ接続が再確立された場合、ダウンリンク情報は、同期アップリンクグラントメッセージ及び／又はＲＲＣ接続再確立メッセージを更に含む。
【０１６７】
受信機１４０１は、送信機１４０２がダウンリンク情報を送信した後に、端末と基地局との間の無線リソース制御ＲＲＣ接続が接続状態にある場合、同期アップリンクグラントメッセージに従って端末により送信された第２のアップリンク情報を受信し、第２のアップリンク情報がデータ情報を含むか、或いは、端末と基地局との間の無線リソース制御ＲＲＣ接続がアイドル状態にある場合、ＲＲＣ接続確立メッセージに従って端末により送信された第２のアップリンク情報を受信し、第２のアップリンク情報がＲＲＣ接続確立完了メッセージを含むか、或いは、端末と基地局との間の無線リソース制御ＲＲＣ接続が再確立された場合、ＲＲＣ接続再確立メッセージに従って端末により送信された第２のアップリンク情報を受信し、第２のアップリンク情報がＲＲＣ接続再確立完了メッセージ及び／又はデータ情報を含む、ように更に構成されている。
【０１６８】
別の実施形態において、受信機１４０３は、非同期伝送パラメータ情報を決定するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、非同期伝送フレーム中の物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【０１６９】
送信機１４０２は、無線リソース制御ＲＲＣレイヤメッセージを送信する様態、媒体アクセス制御レイヤメッセージを送信する様態、物理レイヤメッセージを送信する様態、又はプロトコル予備設定の様態のうちの少なくとも１つの様態で非同期伝送パラメータ情報を端末に通知するように構成されている。
【０１７０】
受信機１４０１は、非同期伝送フレームのＰＲＡＣＨリソース部を用いることにより端末により送信されたプリアンブルを受信するように更に構成されている。非同期伝送フレームは、フレームヘッダ部、データ伝送部、フレームテール部、及びランダムアクセスチャネルＰＲＡＣＨリソース部を含む。
【０１７１】
送信機１４０２は、受信機１４０１がプリアンブルを受信した後に、ダウンリンク情報を端末に送信するように更に構成されている。ダウンリンク情報は、第１のアップリンク情報の否定応答を含む。
【０１７２】
送信機１４０２は、受信機１４０１がプリアンブルを受信した後に、ランダムアクセス応答メッセージを端末に送信するように更に構成されている。ランダムアクセス応答メッセージは、同期アップリンクグラント情報及びアップリンクタイミングアドバンス情報を含む。
【０１７３】
受信機１４０１は、送信機１４０２がランダムアクセス応答メッセージを端末に送信した後に、端末により送信された第２のアップリンク情報を受信するように更に構成されている。第２のアップリンク情報は、データ情報を含む。
【０１７４】
本発明の本実施形態において、端末により基地局に送信された非同期伝送フレームは、基地局により受信が許可されたフレームの長さを有する。したがって、基地局が非同期伝送フレームを受信することができ、基地局は、この非同期伝送フレームの内容を解読して、第１のアップリンク情報を取得する。このように、端末及び基地局が非同期状態であっても、端末は依然として、時間内にアップリンクデータ伝送を実行することができる。非同期状態におけるアップリンクデータ伝送待ち時間及びシグナリングオーバヘッドが低減される。
【０１７５】
図９を参照すると、本発明の一実施形態による非同期アップリンク伝送のための方法の一実施形態は、下記のステップを含む。
【０１７６】
１０１：基地局のものと同じ非同期伝送パラメータ情報を取得する。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。
【０１７７】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。非同期伝送を実現するために、非同期伝送パラメータは、物理リソースフレームの長さ情報を更に含む必要がある。
【０１７８】
１０２：物理リソースフレームの長さ情報に従って、非同期伝送フレームの長さを決定する。非同期伝送フレームは、フレームヘッダ部、データ伝送部、及びフレームテール部を含む。
【０１７９】
端末は、物理リソースフレームの長さ情報に従って、非同期伝送フレームを設定する。非同期伝送フレームの長さは、端末と基地局との間の非同期伝送により必要とされる長さである。
【０１８０】
１０３：非同期伝送フレームを用いることにより、非同期伝送パラメータ情報に従って、第１のアップリンク情報を基地局に送信する。
【０１８１】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。
【０１８２】
本発明の本実施形態においては、基地局のものと同じ非同期伝送パラメータ情報が取得される。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送フレームの長さは、物理リソースフレームフォーマット情報に従って決定される。非同期伝送フレームを用いることにより、非同期伝送パラメータ情報に従って、第１のアップリンク情報が基地局に送信される。端末により取得された非同期伝送パラメータ情報は、基地局のものと同じであるため、端末により決定された非同期伝送フレームの長さは、基地局により決定されたものと同じになる。したがって、非同期状態であっても、非同期伝送フレームを用いることにより、非同期伝送パラメータ情報に従って、端末が第１のアップリンク情報を基地局に送信する場合、シグナリングを用いてＲＲＣ接続を最初に確立することなく、基地局は依然として第１のアップリンク情報を受信し、データのアップリンク伝送を実現することができる。このようにして、非同期状態におけるアップリンクデータ伝送待ち時間及びシグナリングオーバヘッドが低減される。
【０１８３】
上記実施形態において説明されたように、端末は、基地局により送信された非同期伝送パラメータ情報を受信する。非同期伝送パラメータ情報は、物理リソース情報、変調符号化方式情報、及び物理リソースフレームの長さ情報を含む。端末は、非同期伝送フレームを設定して、この非同期伝送フレームを用いることにより、非同期伝送パラメータ情報に従って、第１のアップリンク情報を基地局に送信する。実際の用途においては、端末と基地局との間の接続の状態に従って、第１のアップリンク情報の具体的な内容が決定されてもよい。非同期伝送パラメータ情報は、物理リソースを用いてデータを伝送する条件に関する情報を更に含む。物理リソースの長さ情報は物理フレームの特定の部分であってもよい。非同期伝送パラメータは、期間情報を更に含んでいてもよい。端末は、基地局により送信されたダウンリンク情報を受信して、第２のアップリンク情報を基地局に送信してもよい。具体的な説明は、下記で与えられる。図１０を参照すると、本発明の一実施形態による非同期アップリンク伝送のための方法の別の実施形態は、下記のステップを含む。
【０１８４】
２０１：基地局のものと同じ非同期伝送パラメータ情報を取得する。非同期伝送パラメータ情報は、物理リソース情報、変調符号化方式情報、及び物理リソースフレームフォーマット情報を含み、物理リソースフレームフォーマット情報は、物理リソースフレームの長さ情報を含み、非同期伝送パラメータ情報は、物理リソースを用いてデータを伝送する条件に関する情報及び期間情報を更に含み、物理リソースフレームの長さ情報は、フレームヘッダ部、データ伝送部、又はフレームテール部のうちの少なくとも１つの長さ情報、及び／又は物理リソースフレームの全長情報を含む。
【０１８５】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｉｍｅ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【０１８６】
基地局により非同期データ伝送パラメータを決定する方法は、下記のように実現されてもよい。パラメータは、ブロードキャストメッセージ又は専用ＲＲＣメッセージ等のＲＲＣメッセージを用いることにより、半静的に設定される。或いは、パラメータは、ＭＡＣ  ＣＥ又はＰＤＣＣＨシグナリング等のＭＡＣレイヤ又は物理レイヤメッセージを用いることにより、動的に設定される。或いは、パラメータは、ＲＲＣメッセージ、及びＭＡＣレイヤ又は物理レイヤメッセージを用いることにより設定される。ＲＲＣメッセージを用いることにより一部のパラメータが通知され、ＭＡＣレイヤ又は物理レイヤメッセージを用いることによりその他のメッセージが通知される。或いは、プロトコルを用いることにより、物理リソースフレームの長さ情報等の一部のパラメータが固定され、その他のパラメータは、上記様態で端末に通知される。任意選択として、非同期伝送パラメータは、１つ又は複数のメッセージを用いることにより、端末に送信されてもよい。非同期伝送パラメータは、１つの端末だけで用いられてもよいし、複数の端末により共有されてもよい。本明細書においては、これに限定されない。
【０１８７】
２０２：物理リソースフレームフォーマット情報に従って、非同期伝送フレームの長さを決定する。非同期伝送フレームは、フレームヘッダ部、データ伝送部、及びフレームテール部を含む。
【０１８８】
端末は、物理リソースフレームの長さ情報に従って、非同期伝送フレームを設定する。非同期伝送フレームの長さは、端末と基地局との間の非同期伝送により必要とされる長さである。任意選択として、複数の非同期伝送フレームフォーマットが更に予備設定されてもよい。各非同期伝送フレームフォーマットは識別子に対応する。また、非同期伝送パラメータ情報における物理リソースフレームの長さ情報は識別子であってもよい。端末は、識別子に従って特定の使用される非同期伝送フレームフォーマットを決定し、非同期伝送フレームの長さを決定する。
【０１８９】
２０３：物理リソースを用いてデータを伝送する条件を満たすデータ情報に関して、非同期伝送フレームのデータ伝送部を用いることにより、第１のアップリンク情報を基地局に送信する。基地局への無線リソース制御ＲＲＣ接続が接続状態にある場合、第１のアップリンク情報は、バッファステータスレポート、データ情報、又は端末識別子のうちの少なくとも１つを含む。或いは、基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含む。或いは、基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【０１９０】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。データ伝送部を用いることにより、物理リソースを用いてデータを伝送する条件を満たすデータ情報を伝送することは、近い時間における別の端末のデータへの干渉が発生することを回避することができる。端末は、基地局へのＲＲＣ接続の様々な状態に従って、第１のアップリンク情報の内容を決定してもよい。端末がＲＲＣ接続状態にある場合、端末は、バッファステータスレポートを直接送信して、アップリンク伝送を要する端末のデータのボリュームを示してもよく、さらに、データ情報及び端末識別子に関するアップリンク伝送を直接実行してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。端末がＲＲＣアイドル状態にある場合、端末は、ＲＲＣ接続リクエストメッセージを送信してもよいし、データ情報を直接送信してもよい。端末がＲＲＣ接続再確立状態にある場合、端末は、ＲＲＣ接続再確立リクエストメッセージを送信してもよいし、データ情報及びバッファステータスレポートを直接送信してもよい。
【０１９１】
２０４：基地局により送信されたダウンリンク情報を受信する。ダウンリンク情報は、アップリンクタイミング調整コマンド及び第１のアップリンク情報の肯定応答を含む。基地局への無線リソース制御ＲＲＣ接続が接続状態にある場合、ダウンリンク情報は、同期アップリンクグラントメッセージ及び／又は端末の識別情報を更に含む。或いは、基地局への無線リソース制御ＲＲＣ接続がアイドル状態にある場合、ダウンリンク情報は、ＲＲＣ接続確立メッセージを更に含む。或いは、基地局への無線リソース制御ＲＲＣ接続が再確立された場合、ダウンリンク情報は、同期アップリンクグラントメッセージ及び／又はＲＲＣ接続再確立メッセージを更に含む。
【０１９２】
一般的に、アップリンクタイミング調整コマンドにおける調整値は、基地局が第１のアップリンク情報を受信するタイミングと受信ウィンドウとの間の偏差値に従って決定される。例えば、基地局が受信ウィンドウよりもΔＴ、例えば１μｓ、遅く第１のアップリンク情報を受信する場合、基地局によりアップリンクタイミング調整コマンドに加算される調整値はΔＴである。調整値を受信した後に、端末は、次のデータ伝送プロセスにおいて値ΔＴを使用する。本明細書においては、これに限定されない。
【０１９３】
基地局は、端末への接続の状態に従って、ダウンリンク情報の内容を決定してもよい。基地局がＲＲＣ接続状態にある場合、基地局は、同期アップリンクグラントメッセージを送信して、端末にアップリンクデータを送信するように指示してもよい。端末は、端末識別子を更に送信してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。基地局がＲＲＣアイドル状態にある場合、基地局は、ＲＲＣ接続確立メッセージを送信して、端末に基地局へのＲＲＣ接続を確立するように指示してもよい。基地局がＲＲＣ接続再確立状態にある場合、基地局は、ＲＲＣ接続再確立メッセージを送信して、端末に基地局へのＲＲＣ接続を再確立するように指示してもよく、さらに、同期アップリンクグラントメッセージを送信して、端末にアップリンクデータを送信するように指示してもよい。
【０１９４】
任意選択として、ダウンリンク情報は、Ａ−ＰＵＳＣＨ−ＲＮＴＩ（Ａｓｙｎｃｈｒｏｎｏｕｓ  Ｐｈｙｓｉｃａｌ  Ｕｐｌｉｎｋ  Ｓｈａｒｅｄ  Ｃｈａｎｎｅｌ  Ｒａｄｉｏ  Ｎｅｔｗｏｒｋ  Ｔｅｍｐｏｒａｒｙ  Ｉｄｅｎｔｉｆｉｅｒ，非同期物理アップリンク共有チャネル無線ネットワーク一時識別子）又はＣ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）を用いてマスクされる。具体的には、ＵＥがＣ−ＲＮＴＩをアップリンク情報に追加した場合、ダウンリンク情報は、Ｃ−ＲＮＴＩを用いてマスクされてもよい。ＵＥがＡ−ＰＵＳＣＨ−ＲＮＴＩをアップリンク情報に追加した場合、ダウンリンク情報は、Ａ−ＰＵＳＣＨ−ＲＮＴＩを用いてマスクされてもよい。
【０１９５】
或いは、ダウンリンク情報は、第１のアップリンク情報の否定応答を含む。第１のアップリンク情報の否定応答を含むダウンリンク情報を端末が受信した後に、端末は、ランダムアクセスプロセスを開始するか、又は、新しい非同期伝送フレームを用いることにより、第１のアップリンク情報を再送信する。本明細書では、詳細は説明されない。
【０１９６】
２０５：基地局への無線リソース制御ＲＲＣ接続が接続状態にある場合、タイミング調整コマンドを適用し、タイミング調整タイマを開始し、同期アップリンクグラントメッセージに従って、第２のアップリンク情報を基地局に送信する。第２のアップリンク情報は、データ情報を含む。或いは、基地局への無線リソース制御ＲＲＣ接続がアイドル状態にある場合、ＲＲＣ接続確立メッセージに従って、第２のアップリンク情報を基地局に送信する。第２のアップリンク情報は、ＲＲＣ接続確立完了メッセージを含む。或いは、基地局への無線リソース制御ＲＲＣ接続が再確立状態にある場合、ＲＲＣ接続再確立メッセージに従って、第２のアップリンク情報を基地局に送信する。第２のアップリンク情報は、ＲＲＣ接続再確立完了メッセージ及びデータ情報を含む。
【０１９７】
基地局への接続の様々な状態に従って、端末は、異なる内容を含む第２のアップリンク情報を基地局に送信する。端末と基地局との間のＲＲＣ接続が接続状態にない場合は、ＲＲＣ接続確立が完了した後の次の情報交換ステップに関して、基地局へのＲＲＣ接続が接続状態にある端末が参照されることに留意するものとする。本明細書では、詳細は説明されない。
【０１９８】
本発明の本実施形態において、非同期伝送パラメータ情報は、物理リソースを用いてデータを伝送する条件に関する情報を含み、その結果基地局により受信されるアップリンク情報の精度が高くなる。非同期伝送パラメータ情報は、期間情報を更に含み、その結果チャネルリソースが節約される。物理リソースを用いてデータを伝送する条件を満たすデータ情報に関して、データ伝送部を用いることにより、第１のアップリンク情報が基地局に送信され、その結果近い時間における別の端末のデータへの干渉が回避され得る。端末は、基地局へのＲＲＣ接続の様々な状態に従って、第１のアップリンク情報の内容を決定することができ、その結果情報交換効率が向上する。
【０１９９】
上記実施形態において説明されたように、端末は、非同期伝送フレームを用いることにより、非同期伝送パラメータ情報に従って、第１のアップリンク情報を基地局に送信する。実際の用途において、非同期伝送フレームは、プリアンブルを伝送するために用いられる物理ランダムアクセスチャネルＰＡＲＣＨリソース部を更に含んでいてもよい。或いは、非同期伝送フレームが送信される場合は、物理ランダムアクセスチャネルＰＡＲＣＨリソースも送信される。ＰＡＲＣＨリソースは、プリアンブルを伝送するために用いられる。具体的な説明は、下記で与えられる。図１１を参照すると、本発明の一実施形態による非同期アップリンク伝送のための方法の別の実施形態は、下記のステップを含む。
【０２００】
３０１：基地局のものと同じ非同期伝送パラメータ情報を取得する。非同期伝送パラメータ情報は、物理リソース情報、変調符号化方式情報、及び物理リソースフレームフォーマット情報を含み、物理リソースフレームフォーマット情報は、物理リソースフレームの長さ情報を含み、非同期伝送パラメータ情報は、物理リソースを用いてデータを伝送する条件に関する情報及び期間情報を更に含み、物理リソースフレームの長さ情報は、フレームヘッダ部、データ伝送部、又はフレームテール部のうちの少なくとも１つの長さ情報、及び／又は物理リソースフレームの全長情報を含む。
【０２０１】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｉｍｅ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【０２０２】
基地局により非同期データ伝送パラメータを決定する方法は、下記のように実現されてもよい。パラメータは、ブロードキャストメッセージ又は専用ＲＲＣメッセージ等のＲＲＣメッセージを用いることにより、半静的に設定される。或いは、パラメータは、ＭＡＣ  ＣＥ又はＰＤＣＣＨシグナリング等のＭＡＣレイヤ又は物理レイヤメッセージを用いることにより、動的に設定される。或いは、パラメータは、ＲＲＣメッセージ、及びＭＡＣレイヤ又は物理レイヤメッセージを用いることにより設定される。ＲＲＣメッセージを用いることにより一部のパラメータが通知され、ＭＡＣレイヤ又は物理レイヤメッセージを用いることによりその他のメッセージが通知される。或いは、プロトコルを用いることにより、物理リソースフレームの長さ情報等の一部のパラメータが固定され、その他のパラメータは、上記様態で端末に通知される。任意選択として、非同期伝送パラメータは、１つ又は複数のメッセージを用いることにより、端末に送信されてもよい。非同期伝送パラメータは、１つの端末だけで用いられてもよいし、複数の端末により共有されてもよい。本明細書においては、これに限定されない。
【０２０３】
３０２：物理リソースフレームフォーマット情報に従って、非同期伝送フレームの長さを決定する。非同期伝送フレームは、フレームヘッダ部、データ伝送部、及びフレームテール部を含む。非同期伝送フレームは、物理ランダムアクセスチャネルＰＲＡＣＨリソース部を更に含む。
【０２０４】
端末は、物理リソースフレームの長さ情報に従って、非同期伝送フレームを設定する。非同期伝送フレームの長さは、端末と基地局との間の非同期伝送により必要とされる長さである。任意選択として、複数の非同期伝送フレームフォーマットが更に予備設定されてもよい。各非同期伝送フレームフォーマットは識別子に対応する。また、非同期伝送パラメータ情報における物理リソースフレームの長さ情報は識別子であってもよい。端末は、識別子に従って特定の使用される非同期伝送フレームフォーマットを決定し、非同期伝送フレームの長さを決定する。
【０２０５】
３０３：プリアンブルを取得する。
【０２０６】
プリアンブルは、端末によって予約プリアンブル空間から取得されてもよいし、基地局によって端末に割り当てられてもよい。本明細書においては、これに限定されない。
【０２０７】
３０４：物理リソースを用いてデータを伝送する条件を満たすデータ情報に関して、データ伝送部を用いることにより、第１のアップリンク情報を基地局に送信する。第１のアップリンク情報は具体的に、下記のようなものを含む。基地局への無線リソース制御ＲＲＣ接続が接続状態にある場合、第１のアップリンク情報は、バッファステータスレポート、データ情報、又は端末識別子のうちの少なくとも１つを含む。或いは、基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含む。或いは、基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【０２０８】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。データ伝送部を用いることにより、物理リソースを用いてデータを伝送する条件を満たすデータ情報を伝送することは、近い時間における別の端末のデータへの干渉が発生することを回避することができる。端末は、基地局へのＲＲＣ接続の様々な状態に従って、第１のアップリンク情報の内容を決定してもよい。端末がＲＲＣ接続状態にある場合、端末は、バッファステータスレポートを直接送信して、アップリンク伝送を要する端末のデータのボリュームを示してもよく、さらに、データ情報及び端末識別子に関するアップリンク伝送を直接実行してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。端末がＲＲＣアイドル状態にある場合、端末は、ＲＲＣ接続リクエストメッセージを送信してもよいし、データ情報を直接送信してもよい。端末がＲＲＣ接続再確立状態にある場合、端末は、ＲＲＣ接続再確立リクエストメッセージを送信してもよいし、データ情報及びバッファステータスレポートを直接送信してもよい。端末がプリアンブルを基地局に送信し、その結果端末は、端末が基地局への接続を確立できない場合、コンテンションベースのランダムアクセス又は非コンテンションベースのランダムアクセスを用いて、依然として接続を確立することができる。
【０２０９】
３０５：基地局により送信されたダウンリンク情報を受信する。ダウンリンク情報は、第１のアップリンク情報の否定応答を含む。
【０２１０】
基地局が端末により送信された第１のアップリンク情報を受信できない場合又は第１のアップリンク情報の内容を上手く解読できない場合、基地局は、ダウンリンク情報を端末に送信する。ダウンリンク情報は、第１のアップリンク情報の否定応答を含む。端末により送信された第１のアップリンク情報を受信できない場合に、基地局がランダムアクセス応答メッセージを端末に直接送信することができることから、ステップ３０５は任意選択のステップであることに留意するものとする。
【０２１１】
３０６：基地局により送信されたランダムアクセス応答メッセージを受信する。ランダムアクセス応答メッセージは、同期アップリンクグラントメッセージ及びアップリンクタイミングアドバンス情報を含む。
【０２１２】
端末により送信された第１のアップリンク情報を基地局が受信できない場合、基地局は、端末がプリアンブルを基地局に送信することから、さらに、ランダムアクセス応答メッセージを端末に送信してもよい。ランダムアクセスメッセージは、端末がバッファステータスレポート又はアップリンクデータを送信することができることを示すために用いられる同期アップリンクグラントメッセージを含む。ランダムアクセスメッセージに含まれるアップリンクタイミングアドバンス情報は、端末がアップリンク情報を送信するタイミングを示すために用いられる。
【０２１３】
上記実施形態においては、一般的に、ステップ２０４で肯定応答を含むダウンリンク情報を端末が受信した場合、これは、基地局が第１のアップリンク情報を上手く受信したことを示していることに留意するものとする。したがって、基地局は一般的に、ランダムアクセス応答メッセージを送信せず、端末は、ランダムアクセス応答メッセージを受信することもなければ、アップリンク送信にランダムアクセス応答メッセージを適用することもない。第１のアップリンク情報の否定応答を含むダウンリンク情報を端末が受信した場合、これは、基地局が第１のアップリンク情報を受信できないことを示す。したがって、基地局がプリアンブルを上手く受信する場合、基地局は一般的に、ランダムアクセス応答メッセージを送信し、端末は、このランダムアクセス応答メッセージに従って、次の動作を実行する。
【０２１４】
３０７：ランダムアクセス応答メッセージを適用し、第２のアップリンク情報を基地局に送信する。第２のアップリンク情報は、データ情報を含む。
【０２１５】
ランダムアクセス応答メッセージを受信した後に、端末は、コンテンションベースのランダムアクセス又は非コンテンションベースのランダムアクセスを用いて接続を確立し、次に同期アップリンク伝送を実行してもよい。本明細書においては、これに限定されない。
【０２１６】
任意選択として、第２のアップリンク情報の内容は、第１のアップリンク情報のものと同じであってもよいし、異なっていてもよい。すなわち、端末は、第２のアップリンク情報を用いることにより、非同期伝送フレームを用いて上手く伝送されない第１のアップリンク情報を再送信してもよい。本明細書においては、これに限定されない。
【０２１７】
本発明の本実施形態において、非同期伝送フレームは、プリアンブルを伝送するために用いられる物理ランダムアクセスチャネルＰＲＡＣＨリソース部を更に含む。基地局が非同期伝送フレームを受信して、この非同期伝送フレームのデータ伝送部を解読できない場合、基地局は、ＰＲＡＣＨリソースにおけるプリアンブルを更に取得し、そしてランダムアクセス応答メッセージを端末に送信して、ＲＲＣ接続を確立することができ、その結果端末は同期アップリンク伝送を実行することができる。情報交換の安定性が向上する。
【０２１８】
図１２を参照すると、本発明の一実施形態による非同期アップリンク伝送のための方法の別の実施形態は、下記のステップを含む。
【０２１９】
４０１：非同期伝送パラメータ情報を決定する。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。
【０２２０】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。非同期伝送を実現するために、非同期伝送パラメータは、物理リソースフレームの長さ情報を更に含む必要がある。
【０２２１】
４０２：非同期伝送フレームを用いることにより非同期伝送パラメータに従って端末により送信された第１のアップリンク情報を受信する。非同期伝送フレームは、フレームヘッダ部、データ伝送部、及びフレームテール部を含む。
【０２２２】
端末は、物理リソースフレームの長さ情報に従って、非同期伝送フレームを設定する。非同期伝送フレームの長さは、端末と基地局との間の非同期伝送により必要とされる長さである。
【０２２３】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。
【０２２４】
本発明の本実施形態において、端末により基地局に送信された非同期伝送フレームは、基地局により受信が許可されたフレームの長さを有する。したがって、基地局が非同期伝送フレームを受信することができ、基地局は、この非同期伝送フレームの内容を解読して、第１のアップリンク情報を取得する。このように、端末及び基地局が非同期状態であっても、端末は依然として、時間内にアップリンクデータ伝送を実行することができる。非同期状態におけるアップリンクデータ伝送待ち時間及びシグナリングオーバヘッドが低減される。
【０２２５】
上記実施形態において説明されたように、基地局は、非同期伝送パラメータ情報を決定する。非同期伝送パラメータ情報は、物理リソース情報、変調符号化方式情報、及び物理リソースフレームの長さ情報を含む。基地局は、非同期伝送フレームを用いることにより非同期伝送パラメータに従って端末により送信された第１のアップリンク情報を受信する。非同期伝送フレームは、フレームヘッダ部、データ伝送部、及びフレームテール部を含む。実際の用途においては、端末と基地局との間の接続の状態に従って、第１のアップリンク情報の具体的な内容が決定されてもよい。非同期伝送パラメータ情報は、物理リソースを用いてデータを伝送する条件に関する情報を更に含む。物理リソースの長さ情報は物理フレームの特定の部分であってもよい。非同期伝送パラメータは、期間情報を更に含んでいてもよい。さらに、基地局は、ダウンリンク情報を端末に送信してもよく、端末により送信された第２のアップリンク情報を受信する。具体的な説明は、下記で与えられる。図１３を参照すると、本発明の一実施形態による非同期アップリンク伝送のための方法の別の実施形態は、下記のステップを含む。
【０２２６】
５０１：非同期伝送パラメータ情報を決定する。非同期伝送パラメータ情報は、物理リソース情報、変調符号化方式情報、及び物理リソースフレームフォーマット情報を含み、物理リソースフレームフォーマット情報は、物理リソースフレームの長さ情報を含み、非同期伝送パラメータ情報は、物理リソースを用いてデータを伝送する条件に関する情報及び期間情報を更に含み、物理リソースフレームの長さ情報は、フレームヘッダ部、データ伝送部、又はフレームテール部のうちの少なくとも１つの長さ情報、及び／又は物理リソースフレームの全長情報を含む。
【０２２７】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｉｍｅ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【０２２８】
基地局により非同期データ伝送パラメータを決定する方法は、下記のように実現されてもよい。パラメータは、ブロードキャストメッセージ又は専用ＲＲＣメッセージ等のＲＲＣメッセージを用いることにより、半静的に設定される。或いは、パラメータは、ＭＡＣ  ＣＥ又はＰＤＣＣＨシグナリング等のＭＡＣレイヤ又は物理レイヤメッセージを用いることにより、動的に設定される。或いは、パラメータは、ＲＲＣメッセージ、及びＭＡＣレイヤ又は物理レイヤメッセージを用いることにより設定される。ＲＲＣメッセージを用いることにより一部のパラメータが通知され、ＭＡＣレイヤ又は物理レイヤメッセージを用いることによりその他のメッセージが通知される。或いは、プロトコルを用いることにより、物理リソースフレームの長さ情報等の一部のパラメータが固定され、その他のパラメータは、上記様態で端末に通知される。任意選択として、非同期伝送パラメータは、１つ又は複数のメッセージを用いることにより、端末に送信されてもよい。非同期伝送パラメータは、１つの端末だけで用いられてもよいし、複数の端末により共有されてもよい。本明細書においては、これに限定されない。
【０２２９】
５０２：物理リソースを用いてデータを伝送する条件を満たすデータ情報に関して非同期伝送フレームのデータ伝送部を用いることにより送信された第１のアップリンク情報を受信する。非同期伝送フレームは、フレームヘッダ部、データ伝送部、及びフレームテール部を含む。基地局への無線リソース制御ＲＲＣ接続が接続状態にある場合、第１のアップリンク情報は、バッファステータスレポート、データ情報、又は端末識別子のうちの少なくとも１つを含む。或いは、基地局への無線リソース制御ＲＲＣ接続がアイドル状態にある場合、第１のアップリンク情報は、ＲＲＣ接続リクエストメッセージ、データ情報、又は端末識別子のうちの少なくとも１つを含む。或いは、基地局への無線リソース制御ＲＲＣ接続が再確立された場合、第１のアップリンク情報は、ＲＲＣ接続再確立リクエストメッセージ、データ情報、バッファステータスレポート、又は端末識別子のうちの少なくとも１つを含む。
【０２３０】
端末は、物理リソースフレームの長さ情報に従って、非同期伝送フレームを設定する。非同期伝送フレームの長さは、端末と基地局との間の非同期伝送により必要とされる長さである。任意選択として、複数の非同期伝送フレームフォーマットが更に予備設定されてもよい。各非同期伝送フレームフォーマットは識別子に対応する。また、非同期伝送パラメータ情報における物理リソースフレームの長さ情報は識別子であってもよい。端末は、識別子に従って特定の使用される非同期伝送フレームフォーマットを決定し、非同期伝送フレームの長さを決定する。
【０２３１】
所要長さを有する非同期伝送フレームを用いることにより、必要な非同期伝送パラメータ情報に従って、端末が第１のアップリンク情報を基地局に送信することから、基地局は、その非同期伝送フレームを受信して、第１のアップリンク情報を取得することができる。非同期伝送フレームを用いることにより、端末が第１のアップリンク情報を基地局に送信する場合、使用されるタイミングアドバンスは０であることに留意するものとする。すなわち、端末は、ダウンリンク信号を受信するタイミングを決定し、ダウンリンク信号を受信するための決定タイミングを基準として使用し、非同期伝送フレームを用いることによって、第１のアップリンク情報を基地局に送信する。データ伝送部を用いることにより、物理リソースを用いてデータを伝送する条件を満たすデータ情報を伝送することは、近い時間における別の端末のデータへの干渉が発生することを回避することができる。端末は、基地局へのＲＲＣ接続の様々な状態に従って、第１のアップリンク情報の内容を決定してもよい。端末がＲＲＣ接続状態にある場合、端末は、バッファステータスレポートを直接送信して、アップリンク伝送を要する端末のデータのボリュームを示してもよく、さらに、データ情報及び端末識別子に関するアップリンク伝送を直接実行してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。端末がＲＲＣアイドル状態にある場合、端末は、ＲＲＣ接続リクエストメッセージを送信してもよいし、データ情報を直接送信してもよい。端末がＲＲＣ接続再確立状態にある場合、端末は、ＲＲＣ接続再確立リクエストメッセージを送信してもよいし、データ情報及びバッファステータスレポートを直接送信してもよい。
【０２３２】
５０３：ダウンリンク情報を端末に送信する。ダウンリンク情報は、アップリンクタイミング調整コマンド及び第１のアップリンク情報の肯定応答を含む。端末への無線リソース制御ＲＲＣ接続が接続状態にある場合、ダウンリンク情報は、同期アップリンクグラントメッセージ及び／又は端末の識別情報を更に含む。或いは、端末への無線リソース制御ＲＲＣ接続がアイドル状態にある場合、ダウンリンク情報は、ＲＲＣ接続確立メッセージを更に含む。或いは、端末への無線リソース制御ＲＲＣ接続が再確立された場合、ダウンリンク情報は、同期アップリンクグラントメッセージ及び／又はＲＲＣ接続再確立メッセージを更に含む。
【０２３３】
一般的に、アップリンクタイミング調整コマンドにおける調整値は、基地局が第１のアップリンク情報を受信するタイミングと受信ウィンドウとの間の偏差値に従って決定される。例えば、基地局が受信ウィンドウよりもΔＴ、例えば１μｓ、遅く第１のアップリンク情報を受信する場合、基地局によりアップリンクタイミング調整コマンドに加算される調整値はΔＴである。調整値を受信した後に、端末は、次のデータ伝送プロセスにおいて値ΔＴを使用する。本明細書においては、これに限定されない。
【０２３４】
基地局は、端末への接続の状態に従って、ダウンリンク情報の内容を決定してもよい。基地局がＲＲＣ接続状態にある場合、基地局は、同期アップリンクグラントメッセージを送信して、端末にアップリンクデータを送信するように指示してもよい。端末は、端末識別子を更に送信してもよい。例えば、端末識別子は、Ｃ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）である。非同期伝送パラメータがその端末のみにより用いられている場合、識別子は伝搬される必要がないことに留意するものとする。基地局がＲＲＣアイドル状態にある場合、基地局は、ＲＲＣ接続確立メッセージを送信して、端末に基地局へのＲＲＣ接続を確立するように指示してもよい。基地局がＲＲＣ接続再確立状態にある場合、基地局は、ＲＲＣ接続再確立メッセージを送信して、端末に基地局へのＲＲＣ接続を再確立するように指示してもよく、さらに、同期アップリンクグラントメッセージを送信して、端末にアップリンクデータを送信するように指示してもよい。
【０２３５】
任意選択として、ダウンリンク情報は、Ａ−ＰＵＳＣＨ−ＲＮＴＩ（Ａｓｙｎｃｈｒｏｎｏｕｓ  Ｐｈｙｓｉｃａｌ  Ｕｐｌｉｎｋ  Ｓｈａｒｅｄ  Ｃｈａｎｎｅｌ  Ｒａｄｉｏ  Ｎｅｔｗｏｒｋ  Ｔｅｍｐｏｒａｒｙ  Ｉｄｅｎｔｉｆｉｅｒ，非同期物理アップリンク共有チャネル無線ネットワーク一時識別子）又はＣ−ＲＮＴＩ（ＣｅｌｌＲａｄｉｏＮｅｔｗｏｒｋＴｅｍｐｏｒａｒｙＩｄｅｎｔｉｆｉｅｒ，セル無線ネットワーク一時識別子）を用いてマスクされる。具体的には、ＵＥがＣ−ＲＮＴＩをアップリンク情報に追加した場合、ダウンリンク情報は、Ｃ−ＲＮＴＩを用いてマスクされてもよい。ＵＥがＡ−ＰＵＳＣＨ−ＲＮＴＩをアップリンク情報に追加した場合、ダウンリンク情報は、Ａ−ＰＵＳＣＨ−ＲＮＴＩを用いてマスクされてもよい。
【０２３６】
或いは、ダウンリンク情報は、第１のアップリンク情報の否定応答を含む。第１のアップリンク情報の否定応答を含むダウンリンク情報を端末が受信した後に、端末は、ランダムアクセスプロセスを開始するか、又は、新しい非同期伝送フレームを用いることにより、第１のアップリンク情報を再送信する。本明細書では、詳細は説明されない。
【０２３７】
５０４：端末と基地局との間の無線リソース制御ＲＲＣ接続が接続状態にある場合、同期アップリンクグラントメッセージに従って端末により送信された第２のアップリンク情報を受信する。第２のアップリンク情報は、データ情報を含む。或いは、端末と基地局との間の無線リソース制御ＲＲＣ接続がアイドル状態にある場合、ＲＲＣ接続確立メッセージに従って端末により送信された第２のアップリンク情報を受信する。第２のアップリンク情報は、ＲＲＣ接続確立完了メッセージを含む。或いは、端末と基地局との間の無線リソース制御ＲＲＣ接続が再確立された場合は、ＲＲＣ接続再確立メッセージに従って端末により送信された第２のアップリンク情報を受信する。第２のアップリンク情報は、ＲＲＣ接続再確立完了メッセージ及び／又はデータ情報を含む。
【０２３８】
基地局への接続の様々な状態に従って、端末は、異なる内容を含む第２のアップリンク情報を基地局に送信する。端末と基地局との間のＲＲＣ接続が接続状態にない場合は、ＲＲＣ接続確立が完了した後の次の情報交換ステップに関して、基地局へのＲＲＣ接続が接続状態にある端末が参照されることに留意するものとする。本明細書では、詳細は説明されない。
【０２３９】
本発明の本実施形態において、非同期伝送パラメータ情報は、物理リソースを用いてデータを伝送する条件に関する情報を含み、その結果基地局により受信されるアップリンク情報の精度が高くなる。非同期伝送パラメータ情報は、期間情報を更に含み、その結果チャネルリソースが節約される。物理リソースを用いてデータを伝送する条件を満たすデータ情報に関して、データ伝送部を用いることにより、第１のアップリンク情報が基地局に送信され、その結果近い時間における別の端末のデータへの干渉が回避され得る。端末は、基地局へのＲＲＣ接続の様々な状態に従って、第１のアップリンク情報の内容を決定することができ、その結果情報交換効率が向上する。
【０２４０】
上記実施形態において説明されたように、基地局は、非同期伝送フレームを用いることにより非同期伝送パラメータ情報に従って端末により送信された第１のアップリンク情報を受信する。実際の用途において、非同期伝送フレームは、プリアンブルを伝送するために用いられる物理ランダムアクセスチャネルＰＡＲＣＨリソース部を更に含んでいてもよい。或いは、非同期伝送フレームが送信される場合は、物理ランダムアクセスチャネルＰＡＲＣＨリソースも送信される。ＰＡＲＣＨリソースは、プリアンブルを伝送するために用いられる。具体的な説明は、下記で与えられる。図１４を参照すると、本発明の一実施形態による非同期アップリンク伝送のための方法の別の実施形態は、下記のステップを含む。
【０２４１】
６０１：非同期伝送パラメータ情報を決定する。非同期伝送パラメータ情報は、物理リソース情報、変調符号化方式情報、及び物理リソースフレームフォーマット情報を含み、物理リソースフレームフォーマット情報は、物理リソースフレームの長さ情報を含み、非同期伝送パラメータ情報は、物理リソースを用いてデータを伝送する条件に関する情報及び期間情報を更に含み、物理リソースフレームの長さ情報は、フレームヘッダ部、データ伝送部、又はフレームテール部のうちの少なくとも１つの長さ情報、及び／又は物理リソースフレームの全長情報を含む。
【０２４２】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｉｍｅ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【０２４３】
基地局により非同期データ伝送パラメータを決定する方法は、下記のように実現されてもよい。パラメータは、ブロードキャストメッセージ又は専用ＲＲＣメッセージ等のＲＲＣメッセージを用いることにより、半静的に設定される。或いは、パラメータは、ＭＡＣ  ＣＥ又はＰＤＣＣＨシグナリング等のＭＡＣレイヤ又は物理レイヤメッセージを用いることにより、動的に設定される。或いは、パラメータは、ＲＲＣメッセージ、及びＭＡＣレイヤ又は物理レイヤメッセージを用いることにより設定される。ＲＲＣメッセージを用いることにより一部のパラメータが通知され、ＭＡＣレイヤ又は物理レイヤメッセージを用いることによりその他のメッセージが通知される。或いは、プロトコルを用いることにより、物理リソースフレームの長さ情報等の一部のパラメータが固定され、その他のパラメータは、上記様態で端末に通知される。任意選択として、非同期伝送パラメータは、１つ又は複数のメッセージを用いることにより、端末に送信されてもよい。非同期伝送パラメータは、１つの端末だけで用いられてもよいし、複数の端末により共有されてもよい。本明細書においては、これに限定されない。
【０２４４】
６０２：非同期伝送フレームのＰＲＡＣＨリソース部を用いることにより端末により送信されたプリアンブルを受信する。非同期伝送フレームは、フレームヘッダ部、データ伝送部、フレームテール部、及びランダムアクセスチャネルＰＲＡＣＨリソース部を含む。
【０２４５】
端末は、物理リソースフレームの長さ情報に従って、非同期伝送フレームを設定する。非同期伝送フレームの長さは、端末と基地局との間の非同期伝送により必要とされる長さである。任意選択として、複数の非同期伝送フレームフォーマットが更に予備設定されてもよい。各非同期伝送フレームフォーマットは識別子に対応する。また、非同期伝送パラメータ情報における物理リソースフレームの長さ情報は識別子であってもよい。端末は、識別子に従って特定の使用される非同期伝送フレームフォーマットを決定し、非同期伝送フレームの長さを決定する。プリアンブルは、端末によって予約プリアンブル空間から取得されてもよいし、基地局によって端末に割り当てられてもよい。本明細書においては、これに限定されない。
【０２４６】
６０３：ダウンリンク情報を端末に送信する。ダウンリンク情報は、第１のアップリンク情報の否定応答を含む。
【０２４７】
基地局が端末により送信された第１のアップリンク情報を受信できない場合又は第１のアップリンク情報の内容を上手く解読できない場合、基地局は、ダウンリンク情報を端末に送信する。ダウンリンク情報は、第１のアップリンク情報の否定応答を含む。端末により送信された第１のアップリンク情報を受信できない場合に、基地局がランダムアクセス応答メッセージを端末に直接送信することができることから、ステップ６０３は任意選択のステップであることに留意するものとする。
【０２４８】
６０４：ランダムアクセス応答メッセージを端末に送信する。ランダムアクセス応答メッセージは、同期アップリンクグラント情報及びアップリンクタイミングアドバンス情報を含む。
【０２４９】
端末により送信された第１のアップリンク情報を基地局が受信できない場合、基地局は、端末がプリアンブルを基地局に送信することから、さらに、ランダムアクセス応答メッセージを端末に送信してもよい。ランダムアクセスメッセージは、端末がバッファステータスレポート又はアップリンクデータを送信することができることを示すために用いられる同期アップリンクグラントメッセージを含む。ランダムアクセスメッセージに含まれるアップリンクタイミングアドバンス情報は、端末がアップリンク情報を送信するタイミングを示すために用いられる。
【０２５０】
上記実施形態においては、一般的に、肯定応答を含むダウンリンク情報を端末が受信した場合、これは、基地局が第１のアップリンク情報を上手く受信したことを示していることに留意するものとする。したがって、基地局は一般的に、ランダムアクセス応答メッセージを送信せず、端末は、ランダムアクセス応答メッセージを受信することもなければ、アップリンク送信にランダムアクセス応答メッセージを適用することもない。第１のアップリンク情報の否定応答を含むダウンリンク情報を端末が受信した場合、これは、基地局が第１のアップリンク情報を受信できないことを示す。したがって、基地局がプリアンブルを上手く受信する場合、基地局は一般的に、ランダムアクセス応答メッセージを送信し、端末は、このランダムアクセス応答メッセージに従って、次の動作を実行する。
【０２５１】
６０５：端末により送信された第２のアップリンク情報を受信する。第２のアップリンク情報は、データ情報を含む。
【０２５２】
ランダムアクセス応答メッセージを受信した後に、端末は、コンテンションベースのランダムアクセス又は非コンテンションベースのランダムアクセスを用いて接続を確立し、次に同期アップリンク伝送を実行してもよい。本明細書においては、これに限定されない。
【０２５３】
任意選択として、第２のアップリンク情報の内容は、第１のアップリンク情報のものと同じであってもよいし、異なっていてもよい。すなわち、端末は、第２のアップリンク情報を用いることにより、非同期伝送フレームを用いて上手く伝送されない第１のアップリンク情報を再送信してもよい。本明細書においては、これに限定されない。
【０２５４】
本発明の本実施形態において、非同期伝送フレームは、プリアンブルを伝送するために用いられる物理ランダムアクセスチャネルＰＲＡＣＨリソース部を更に含む。基地局が非同期伝送フレームを受信して、この非同期伝送フレームのデータ伝送部を解読できない場合、基地局は、ＰＲＡＣＨリソースにおけるプリアンブルを更に取得し、そしてランダムアクセス応答メッセージを端末に送信して、ＲＲＣ接続を確立することができ、その結果端末は同期アップリンク伝送を実行することができる。情報交換の安定性が向上する。
【０２５５】
上記実施形態において説明されたように、ランダムアクセスチャネルＰＲＡＣＨリソースは非同期伝送フレーム中にあることに留意するものとする。このような方法により、プリアンブル及び非同期伝送フレームは、同じ周波数帯域を有するが、しかし異なる時間を有する。実際の用途においては、ＰＲＡＣＨリソース及び非同期伝送フレームが同じ時間を有する限り、ＰＲＡＣＨリソースが代わりに独立フレームとして送信されてもよい。このようにして、プリアンブル及び非同期伝送フレームは、同じ時間を有するが、しかし異なる周波数帯域を有する。このような実施形態は、上記実施形態と同様である。本明細書では、詳細は説明されない。
【０２５６】
図１５を参照すると、端末がＵＥ、基地局がｅＮＢである一例を用いることにより、本発明の一実施形態による非同期アップリンク伝送のための方法の特定の適用シナリオの一実施形態は、下記のようなものを含む。
【０２５７】
まず、非同期伝送フレームフォーマットは、長さが０．５ｍｓのフレームヘッダＣＰ、長さが１ｍｓのデータ伝送部Ｕ−ＰＵＳＣＨ、及び長さが０．５ｍｓのフレームテールＴａｉｌを含むように設計されている。ｅＮＢは、物理レイヤメッセージを送信することにより、時間領域リソースとして、ＰＲＢ位置、符号化方式ＱＰＳＫ、及び非同期伝送フレームフォーマット情報をＵＥに送信する。ＵＥは、受信情報に従って、ＵＥにより非同期伝送フレームを使用するためのフォーマット、長さ、時間領域リソース、及び符号化方式を決定するとともに、タイミングアドバンスを０に設定する。ＵＥは、バッファステータスレポート、データ情報、及び端末識別子を含む第１のアップリンク情報をｅＮＢに送信する。ｅＮＢは、第１のアップリンク情報の肯定応答、アップリンクタイミング調整コマンド、同期アップリンクグラントメッセージ、及びＵＥの識別情報を含むダウンリンク情報をＵＥに送信する。ＵＥは、タイミング調整コマンドを適用し、タイミング調整タイマを開始し、同期アップリンクグラントメッセージに従って、データ情報を含む第２のアップリンク情報をｅＮＢに送信する。
【０２５８】
本発明の本実施形態においては、基地局のものと同じ非同期伝送パラメータ情報が取得される。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送フレームの長さは、物理リソースフレームフォーマット情報に従って決定される。非同期伝送フレームを用いることにより、非同期伝送パラメータ情報に従って、第１のアップリンク情報が基地局に送信される。端末により取得された非同期伝送パラメータ情報は、基地局のものと同じであるため、端末により決定された非同期伝送フレームの長さは、基地局により決定されたものと同じになる。したがって、非同期状態であっても、非同期伝送フレームを用いることにより、非同期伝送パラメータ情報に従って、端末が第１のアップリンク情報を基地局に送信する場合、シグナリングを用いてＲＲＣ接続を最初に確立することなく、基地局は依然として第１のアップリンク情報を受信し、データのアップリンク伝送を実現することができる。このようにして、非同期状態におけるアップリンクデータ伝送待ち時間及びシグナリングオーバヘッドが低減される。
【０２５９】
上記実施形態は、本発明の技術的解決手段の説明を単に意図しているに過ぎず、本発明を限定することを意図したものではない。本発明は、上記実施形態を参照して詳しく説明されているが、当業者であれば、依然として、本発明の実施形態の技術的解決手段の主旨及び範囲から逸脱することなく、上記実施形態において説明された技術的解決手段の改良を行うことができるか、又はそのいくつかの技術的特徴に等価な置換を行うことができることを理解するはずである。
【図１】
2018507629.tif 000003
【図２】
2018507629.tif 000004
【図３】
2018507629.tif 000005
【図４】
2018507629.tif 000006
【図５】
2018507629.tif 000007
【図６】
2018507629.tif 000008
【図７】
2018507629.tif 000009
【図８】
2018507629.tif 000010
【図９】
2018507629.tif 000011
【図１０】
2018507629.tif 000012
【図１１】
2018507629.tif 000013
【図１２】
2018507629.tif 000014
【図１３】
2018507629.tif 000015
【図１４】
2018507629.tif 000016
【図１５】
2018507629.tif 000017
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
非同期アップリンク伝送のための方法であって、
基地局のものと同じ非同期伝送パラメータ情報を取得するステップであり、前記非同期伝送パラメータ情報が、物理リソース情報、変調符号化方式情報、及び物理リソースフレームフォーマット情報を含み、前記物理リソースフレームフォーマット情報が、物理リソースフレームの長さ情報を含む、ステップと、
前記物理リソースフレームフォーマット情報に従って、非同期伝送フレームの長さを決定するステップと、
前記非同期伝送フレームを用いることにより、前記非同期伝送パラメータ情報に従って、第１のアップリンク情報を前記基地局に送信するステップとを含む、方法。
【請求項２】
前記基地局への無線リソース制御ＲＲＣ接続が接続状態にある場合、前記第１のアップリンク情報が、バッファステータスレポート、データ情報、又は端末識別子のうちの少なくとも１つを含むか、或いは、
前記基地局への無線リソース制御ＲＲＣ接続がアイドル状態にある場合、前記第１のアップリンク情報が、ＲＲＣ接続リクエストメッセージ、データ情報、又は端末識別子のうちの少なくとも１つを含むか、或いは、
前記基地局への無線リソース制御ＲＲＣ接続が再確立された場合、前記第１のアップリンク情報が、ＲＲＣ接続再確立リクエストメッセージ、データ情報、バッファステータスレポート、又は端末識別子のうちの少なくとも１つを含む、請求項１に記載の方法。
【請求項３】
前記非同期伝送パラメータ情報が、物理リソースを用いてデータを伝送する条件に関する情報を更に含み、
前記非同期伝送フレームを用いることにより、前記非同期伝送パラメータ情報に従って、第１のアップリンク情報を前記基地局に送信する前記ステップが、
前記物理リソースを用いてデータを伝送する前記条件を満たすデータ情報に関して、前記非同期伝送フレームのデータ伝送部を用いることにより、前記第１のアップリンク情報を前記基地局に送信するステップを含む、請求項１又は２に記載の方法。
【請求項４】
前記物理リソースフレームの前記長さ情報が、
フレームヘッダ部、データ伝送部、又はフレームテール部のうちの少なくとも１つの長さ情報、及び／又は前記物理リソースフレームの全長情報を含む、請求項１又は２に記載の方法。
【請求項５】
前記非同期伝送パラメータ情報が、物理リソース使用期間を示すために用いられる期間情報を更に含む、請求項１又は２に記載の方法。
【請求項６】
前記非同期伝送フレームを用いることにより、前記非同期伝送パラメータ情報に従って、第１のアップリンク情報を前記基地局に送信する前記ステップの後に、当該方法が、
前記基地局により送信されたダウンリンク情報を受信するステップであり、前記ダウンリンク情報が、アップリンクタイミング調整コマンド及び前記第１のアップリンク情報の肯定応答を含む、ステップを更に含み、
前記基地局への前記無線リソース制御ＲＲＣ接続が接続状態にある場合、前記ダウンリンク情報が、同期アップリンクグラントメッセージ及び／又は端末の識別情報を更に含むか、或いは、
前記基地局への前記無線リソース制御ＲＲＣ接続がアイドル状態にある場合、前記ダウンリンク情報が、ＲＲＣ接続確立メッセージを更に含むか、或いは、
前記基地局への前記無線リソース制御ＲＲＣ接続が再確立された場合、前記ダウンリンク情報が、同期アップリンクグラントメッセージ及び／又はＲＲＣ接続再確立メッセージを更に含む、請求項２に記載の方法。
【請求項７】
前記基地局により送信されたダウンリンク情報を受信する前記ステップの後に、当該方法が、
前記基地局への前記無線リソース制御ＲＲＣ接続が接続状態にある場合、タイミング調整コマンドを適用し、タイミング調整タイマを開始し、前記同期アップリンクグラントメッセージに従って第２のアップリンク情報を前記基地局に送信するステップであり、前記第２のアップリンク情報が前記データ情報を含む、ステップか、又は、
前記基地局への前記無線リソース制御ＲＲＣ接続がアイドル状態にある場合、前記ＲＲＣ接続確立メッセージに従って、第２のアップリンク情報を前記基地局に送信するステップであり、前記第２のアップリンク情報がＲＲＣ接続確立完了メッセージを含む、ステップか、又は、
前記基地局への前記無線リソース制御ＲＲＣ接続が再確立された場合、前記ＲＲＣ接続再確立メッセージに従って、第２のアップリンク情報を前記基地局に送信するステップであり、前記第２のアップリンク情報がＲＲＣ接続再確立完了メッセージ及び／又は前記データ情報を含む、ステップを更に含む、請求項６に記載の方法。
【請求項８】
前記非同期伝送フレームが、物理ランダムアクセスチャネルＰＲＡＣＨリソース部を更に含み、前記非同期伝送フレームを用いることにより、前記非同期伝送パラメータ情報に従って、第１のアップリンク情報を前記基地局に送信する前記ステップの前に、当該方法が、
プリアンブルを取得するステップを更に含み、
前記非同期伝送フレームを用いることにより、前記非同期伝送パラメータ情報に従って、第１のアップリンク情報を前記基地局に送信する前記ステップが、
前記ＰＲＡＣＨリソース部を用いることにより、前記プリアンブルを前記基地局に送信するステップを更に含み、
前記ＰＲＡＣＨリソース部を用いることにより、前記プリアンブルを前記基地局に送信する前記ステップの後に、当該方法が、
前記基地局により送信されたランダムアクセス応答メッセージを受信するステップであり、前記ランダムアクセス応答メッセージが同期アップリンクグラント情報及びアップリンクタイミングアドバンス情報を含む、ステップと、
前記ランダムアクセス応答メッセージを適用し、第２のアップリンク情報を前記基地局に送信するステップであり、前記第２のアップリンク情報がデータ情報を含む、ステップとを更に含む、請求項１又は２に記載の方法。
【請求項９】
当該方法が、
プリアンブルを取得するステップと、
物理ランダムアクセスチャネルＰＲＡＣＨリソースを用いることにより、前記プリアンブルを前記基地局に送信するステップであり、前記物理ランダムアクセスチャネルＰＲＡＣＨリソース及び前記非同期伝送フレームが時間領域において位置合わせされている、ステップとを更に含み、
前記物理ランダムアクセスチャネルＰＲＡＣＨリソースを用いることにより、前記プリアンブルを前記基地局に送信する前記ステップの後に、当該方法が、
前記基地局により送信されたランダムアクセス応答メッセージを受信するステップであり、前記ランダムアクセス応答メッセージが同期アップリンクグラント情報及びアップリンクタイミングアドバンス情報を含む、ステップと、
前記ランダムアクセス応答メッセージを適用し、第２のアップリンク情報を前記基地局に送信するステップであり、前記第２のアップリンク情報がデータ情報を含む、ステップとを更に含む、請求項１又は２に記載の方法。
【請求項１０】
基地局のものと同じ非同期伝送パラメータ情報を取得する前記ステップが、
無線リソース制御ＲＲＣレイヤメッセージを受信する様態、媒体アクセス制御レイヤメッセージを受信する様態、物理レイヤメッセージを受信する様態、又はプロトコル予備設定の様態のうちの少なくとも１つの様態で前記非同期伝送パラメータ情報を取得するステップを含む、請求項１から９のいずれか一項に記載の方法。
【請求項１１】
非同期アップリンク伝送のための方法であって、
非同期伝送パラメータ情報を決定するステップであり、前記非同期伝送パラメータ情報が、物理リソース情報、変調符号化方式情報、及び物理リソースフレームフォーマット情報を含み、前記物理リソースフレームフォーマット情報が、物理リソースフレームの長さ情報を含む、ステップと、
非同期伝送フレームを用いることにより前記非同期伝送パラメータに従って端末により送信された第１のアップリンク情報を受信するステップとを含む、方法。
【請求項１２】
前記端末と基地局との間の無線リソース制御ＲＲＣ接続が接続状態にある場合、前記第１のアップリンク情報が、バッファステータスレポート、データ情報、又は端末識別子のうちの少なくとも１つを含むか、或いは、
前記端末と基地局との間の無線リソース制御ＲＲＣ接続がアイドル状態にある場合、前記第１のアップリンク情報が、ＲＲＣ接続リクエストメッセージ、データ情報、又は端末識別子のうちの少なくとも１つを含むか、或いは、
前記端末と基地局との間の無線リソース制御ＲＲＣ接続が再確立状態にある場合、前記第１のアップリンク情報が、ＲＲＣ接続再確立リクエストメッセージ、データ情報、バッファステータスレポート、又は端末識別子のうちの少なくとも１つを含む、請求項１１に記載の方法。
【請求項１３】
前記非同期伝送パラメータ情報が、物理リソースを用いてデータを伝送する条件に関する情報を更に含み、
非同期伝送フレームを用いることにより前記非同期伝送パラメータに従って端末により送信された第１のアップリンク情報を受信する前記ステップが、
前記物理リソースを用いてデータを伝送する前記条件を満たすデータ情報に関して前記非同期伝送フレームのデータ伝送部を用いることにより送信された前記第１のアップリンク情報を受信するステップを含む、請求項１１又は１２に記載の方法。
【請求項１４】
前記物理リソースフレームの前記長さ情報が、
フレームヘッダ部、データ伝送部、又はフレームテール部のうちの少なくとも１つの長さ情報、及び／又は前記物理リソースフレームの全長情報を含む、請求項１１又は１２に記載の方法。
【請求項１５】
前記非同期伝送パラメータ情報が、物理リソース使用期間を示すために用いられる期間情報を更に含む、請求項１１又は１２に記載の方法。
【請求項１６】
非同期伝送フレームを用いることにより前記非同期伝送パラメータに従って端末により送信された第１のアップリンク情報を受信する前記ステップの後に、当該方法が、
ダウンリンク情報を前記端末に送信するステップであり、前記ダウンリンク情報が、アップリンクタイミング調整コマンド及び前記第１のアップリンク情報の肯定応答を含む、ステップを更に含み、
前記端末と前記基地局との間の前記無線リソース制御ＲＲＣ接続が接続状態にある場合、前記ダウンリンク情報が、同期アップリンクグラントメッセージ及び／又は前記端末の識別情報を更に含むか、或いは、
前記端末と前記基地局との間の前記無線リソース制御ＲＲＣ接続がアイドル状態にある場合、前記ダウンリンク情報が、ＲＲＣ接続確立メッセージを更に含むか、或いは、
前記端末と前記基地局との間の前記無線リソース制御ＲＲＣ接続が再確立状態にある場合、前記ダウンリンク情報が、同期アップリンクグラントメッセージ及び／又はＲＲＣ接続再確立メッセージを更に含む、請求項１２に記載の方法。
【請求項１７】
ダウンリンク情報を前記端末に送信する前記ステップの後に、当該方法が、
前記端末と前記基地局との間の前記無線リソース制御ＲＲＣ接続が接続状態にある場合、前記同期アップリンクグラントメッセージに従って前記端末により送信された第２のアップリンク情報を受信するステップであり、前記第２のアップリンク情報が前記データ情報を含む、ステップか、又は、
前記端末と前記基地局との間の前記無線リソース制御ＲＲＣ接続がアイドル状態にある場合、前記ＲＲＣ接続確立メッセージに従って前記端末により送信された第２のアップリンク情報を受信するステップであり、前記第２のアップリンク情報がＲＲＣ接続確立完了メッセージを含む、ステップか、又は、
前記端末と前記基地局との間の前記無線リソース制御ＲＲＣ接続が再確立された場合、前記ＲＲＣ接続再確立メッセージに従って前記端末により送信された第２のアップリンク情報を受信するステップであり、前記第２のアップリンク情報がＲＲＣ接続再確立完了メッセージ及び／又は前記データ情報を含む、ステップを更に含む、請求項１６に記載の方法。
【請求項１８】
前記非同期伝送フレームが、物理ランダムアクセスチャネルＰＲＡＣＨリソース部を更に含み、非同期伝送フレームを用いることにより前記非同期伝送パラメータに従って端末により送信された第１のアップリンク情報を受信する前記ステップが、
前記ＰＲＡＣＨリソース部を用いることにより前記端末により送信されたプリアンブルを受信するステップと、
ランダムアクセス応答メッセージを前記端末に送信するステップであり、前記ランダムアクセス応答メッセージが同期アップリンクグラント情報及びアップリンクタイミングアドバンス情報を含む、ステップと、
前記端末により送信された第２のアップリンク情報を受信するステップであり、前記第２のアップリンク情報がデータ情報を含む、ステップとを更に含む、請求項１１又は１２に記載の方法。
【請求項１９】
当該方法が、
物理ランダムアクセスチャネルＰＲＡＣＨリソースを用いることにより前記端末により送信されたプリアンブルを受信するステップであり、前記物理ランダムアクセスチャネルＰＲＡＣＨリソース及び前記非同期伝送フレームが時間領域において位置合わせされている、ステップと、
ランダムアクセス応答メッセージを前記端末に送信するステップであり、前記ランダムアクセス応答メッセージが同期アップリンクグラント情報及びアップリンクタイミングアドバンス情報を含む、ステップと、
前記端末により送信された第２のアップリンク情報を受信するステップであり、前記第２のアップリンク情報がデータ情報を含む、ステップとを更に含む、請求項１１又は１２に記載の方法。
【請求項２０】
非同期伝送パラメータ情報を決定する前記ステップの後に、当該方法が、
無線リソース制御ＲＲＣレイヤメッセージを送信する様態、媒体アクセス制御レイヤメッセージを送信する様態、物理レイヤメッセージを送信する様態、又はプロトコル予備設定の様態のうちの少なくとも１つの様態で前記非同期伝送パラメータ情報を前記端末に通知するステップを更に含む、請求項１１から１９のいずれか一項に記載の方法。
【請求項２１】
端末であって、
基地局のものと同じ非同期伝送パラメータ情報を取得するように構成された第１の取得ユニットであり、前記非同期伝送パラメータ情報が、物理リソース情報、変調符号化方式情報、及び物理リソースフレームフォーマット情報を含み、前記物理リソースフレームフォーマット情報が、物理リソースフレームの長さ情報を含む、第１の取得ユニットと、
前記物理リソースフレームフォーマット情報に従って、非同期伝送フレームの長さを決定するように構成された第１の決定ユニットと、
前記非同期伝送フレームを用いることにより、前記非同期伝送パラメータ情報に従って、第１のアップリンク情報を前記基地局に送信するように構成された第１の送信ユニットとを備える、端末。
【請求項２２】
前記基地局への無線リソース制御ＲＲＣ接続が接続状態にある場合、前記第１のアップリンク情報が、バッファステータスレポート、データ情報、又は端末識別子のうちの少なくとも１つを含むか、或いは、
前記基地局への無線リソース制御ＲＲＣ接続がアイドル状態にある場合、前記第１のアップリンク情報が、ＲＲＣ接続リクエストメッセージ、データ情報、又は端末識別子のうちの少なくとも１つを含むか、或いは、
前記基地局への無線リソース制御ＲＲＣ接続が再確立された場合、前記第１のアップリンク情報が、ＲＲＣ接続再確立リクエストメッセージ、データ情報、バッファステータスレポート、又は端末識別子のうちの少なくとも１つを含む、請求項２１に記載の端末。
【請求項２３】
前記非同期伝送パラメータ情報が、物理リソースを用いてデータを伝送する条件に関する情報を更に含み、
前記第１の送信ユニットが、
前記物理リソースを用いてデータを伝送する前記条件を満たすデータ情報に関して、前記非同期伝送フレームのデータ伝送部を用いることにより、前記第１のアップリンク情報を前記基地局に送信するように構成された第１の送信モジュールを備える、請求項２１又は２２に記載の端末。
【請求項２４】
前記物理リソースフレームの前記長さ情報が、
フレームヘッダ部、データ伝送部、又はフレームテール部のうちの少なくとも１つの長さ情報、及び／又は前記物理リソースフレームの全長情報を含む、請求項２１又は２２に記載の端末。
【請求項２５】
前記非同期伝送パラメータ情報が、物理リソース使用期間を示すために用いられる期間情報を更に含む、請求項２１又は２２に記載の端末。
【請求項２６】
前記非同期伝送フレームを用いることにより、前記非同期伝送パラメータ情報に従って、前記第１のアップリンク情報が前記基地局に送信された後に、当該端末が、
前記基地局により送信されたダウンリンク情報を受信するように構成された第１の受信ユニットであり、前記ダウンリンク情報が、アップリンクタイミング調整コマンド及び前記第１のアップリンク情報の肯定応答を含む、第１の受信ユニットを更に含み、
前記基地局への前記無線リソース制御ＲＲＣ接続が接続状態にある場合、前記ダウンリンク情報が、同期アップリンクグラントメッセージ及び／又は前記端末の識別情報を更に含むか、或いは、
前記基地局への前記無線リソース制御ＲＲＣ接続がアイドル状態にある場合、前記ダウンリンク情報が、ＲＲＣ接続確立メッセージを更に含むか、或いは、
前記基地局への前記無線リソース制御ＲＲＣ接続が再確立された場合、前記ダウンリンク情報が、同期アップリンクグラントメッセージ及び／又はＲＲＣ接続再確立メッセージを更に含む、請求項２２に記載の端末。
【請求項２７】
前記基地局により送信された前記ダウンリンク情報が受信された後に、当該端末が、
前記基地局への前記無線リソース制御ＲＲＣ接続が接続状態にある場合、タイミング調整コマンドを適用し、タイミング調整タイマを開始するように構成された第１の適用ユニットと、
前記基地局への前記無線リソース制御ＲＲＣ接続が接続状態にある場合、前記同期アップリンクグラントメッセージに従って第２のアップリンク情報を前記基地局に送信し、前記第２のアップリンク情報が前記データ情報を含むか、或いは、
前記基地局への前記無線リソース制御ＲＲＣ接続がアイドル状態にある場合、前記ＲＲＣ接続確立メッセージに従って、第２のアップリンク情報を前記基地局に送信し、前記第２のアップリンク情報がＲＲＣ接続確立完了メッセージを含むか、或いは、
前記基地局への前記無線リソース制御ＲＲＣ接続が再確立された場合、前記ＲＲＣ接続再確立メッセージに従って、第２のアップリンク情報を前記基地局に送信し、前記第２のアップリンク情報がＲＲＣ接続再確立完了メッセージ及び／又は前記データ情報を含む、ように構成された第２の送信ユニットとを更に備える、請求項２６に記載の端末。
【請求項２８】
前記非同期伝送フレームが、物理ランダムアクセスチャネルＰＲＡＣＨリソース部を更に含み、前記非同期伝送フレームを用いることにより、前記非同期伝送パラメータ情報に従って、前記第１のアップリンク情報が前記基地局に送信される前に、当該端末が、
プリアンブルを取得するように構成された第２の取得ユニットを更に備え、
前記第１の送信ユニットが、
前記ＰＲＡＣＨリソース部を用いることにより、前記プリアンブルを前記基地局に送信するように構成された第２の送信モジュールを更に備え、
前記ＰＲＡＣＨリソース部を用いることにより、前記プリアンブルが前記基地局に送信された後に、当該端末が、
前記基地局により送信されたランダムアクセス応答メッセージを受信するように構成された第２の受信ユニットであり、前記ランダムアクセス応答メッセージが同期アップリンクグラント情報及びアップリンクタイミングアドバンス情報を含む、第２の受信ユニットと、
前記ランダムアクセス応答メッセージを適用するように構成された第２の適用ユニットと、
第２のアップリンク情報を前記基地局に送信するように構成された第３の送信ユニットであり、前記第２のアップリンク情報がデータ情報を含む、第３の送信ユニットとを更に備える、請求項２１又は２２に記載の端末。
【請求項２９】
当該端末が、
プリアンブルを取得するように構成された第３の取得ユニットを更に備え、
前記第１の送信ユニットが、
物理ランダムアクセスチャネルＰＲＡＣＨリソースを用いることにより、前記プリアンブルを前記基地局に送信するように構成された第３の送信モジュールであり、前記物理ランダムアクセスチャネルＰＲＡＣＨリソース及び前記非同期伝送フレームが時間領域において位置合わせされている、第３の送信モジュールを更に備え、
物理ランダムアクセスチャネルＰＲＡＣＨリソースを用いることにより、前記プリアンブルが前記基地局に送信された後に、当該端末が、
前記基地局により送信されたランダムアクセス応答メッセージを受信するように構成された第３の受信ユニットであり、前記ランダムアクセス応答メッセージが同期アップリンクグラント情報及びアップリンクタイミングアドバンス情報を含む、第３の受信ユニットと、
前記ランダムアクセス応答メッセージを適用するように構成された第３の適用ユニットと、
第２のアップリンク情報を前記基地局に送信するように構成された第４の送信ユニットであり、前記第２のアップリンク情報がデータ情報を含む、第４の送信ユニットとを更に備える、請求項２１又は２２に記載の端末。
【請求項３０】
前記第１の取得ユニットが、
無線リソース制御ＲＲＣレイヤメッセージを受信する様態、媒体アクセス制御レイヤメッセージを受信する様態、物理レイヤメッセージを受信する様態、又はプロトコル予備設定の様態のうちの少なくとも１つの様態で前記非同期伝送パラメータ情報を取得するように構成された第１の取得モジュールを更に備える、請求項２１から２９のいずれか一項に記載の端末。
【請求項３１】
基地局であって、
非同期伝送パラメータ情報を決定するように構成された第２の決定ユニットであり、前記非同期伝送パラメータ情報が、物理リソース情報、変調符号化方式情報、及び物理リソースフレームフォーマット情報を含み、前記物理リソースフレームフォーマット情報が、物理リソースフレームの長さ情報を含む、第２の決定ユニットと、
非同期伝送フレームを用いることにより前記非同期伝送パラメータに従って端末により送信された第１のアップリンク情報を受信するように構成された第４の受信ユニットとを備える、基地局。
【請求項３２】
前記端末と当該基地局との間の無線リソース制御ＲＲＣ接続が接続状態にある場合、前記第１のアップリンク情報が、バッファステータスレポート、データ情報、又は端末識別子のうちの少なくとも１つを含むか、或いは、
前記端末と当該基地局との間の無線リソース制御ＲＲＣ接続がアイドル状態にある場合、前記第１のアップリンク情報が、ＲＲＣ接続リクエストメッセージ、データ情報、又は端末識別子のうちの少なくとも１つを含むか、或いは、
前記端末と当該基地局との間の無線リソース制御ＲＲＣ接続が再確立状態にある場合、前記第１のアップリンク情報が、ＲＲＣ接続再確立リクエストメッセージ、データ情報、バッファステータスレポート、又は端末識別子のうちの少なくとも１つを含む、請求項３１に記載の基地局。
【請求項３３】
前記非同期伝送パラメータ情報が、物理リソースを用いてデータを伝送する条件に関する情報を更に含み、
前記第４の受信ユニットが、
前記物理リソースを用いてデータを伝送する前記条件を満たすデータ情報に関して前記非同期伝送フレームのデータ伝送部を用いることにより送信された前記第１のアップリンク情報を受信するように構成された第４の受信モジュールを備える、請求項３１又は３２に記載の基地局。
【請求項３４】
前記物理リソースフレームの前記長さ情報が、
フレームヘッダ部、データ伝送部、又はフレームテール部のうちの少なくとも１つの長さ情報、及び／又は前記物理リソースフレームの全長情報を含む、請求項３１又は３２に記載の基地局。
【請求項３５】
前記非同期伝送パラメータ情報が、物理リソース使用期間を示すために用いられる期間情報を更に含む、請求項３１又は３２に記載の基地局。
【請求項３６】
前記非同期伝送フレームを用いることにより前記非同期伝送パラメータに従って前記端末により送信された前記第１のアップリンク情報が受信された後に、当該基地局が、
ダウンリンク情報を前記端末に送信するように構成された第５の送信ユニットであり、前記ダウンリンク情報が、アップリンクタイミング調整コマンド及び前記第１のアップリンク情報の肯定応答を含む、第５の送信ユニットを更に備え、
前記端末と当該基地局との間の前記無線リソース制御ＲＲＣ接続が接続状態にある場合、前記ダウンリンク情報が、同期アップリンクグラントメッセージ及び／又は前記端末の識別情報を更に含むか、或いは、
前記端末と当該基地局との間の前記無線リソース制御ＲＲＣ接続がアイドル状態にある場合、前記ダウンリンク情報が、ＲＲＣ接続確立メッセージを更に含むか、或いは、
前記端末と当該基地局との間の前記無線リソース制御ＲＲＣ接続が再確立状態にある場合、前記ダウンリンク情報が、同期アップリンクグラントメッセージ及び／又はＲＲＣ接続再確立メッセージを更に含む、請求項３２に記載の基地局。
【請求項３７】
前記ダウンリンク情報が前記端末に送信された後に、当該基地局が、
前記端末と当該基地局との間の前記無線リソース制御ＲＲＣ接続が接続状態にある場合、前記同期アップリンクグラントメッセージに従って前記端末により送信された第２のアップリンク情報を受信し、前記第２のアップリンク情報が前記データ情報を含むか、或いは、
前記端末と当該基地局との間の前記無線リソース制御ＲＲＣ接続がアイドル状態にある場合、前記ＲＲＣ接続確立メッセージに従って前記端末により送信された第２のアップリンク情報を受信し、前記第２のアップリンク情報がＲＲＣ接続確立完了メッセージを含むか、或いは、
前記端末と当該基地局との間の前記無線リソース制御ＲＲＣ接続が再確立された場合、前記ＲＲＣ接続再確立メッセージに従って前記端末により送信された第２のアップリンク情報を受信し、前記第２のアップリンク情報がＲＲＣ接続再確立完了メッセージ及び／又は前記データ情報を含む、ように構成された第５の受信ユニットを更に備える、請求項３６に記載の基地局。
【請求項３８】
前記非同期伝送フレームが、物理ランダムアクセスチャネルＰＲＡＣＨリソース部を更に含み、前記第４の受信ユニットが、
前記ＰＲＡＣＨリソース部を用いることにより前記端末により送信されたプリアンブルを受信するように構成された第５の受信モジュールと、
ランダムアクセス応答メッセージを前記端末に送信するように構成された第６の送信ユニットであり、前記ランダムアクセス応答メッセージが同期アップリンクグラント情報及びアップリンクタイミングアドバンス情報を含む、第６の送信ユニットと、
前記端末により送信された第２のアップリンク情報を受信するように構成された第６の受信ユニットであり、前記第２のアップリンク情報がデータ情報を含む、第６の受信ユニットとを更に備える、請求項３１又は３２に記載の基地局。
【請求項３９】
当該基地局が、
物理ランダムアクセスチャネルＰＲＡＣＨリソースを用いることにより前記端末により送信されたプリアンブルを受信するように構成された第７の受信ユニットであり、前記物理ランダムアクセスチャネルＰＲＡＣＨリソース及び前記非同期伝送フレームが時間領域において位置合わせされている、第７の受信ユニットと、
ランダムアクセス応答メッセージを前記端末に送信するように構成された第７の送信ユニットであり、前記ランダムアクセス応答メッセージが同期アップリンクグラント情報及びアップリンクタイミングアドバンス情報を含む、第７の送信ユニットと、
前記端末により送信された第２のアップリンク情報を受信するように構成された第８の受信ユニットであり、前記第２のアップリンク情報がデータ情報を含む、ように構成された第８の受信ユニットを更に備える、請求項３１又は３２に記載の基地局。
【請求項４０】
前記非同期伝送パラメータ情報が決定された後に、当該基地局が、
無線リソース制御ＲＲＣレイヤメッセージを送信する様態、媒体アクセス制御レイヤメッセージを送信する様態、物理レイヤメッセージを送信する様態、又はプロトコル予備設定の様態のうちの少なくとも１つの様態で前記非同期伝送パラメータ情報を前記端末に通知するように構成された通知ユニットを更に備える、請求項３１から３９のいずれか一項に記載の基地局。
【請求項４１】
プログラムが記録されたコンピュータ読み取り可能な記憶媒体であって、前記プログラムが、請求項１から１０のいずれか一項に記載の方法をコンピュータに実行させる、コンピュータ読み取り可能な記憶媒体。
【請求項４２】
プログラムが記録されたコンピュータ読み取り可能な記憶媒体であって、前記プログラムが、請求項１１から２０のいずれか一項に記載の方法をコンピュータに実行させる、コンピュータ読み取り可能な記憶媒体。
【請求項４３】
互いに通信する端末及び基地局を備える通信システムであって、前記端末が、請求項１から１０のいずれか一項に記載の方法を実行し、前記基地局が、請求項１１から２０のいずれか一項に記載の方法を実行する、通信システム。
【手続補正２】
【補正対象書類名】明細書
【補正対象項目名】０００２
【補正方法】変更
【補正の内容】
【０００２】
一般的に、端末とネットワークとの間の同期は、主として、フレーム同期及び時間同期という２つのプロセスを含む。フレーム同期は、ダウンリンク同期を表す。時間同期は、アップリンク同期を表す。例えば、ＬＴＥ（Ｌｏｎｇ  Ｔｅｒｍ  Ｅｖｏｌｕｔｉｏｎ，ロングタームエボリューション）において、異なるＵＥ（Ｕｓｅｒ  Ｅｑｕｉｐｍｅｎｔ，ユーザ機器）のアップリンク信号がｅＮＢ（ｅｖｏｌｖｅｄ  Ｎｏｄｅ  Ｂ，進化型ノードＢ）に到達する時間は、ＵＥアップリンク信号間の干渉を抑えるために一致する必要がある。ＵＥが通話中に基地局から離れる方向に移動する場合、基地局から送信された信号は、「ますます遅れて」ＵＥに到達し、ＵＥの信号についても「ますます遅れて」基地局に到達する。遅延が大き過ぎると、基地局がＵＥの信号を受信している現在のタイムスロットが、基地局が別のＵＥ信号を受信する次のタイムスロットと重なって、コード間干渉が生じる。アップリンク伝送の時間的整合は、ＵＥ側でＴＡ（Ｔｉｍｉｎｇ  Ａｄｖａｎｃｅ，タイミングアドバンス）を適用することによって実現される。ＴＡによって、ＵＥは、信号を早期に送信可能となる場合がある。
【手続補正３】
【補正対象書類名】明細書
【補正対象項目名】０００４
【補正方法】変更
【補正の内容】
【０００４】
ＵＥがＲＲＣ（Ｒａｄｉｏ  Ｒｅｓｏｕｒｃｅ  Ｃｏｎｔｒｏｌ，無線リソース制御）接続状態にあって、アップリンク同期を維持している場合、ＵＥは、アップリンクデータを送信することができる。ＵＥによるアップリンクデータの送信プロセスは一般的に、下記の通りである。ステップ１：ＵＥにおいてアップリンクデータが生まれると、特定の条件が満たされている場合は、ＢＳＲ（Ｂｕｆｆｅｒ  Ｓｔａｔｕｓ  Ｒｅｐｏｒｔ，バッファステータスレポート）が起動される。ＢＳＲを送信するためのアップリンクリソースがない場合は、ＳＲ（Ｓｃｈｅｄｕｌｉｎｇ  Ｒｅｑｕｅｓｔ，スケジューリングリクエスト）が起動される。ＳＲは、ＵＥのアップリンクデータがＢＳＲを起動しており、送信される必要があることを示している。ステップ２：ＳＲを受信した後に、ｅＮＢは、送信される必要があるアップリンクデータをＵＥが有する旨のみ判定することができるが、ＵＥによりバッファリングされたデータに関するその他の情報は一切分からない。ｅＮＢは、スケジューリングアルゴリズムに従ってアップリンクリソースをＵＥに割り当て、ＵＬ  Ｇｒａｎｔ（Ｕｐｌｉｎｋ  Ｇｒａｎｔ，アップリンクグラント）をＵＥに送信することにより、ＵＥに割り当てられたアップリンクリソースを通知する。ステップ３：ＵＬ  Ｇｒａｎｔを受信した後に、ＵＥは、ＵＥに割り当てられたアップリンクリソース上でＢＳＲをｅＮＢに送信することにより、現在バッファリングされているアップリンクデータのボリュームをｅＮＢに通知する。ステップ４：ＢＳＲを受信した後に、ｅＮＢは、ＵＥのアップリンクデータボリュームを比較的正確に把握し、スケジューリングアルゴリズムに従って適正なアップリンクリソースをＵＥに割り当て、ＵＬ  Ｇｒａｎｔ（アップリンクグラント）をＵＥに送信することにより、ＵＥに割り当てられたアップリンクリソースを通知する。ステップ５：ＵＬ  Ｇｒａｎｔを受信した後に、ＵＥは、ＵＥに割り当てられたアップリンクリソース上でアップリンクデータの伝送を実行する。ただし、一部のＵＥは、専用のＳＲリソースを有していない。ＵＥが専用のＳＲリソースを有していない場合又はＵＥがアップリンク非同期状態にある場合、ＵＥは、ランダムアクセスプロセスを実行して、アップリンクデータ伝送リソースを要求する必要がある。ＵＥが送信されるべきアップリンクデータを有している場合、ＵＥはまず、リソースの要求又はＲＲＣ接続及びデータベアラの確立が必要となる。これにより、シグナリングオーバヘッド及び待ち時間が大幅に増大する。
【手続補正４】
【補正対象書類名】明細書
【補正対象項目名】００２４
【補正方法】変更
【補正の内容】
【００２４】
本発明の実施形態の第２の態様又は第２の態様の第１の実施様態に関連して、本発明の実施形態の第２の態様の第８の実施様態において、当該方法は、
物理ランダムアクセスチャネルＰＲＡＣＨリソースを用いることにより端末により送信されたプリアンブルを受信するステップであり、物理ランダムアクセスチャネルＰＲＡＣＨリソース及び非同期伝送フレームが時間領域において位置合わせされている、ステップと、
ランダムアクセス応答メッセージを端末に送信するステップであり、ランダムアクセス応答メッセージが同期アップリンクグラント情報及びアップリンクタイミングアドバンス情報を含む、ステップと、
端末により送信された第２のアップリンク情報を受信するステップであり、第２のアップリンク情報がデータ情報を含む、ステップとを更に含む。
【手続補正５】
【補正対象書類名】明細書
【補正対象項目名】００３４
【補正方法】変更
【補正の内容】
【００３４】
本発明の実施形態の第３の態様又は第３の態様の第１の実施様態に関連して、本発明の実施形態の第３の態様の第８の実施様態において、当該端末は、
プリアンブルを取得するように構成された第３の取得ユニットを更に含み、
第１の送信ユニットは、
物理ランダムアクセスチャネルＰＲＡＣＨリソースを用いることにより、プリアンブルを基地局に送信するように構成された第３の送信モジュールであり、物理ランダムアクセスチャネルＰＲＡＣＨリソース及び非同期伝送フレームが時間領域において位置合わせされている、第３の送信モジュールを更に含み、
物理ランダムアクセスチャネルＰＲＡＣＨリソースを用いることにより、プリアンブルが基地局に送信された後に、当該端末は、
基地局により送信されたランダムアクセス応答メッセージを受信するように構成された第３の受信ユニットであり、ランダムアクセス応答メッセージが同期アップリンクグラント情報及びアップリンクタイミングアドバンス情報を含む、第３の受信ユニットと、
ランダムアクセス応答メッセージを適用するように構成された第３の適用ユニットと、
第２のアップリンク情報を基地局に送信するように構成された第４の送信ユニットであり、第２のアップリンク情報がデータ情報を含む、第４の送信ユニットとを更に含む。
【手続補正６】
【補正対象書類名】明細書
【補正対象項目名】００４４
【補正方法】変更
【補正の内容】
【００４４】
本発明の実施形態の第４の態様又は第４の態様の第１の実施様態に関連して、本発明の実施形態の第４の態様の第８の実施様態において、当該基地局は、
物理ランダムアクセスチャネルＰＲＡＣＨリソースを用いることにより端末により送信されたプリアンブルを受信するように構成された第７の受信ユニットであり、物理ランダムアクセスチャネルＰＲＡＣＨリソース及び非同期伝送フレームが時間領域において位置合わせされている、第７の受信ユニットと、
ランダムアクセス応答メッセージを端末に送信するように構成された第７の送信ユニットであり、ランダムアクセス応答メッセージが同期アップリンクグラント情報及びアップリンクタイミングアドバンス情報を含む、第７の送信ユニットと、
端末により送信された第２のアップリンク情報を受信するように構成された第８の受信ユニットであり、第２のアップリンク情報がデータ情報を含む、ように構成された第８の受信ユニットとを更に含む。
【手続補正７】
【補正対象書類名】明細書
【補正対象項目名】００４６
【補正方法】削除
【補正の内容】
【手続補正８】
【補正対象書類名】明細書
【補正対象項目名】００４８
【補正方法】変更
【補正の内容】
【００４８】
本発明の実施形態における技術的解決手段をより明確に説明するために、下記は、実施形態の説明に必要な添付の図面を簡単に説明する。当然のことながら、下記の説明における添付の図面は、本発明のいくつかの実施形態を示しているに過ぎず、当業者であれば、創意工夫なく、これら添付の図面から他の図面を導き出すことができる。
【手続補正９】
【補正対象書類名】明細書
【補正対象項目名】００６２
【補正方法】変更
【補正の内容】
【００６２】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｅｒｍ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【手続補正１０】
【補正対象書類名】明細書
【補正対象項目名】００７７
【補正方法】変更
【補正の内容】
【００７７】
上記実施形態において説明されたように、端末は、非同期伝送フレームを用いることにより、非同期伝送パラメータ情報に従って、第１のアップリンク情報を基地局に送信する。実際の用途において、非同期伝送フレームは、プリアンブルを伝送するために用いられる物理ランダムアクセスチャネルＰＲＡＣＨリソース部を更に含んでいてもよい。或いは、非同期伝送フレームが送信される場合は、物理ランダムアクセスチャネルＰＲＡＣＨリソースも送信される。ＰＲＡＣＨリソースは、プリアンブルを伝送するために用いられる。具体的な説明は、下記で与えられる。図３を参照すると、本発明の一実施形態による端末の別の実施形態は、下記のユニットを含む。
【手続補正１１】
【補正対象書類名】明細書
【補正対象項目名】００７９
【補正方法】変更
【補正の内容】
【００７９】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｅｒｍ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【手続補正１２】
【補正対象書類名】明細書
【補正対象項目名】００９１
【補正方法】変更
【補正の内容】
【００９１】
端末により送信された第１のアップリンク情報を基地局が受信できない場合、基地局は、端末がプリアンブルを基地局に送信することから、さらに、ランダムアクセス応答メッセージを端末に送信してもよい。ランダムアクセス応答メッセージは、端末がバッファステータスレポート又はアップリンクデータを送信することができることを示すために用いられる同期アップリンクグラントメッセージを含む。ランダムアクセス応答メッセージに含まれるアップリンクタイミングアドバンス情報は、端末がアップリンク情報を送信するタイミングを示すために用いられる。
【手続補正１３】
【補正対象書類名】明細書
【補正対象項目名】００９２
【補正方法】変更
【補正の内容】
【００９２】
上記実施形態において、一般的に、肯定応答を含むダウンリンク情報を端末が受信した場合、これは、第１のアップリンク情報を基地局が上手く受信したことを示していることに留意するものとする。したがって、基地局は一般的に、ランダムアクセス応答メッセージを送信せず、端末は、ランダムアクセス応答メッセージを受信することもなければ、アップリンク送信にランダムアクセス応答メッセージを適用することもない。第１のアップリンク情報の否定応答を含むダウンリンク情報を端末が受信した場合、これは、基地局が第１のアップリンク情報を受信できないことを示す。したがって、基地局がプリアンブルを上手く受信する場合、基地局は一般的に、ランダムアクセス応答メッセージを送信し、端末は、このランダムアクセス応答メッセージに従って、次の動作を実行する。
【手続補正１４】
【補正対象書類名】明細書
【補正対象項目名】０１０５
【補正方法】変更
【補正の内容】
【０１０５】
上記実施形態において説明されたように、基地局は、非同期伝送パラメータ情報を決定する。非同期伝送パラメータ情報は、物理リソース情報、変調符号化方式情報、及び物理リソースフレームの長さ情報を含む。基地局は、非同期伝送フレームを用いることにより非同期伝送パラメータに従って端末により送信された第１のアップリンク情報を受信する。非同期伝送フレームは、フレームヘッダ部、データ伝送部、及びフレームテール部を含む。実際の用途においては、端末と基地局との間の接続の状態に従って、第１のアップリンク情報の具体的な内容が決定されてもよい。非同期伝送パラメータ情報は、物理リソースを用いてデータを伝送する条件に関する情報を更に含む。物理リソースの長さ情報は物理フレームの特定の部分であってもよい。非同期伝送パラメータは、期間情報を更に含んでいてもよい。さらに、基地局は、ダウンリンク情報を端末に送信してもよく、端末により送信された第２のアップリンク情報を受信する。具体的な説明は、下記で与えられる。図５を参照すると、本発明の一実施形態による基地局の別の実施形態は、下記のユニットを含む。
【手続補正１５】
【補正対象書類名】明細書
【補正対象項目名】０１０７
【補正方法】変更
【補正の内容】
【０１０７】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｅｒｍ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【手続補正１６】
【補正対象書類名】明細書
【補正対象項目名】０１２０
【補正方法】変更
【補正の内容】
【０１２０】
上記実施形態において説明されたように、基地局は、非同期伝送フレームを用いることにより非同期伝送パラメータ情報に従って端末により送信された第１のアップリンク情報を受信する。実際の用途において、非同期伝送フレームは、プリアンブルを伝送するために用いられる物理ランダムアクセスチャネルＰＲＡＣＨリソース部を更に含んでいてもよい。或いは、非同期伝送フレームが送信される場合は、物理ランダムアクセスチャネルＰＲＡＣＨリソースも送信される。ＰＲＡＣＨリソースは、プリアンブルを伝送するために用いられる。具体的な説明は、下記で与えられる。図６を参照すると、本発明の一実施形態による基地局の別の実施形態は、下記のユニットを含む。
【手続補正１７】
【補正対象書類名】明細書
【補正対象項目名】０１２２
【補正方法】変更
【補正の内容】
【０１２２】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｅｒｍ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【手続補正１８】
【補正対象書類名】明細書
【補正対象項目名】０１２５
【補正方法】変更
【補正の内容】
【０１２５】
第４の受信ユニット１２０３は、非同期伝送フレームのＰＲＡＣＨリソース部を用いることにより端末により送信されたプリアンブルを受信するように構成された第５の受信モジュール１２０３１を更に含む。非同期伝送フレームは、フレームヘッダ部、データ伝送部、フレームテール部、及び物理ランダムアクセスチャネルＰＲＡＣＨリソース部を含む。
【手続補正１９】
【補正対象書類名】明細書
【補正対象項目名】０１２８
【補正方法】変更
【補正の内容】
【０１２８】
基地局が端末により送信された第１のアップリンク情報を受信できない場合又は第１のアップリンク情報の内容を上手く解読できない場合、基地局は、ダウンリンク情報を端末に送信する。ダウンリンク情報は、第１のアップリンク情報の否定応答を含む。端末により送信された第１のアップリンク情報を受信できない場合に、基地局がランダムアクセス応答メッセージを端末に直接送信することができることから、第５の送信モジュール１２０４１は任意選択のモジュールであることに留意するものとする。
【手続補正２０】
【補正対象書類名】明細書
【補正対象項目名】０１３０
【補正方法】変更
【補正の内容】
【０１３０】
端末により送信された第１のアップリンク情報を基地局が受信できない場合、基地局は、端末がプリアンブルを基地局に送信することから、さらに、ランダムアクセス応答メッセージを端末に送信してもよい。ランダムアクセス応答メッセージは、端末がバッファステータスレポート又はアップリンクデータを送信することができることを示すために用いられる同期アップリンクグラントメッセージを含む。ランダムアクセス応答メッセージに含まれるアップリンクタイミングアドバンス情報は、端末がアップリンク情報を送信するタイミングを示すために用いられる。
【手続補正２１】
【補正対象書類名】明細書
【補正対象項目名】０１３６
【補正方法】変更
【補正の内容】
【０１３６】
上記実施形態において説明されたように、物理ランダムアクセスチャネルＰＲＡＣＨリソースは非同期伝送フレーム中にあることに留意するものとする。このような方法により、プリアンブル及び非同期伝送フレームは、同じ周波数帯域を有するが、しかし異なる時間を有する。実際の用途においては、ＰＲＡＣＨリソース及び非同期伝送フレームが同じ時間を有する限り、ＰＲＡＣＨリソースが代わりに独立フレームとして送信されてもよい。このようにして、プリアンブル及び非同期伝送フレームは、同じ時間を有するが、しかし異なる周波数帯域を有する。このような実施形態は、上記実施形態と同様である。本明細書では、詳細は説明されない。
【手続補正２２】
【補正対象書類名】明細書
【補正対象項目名】０１３８
【補正方法】変更
【補正の内容】
【０１３８】
図７に示されるように、端末は、送信機１３０１、受信機１３０２、プロセッサ１３０３、及びメモリ１３０４を含む。
【手続補正２３】
【補正対象書類名】明細書
【補正対象項目名】０１３９
【補正方法】変更
【補正の内容】
【０１３９】
本発明の本実施形態におけるアクセスポイントデバイスは、図７に示された構成要素よりも多いか、又は少ない構成要素を有していてもよい。２つ以上の構成要素が組み合わされていてもよいし、構成要素の構成や設定が異なっていてもよく、構成要素は、ハードウェア、ソフトウェア、又は１つ若しくは複数の信号処理及び／若しくは特定用途向け集積回路を含むハードウェア及びソフトウェアの組み合わせにて実装されていてもよい。
【手続補正２４】
【補正対象書類名】明細書
【補正対象項目名】０１４６
【補正方法】変更
【補正の内容】
【０１４６】
受信機１３０２は、送信機１３０１が第１のアップリンク情報を送信した後に、基地局により送信されたダウンリンク情報を受信するように更に構成されている。ダウンリンク情報は、アップリンクタイミング調整コマンド及び第１のアップリンク情報の肯定応答を含む。基地局への無線リソース制御ＲＲＣ接続が接続状態にある場合、ダウンリンク情報は、同期アップリンクグラントメッセージ及び／又は端末の識別情報を更に含む。或いは、基地局への無線リソース制御ＲＲＣ接続がアイドル状態にある場合、ダウンリンク情報は、ＲＲＣ接続確立メッセージを更に含む。或いは、基地局への無線リソース制御ＲＲＣ接続が再確立された場合、ダウンリンク情報は、同期アップリンクグラントメッセージ及び／又はＲＲＣ接続再確立メッセージを更に含む。
【手続補正２５】
【補正対象書類名】明細書
【補正対象項目名】０１４７
【補正方法】変更
【補正の内容】
【０１４７】
プロセッサ１３０３は、受信機１３０２がダウンリンク情報を受信した後に、基地局への無線リソース制御ＲＲＣ接続が接続状態にある場合、タイミング調整コマンドを適用し、タイミング調整タイマを開始するように更に構成されている。
【手続補正２６】
【補正対象書類名】明細書
【補正対象項目名】０１４８
【補正方法】変更
【補正の内容】
【０１４８】
送信機１３０１は、受信機１３０２がダウンリンク情報を受信した後に、同期アップリンクグラントメッセージに従って、第２のアップリンク情報を基地局に送信し、第２のアップリンク情報がデータ情報を含むか、又は、基地局への無線リソース制御ＲＲＣ接続がアイドル状態にある場合、ＲＲＣ接続確立メッセージに従って、第２のアップリンク情報を基地局に送信し、第２のアップリンク情報がＲＲＣ接続確立完了メッセージを含むか、又は、基地局への無線リソース制御ＲＲＣ接続が再確立状態にある場合、ＲＲＣ接続再確立メッセージに従って、第２のアップリンク情報を基地局に送信し、第２のアップリンク情報がＲＲＣ接続再確立完了メッセージ及びデータ情報を含む、ように更に構成されている。
【手続補正２７】
【補正対象書類名】明細書
【補正対象項目名】０１５９
【補正方法】変更
【補正の内容】
【０１５９】
図４〜図６に示された実施形態は、機能モジュールの観点から、基地局の特定の構造を説明する。下記は、図８に示された実施形態を用いることにより、ハードウェアの観点から、基地局の特定の構造を説明する。
【手続補正２８】
【補正対象書類名】明細書
【補正対象項目名】０１６０
【補正方法】変更
【補正の内容】
【０１６０】
図８に示されるように、基地局デバイスは、受信機１４０１、送信機１４０２、プロセッサ１４０３、及びメモリ１４０４を含む。
【手続補正２９】
【補正対象書類名】明細書
【補正対象項目名】０１６１
【補正方法】変更
【補正の内容】
【０１６１】
本発明の本実施形態に含まれる基地局デバイスは、図８に示された構成要素よりも多いか、又は少ない構成要素を有していてもよい。２つ以上の構成要素が組み合わされていてもよいし、構成要素の構成や設定が異なっていてもよく、構成要素は、ハードウェア、ソフトウェア、又は１つ若しくは複数の信号処理及び／若しくは特定用途向け集積回路を含むハードウェア及びソフトウェアの組み合わせにて実装されていてもよい。
【手続補正３０】
【補正対象書類名】明細書
【補正対象項目名】０１６４
【補正方法】変更
【補正の内容】
【０１６４】
別の実施形態において、プロセッサ１４０３は、非同期伝送パラメータ情報を決定するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【手続補正３１】
【補正対象書類名】明細書
【補正対象項目名】０１６８
【補正方法】変更
【補正の内容】
【０１６８】
別の実施形態において、プロセッサ１４０３は、非同期伝送パラメータ情報を決定するように構成されている。非同期伝送パラメータ情報は、物理リソース情報、変調符号化方式情報、及び物理リソースフレームフォーマット情報を含み、物理リソースフレームフォーマット情報は、物理リソースフレームの長さ情報を含む。非同期伝送パラメータ情報は、非同期伝送フレーム中の物理リソースを用いてデータを伝送する条件に関する情報及び期間情報を更に含む。物理リソースフレームの長さ情報は、フレームヘッダ部、データ伝送部、又はフレームテール部のうちの少なくとも１つの長さ情報、及び／又は物理リソースフレームの全長情報を含む。
【手続補正３２】
【補正対象書類名】明細書
【補正対象項目名】０１７０
【補正方法】変更
【補正の内容】
【０１７０】
受信機１４０１は、非同期伝送フレームのＰＲＡＣＨリソース部を用いることにより端末により送信されたプリアンブルを受信するように更に構成されている。非同期伝送フレームは、フレームヘッダ部、データ伝送部、フレームテール部、及び物理ランダムアクセスチャネルＰＲＡＣＨリソース部を含む。
【手続補正３３】
【補正対象書類名】明細書
【補正対象項目名】０１８５
【補正方法】変更
【補正の内容】
【０１８５】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｅｒｍ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【手続補正３４】
【補正対象書類名】明細書
【補正対象項目名】０１９９
【補正方法】変更
【補正の内容】
【０１９９】
上記実施形態において説明されたように、端末は、非同期伝送フレームを用いることにより、非同期伝送パラメータ情報に従って、第１のアップリンク情報を基地局に送信する。実際の用途において、非同期伝送フレームは、プリアンブルを伝送するために用いられる物理ランダムアクセスチャネルＰＲＡＣＨリソース部を更に含んでいてもよい。或いは、非同期伝送フレームが送信される場合は、物理ランダムアクセスチャネルＰＲＡＣＨリソースも送信される。ＰＲＡＣＨリソースは、プリアンブルを伝送するために用いられる。具体的な説明は、下記で与えられる。図１１を参照すると、本発明の一実施形態による非同期アップリンク伝送のための方法の別の実施形態は、下記のステップを含む。
【手続補正３５】
【補正対象書類名】明細書
【補正対象項目名】０２０１
【補正方法】変更
【補正の内容】
【０２０１】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｅｒｍ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【手続補正３６】
【補正対象書類名】明細書
【補正対象項目名】０２１２
【補正方法】変更
【補正の内容】
【０２１２】
端末により送信された第１のアップリンク情報を基地局が受信できない場合、基地局は、端末がプリアンブルを基地局に送信することから、さらに、ランダムアクセス応答メッセージを端末に送信してもよい。ランダムアクセス応答メッセージは、端末がバッファステータスレポート又はアップリンクデータを送信することができることを示すために用いられる同期アップリンクグラントメッセージを含む。ランダムアクセス応答メッセージに含まれるアップリンクタイミングアドバンス情報は、端末がアップリンク情報を送信するタイミングを示すために用いられる。
【手続補正３７】
【補正対象書類名】明細書
【補正対象項目名】０２２７
【補正方法】変更
【補正の内容】
【０２２７】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｅｒｍ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【手続補正３８】
【補正対象書類名】明細書
【補正対象項目名】０２４０
【補正方法】変更
【補正の内容】
【０２４０】
上記実施形態において説明されたように、基地局は、非同期伝送フレームを用いることにより非同期伝送パラメータ情報に従って端末により送信された第１のアップリンク情報を受信する。実際の用途において、非同期伝送フレームは、プリアンブルを伝送するために用いられる物理ランダムアクセスチャネルＰＲＡＣＨリソース部を更に含んでいてもよい。或いは、非同期伝送フレームが送信される場合は、物理ランダムアクセスチャネルＰＲＡＣＨリソースも送信される。ＰＲＡＣＨリソースは、プリアンブルを伝送するために用いられる。具体的な説明は、下記で与えられる。図１４を参照すると、本発明の一実施形態による非同期アップリンク伝送のための方法の別の実施形態は、下記のステップを含む。
【手続補正３９】
【補正対象書類名】明細書
【補正対象項目名】０２４２
【補正方法】変更
【補正の内容】
【０２４２】
要件に従って非同期伝送パラメータを決定した後に、基地局はまず、非同期伝送パラメータ情報を端末に送信する。或いは、端末は、プロトコル設定等の別の様態で、基地局のものと同じ非同期伝送パラメータ情報を取得してもよい。シグナリング交換を実現するために、非同期伝送パラメータは、物理リソース情報及び変調符号化方式情報を含む必要がある。物理リソースは、時間周波数領域リソースであり、ＬＴＥ（Ｌｏｎｇ  Ｔｅｒｍ  Ｅｖｏｌｕｔｉｏｎ，ロングタームエボリューション）システムにおけるＰＲＢ（ｐｈｙｓｉｃａｌ  ｒｅｓｏｕｒｃｅ  ｂｌｏｃｋ，物理リソースブロック）位置であってもよい。変調符号化方式は、ＱＰＳＫ（Ｑｕａｄｒａｔｕｒｅ  Ｐｈａｓｅ  Ｓｈｉｆｔ  Ｋｅｙｉｎｇ，４位相偏移変調）又は１／２符号化等であってもよい。非同期伝送を実現するために、非同期伝送パラメータは、物理リソースフレームの長さ情報を更に含む必要がある。基地局により受信されるアップリンク情報の精度を高くするために、非同期伝送パラメータ情報は、物理リソースを用いてデータを伝送する条件に関する情報、すなわちどの無線ベアラデータが物理リソース上で伝送され得るか、を更に含んでいてもよい。チャネルリソースを節約するために、非同期伝送パラメータ情報は、基地局により物理リソースを送信するために使用される期間を示すために用いられる期間情報、すなわちどのくらいの頻度で物理リソースが送信され得るか、又は何回物理リソースが送信され得るか、を更に含んでいてもよい。物理リソースフレームの任意の部分の長さ情報及び／又は物理リソースフレームの全長情報は、実際の要件に従って設定されることができ、その結果物理リソースフレームに従って設定される非同期伝送フレームの長さは、基地局により受信が許可されたフレームの長さになる。非同期伝送パラメータ情報は、物理リソースと関連付けられた識別子を更に含んでいてもよい。本明細書においては、これに限定されない。
【手続補正４０】
【補正対象書類名】明細書
【補正対象項目名】０２４４
【補正方法】変更
【補正の内容】
【０２４４】
６０２：非同期伝送フレームのＰＲＡＣＨリソース部を用いることにより端末により送信されたプリアンブルを受信する。非同期伝送フレームは、フレームヘッダ部、データ伝送部、フレームテール部、及び物理ランダムアクセスチャネルＰＲＡＣＨリソース部を含む。
【手続補正４１】
【補正対象書類名】明細書
【補正対象項目名】０２４９
【補正方法】変更
【補正の内容】
【０２４９】
端末により送信された第１のアップリンク情報を基地局が受信できない場合、基地局は、端末がプリアンブルを基地局に送信することから、さらに、ランダムアクセス応答メッセージを端末に送信してもよい。ランダムアクセス応答メッセージは、端末がバッファステータスレポート又はアップリンクデータを送信することができることを示すために用いられる同期アップリンクグラントメッセージを含む。ランダムアクセス応答メッセージに含まれるアップリンクタイミングアドバンス情報は、端末がアップリンク情報を送信するタイミングを示すために用いられる。
【手続補正４２】
【補正対象書類名】明細書
【補正対象項目名】０２５５
【補正方法】変更
【補正の内容】
【０２５５】
上記実施形態において説明されたように、物理ランダムアクセスチャネルＰＲＡＣＨリソースは非同期伝送フレーム中にあることに留意するものとする。このような方法により、プリアンブル及び非同期伝送フレームは、同じ周波数帯域を有するが、しかし異なる時間を有する。実際の用途においては、ＰＲＡＣＨリソース及び非同期伝送フレームが同じ時間を有する限り、ＰＲＡＣＨリソースが代わりに独立フレームとして送信されてもよい。このようにして、プリアンブル及び非同期伝送フレームは、同じ時間を有するが、しかし異なる周波数帯域を有する。このような実施形態は、上記実施形態と同様である。本明細書では、詳細は説明されない。
【手続補正４３】
【補正対象書類名】図面
【補正対象項目名】図３
【補正方法】変更
【補正の内容】
【図３】
2018507629.tif 000018
【国際調査報告】
2018507629.tif 000019
2018507629.tif 000020
2018507629.tif 000021
2018507629.tif 000022
2018507629.tif 000023